(57)【特許請求の範囲】
【請求項１】
サブフレームｎにおいてＨＡＲＱ−ＡＣＫビットを送信する送信部と、
サービングセルにおける物理上りリンク共用チャネルに対応するＤＣＩフォーマット０または４を検出する受信部と、を備え、
前記ＨＡＲＱ−ＡＣＫビットの数は、ＷＵＬＤＡＩの値に基づいて決定され、
端末装置に１より多いサービングセルが設定され、前記１より多いサービングセルに含まれる少なくとも２つの設定されたサービングセルのフレーム構造タイプが異なり、かつ、プライマリーセルはフレーム構造タイプ２である場合、
前記フレーム構造タイプ２と異なるフレーム構造タイプの前記サービングセルのために、前記ＷＵＬＤＡＩの前記値は、サブフレームｎ−４における下りリンク割り当てインデックス（ＤＡＩ）により決定され、
前記フレーム構造タイプ２の前記サービングセルのために、前記ＷＵＬＤＡＩの前記値は、サブフレームｎ−ｋ’における前記ＤＡＩにより決定され、前記ｋ’は前記ｎ、および、前記フレーム構造タイプ２の前記サービングセルのための上りリンク参照ＵＬ／ＤＬ設定に基づいて定義され、
前記ＤＡＩは前記ＤＣＩフォーマット０または４に存在し、
前記フレーム構造タイプ２は、時分割複信に適用可能である、端末装置。
【請求項２】
サブフレームｎにおいてＨＡＲＱ−ＡＣＫビットを送信し、
サービングセルにおける物理上りリンク共用チャネルに対応するＤＣＩフォーマット０または４を検出し、
前記ＨＡＲＱ−ＡＣＫビットの数は、ＷＵＬＤＡＩの値に基づいて決定され、
端末装置に１より多いサービングセルが設定され、前記１より多いサービングセルに含まれる少なくとも２つの設定されたサービングセルのフレーム構造タイプが異なり、かつ、プライマリーセルはフレーム構造タイプ２である場合、
前記フレーム構造タイプ２と異なるフレーム構造タイプの前記サービングセルのために、前記ＷＵＬＤＡＩの前記値は、サブフレームｎ−４における下りリンク割り当てインデックス（ＤＡＩ）により決定され、
前記フレーム構造タイプ２の前記サービングセルのために、前記ＷＵＬＤＡＩの前記値は、サブフレームｎ−ｋ’における前記ＤＡＩにより決定され、前記ｋ’は前記ｎ、および、前記フレーム構造タイプ２の前記サービングセルのための上りリンク参照ＵＬ／ＤＬ設定に基づいて定義され、
前記ＤＡＩは前記ＤＣＩフォーマット０または４に存在し、
前記フレーム構造タイプ２は、時分割複信に適用可能である、端末装置の通信方法。
【請求項３】
端末装置と通信する基地局であって、
サブフレームｎにおいてＨＡＲＱ−ＡＣＫビットを受信する受信部と、
サービングセルにおける物理上りリンク共用チャネルに対応するＤＣＩフォーマット０または４を含む、物理下りリンク制御チャネル（ＰＤＣＣＨ）、または、拡張物理下りリンク制御チャネル（ＥＰＤＣＣＨ）を送信する送信部と、を備え、
前記ＨＡＲＱ−ＡＣＫビットの数は、ＷＵＬＤＡＩの値に基づいて決定され、
端末装置に１より多いサービングセルが設定され、前記１より多いサービングセルに含まれる少なくとも２つの設定されたサービングセルのフレーム構造タイプが異なり、かつ、プライマリーセルはフレーム構造タイプ２である場合、
前記フレーム構造タイプ２と異なるフレーム構造タイプの前記サービングセルのために、前記ＷＵＬＤＡＩの前記値は、サブフレームｎ−４における下りリンク割り当てインデックス（ＤＡＩ）により決定され、
前記フレーム構造タイプ２の前記サービングセルのために、前記ＷＵＬＤＡＩの前記値は、サブフレームｎ−ｋ’における前記ＤＡＩにより決定され、前記ｋ’は前記ｎ、および、前記フレーム構造タイプ２の前記サービングセルのための上りリンク参照ＵＬ／ＤＬ設定に基づいて定義され、
前記ＤＡＩは前記ＤＣＩフォーマット０または４に存在し、
前記フレーム構造タイプ２は、時分割複信に適用可能である、基地局。
【請求項４】
サブフレームｎにおいてＨＡＲＱ−ＡＣＫビットを受信し、
サービングセルにおける物理上りリンク共用チャネルに対応するＤＣＩフォーマット０または４を含む、物理下りリンク制御チャネル（ＰＤＣＣＨ）、または、拡張物理下りリンク制御チャネル（ＥＰＤＣＣＨ）を送信し、
前記ＨＡＲＱ−ＡＣＫビットの数は、ＷＵＬＤＡＩの値に基づいて決定され、
端末装置に１より多いサービングセルが設定され、前記１より多いサービングセルに含まれる少なくとも２つの設定されたサービングセルのフレーム構造タイプが異なり、かつ、プライマリーセルはフレーム構造タイプ２である場合、
前記フレーム構造タイプ２と異なるフレーム構造タイプの前記サービングセルのために、前記ＷＵＬＤＡＩの前記値は、サブフレームｎ−４における下りリンク割り当てインデックス（ＤＡＩ）により決定され、
前記フレーム構造タイプ２の前記サービングセルのために、前記ＷＵＬＤＡＩの前記値は、サブフレームｎ−ｋ’における前記ＤＡＩにより決定され、前記ｋ’は前記ｎ、および、前記フレーム構造タイプ２の前記サービングセルのための上りリンク参照ＵＬ／ＤＬ設定に基づいて定義され、
前記ＤＡＩは前記ＤＣＩフォーマット０または４に存在し、
前記フレーム構造タイプ２は、時分割複信に適用可能である、基地局の通信方法。
【発明の詳細な説明】
【技術分野】
【０００１】
本発明は、端末、および、基地局に関する。
本願は、２０１４年９月３日に、日本に出願された特願２０１４−１７８８９７号に基づき優先権を主張し、その内容をここに援用する。
【背景技術】
【０００２】
３ＧＰＰ（Third Generation Partnership Project）（登録商標）によるＷＣＤＭＡ（登録商標）（Wideband Code Division Multiple Access）、ＬＴＥ（Long Term Evolution）、ＬＴＥ−Ａ（LTE-Advanced）やＩＥＥＥ（The Institute of Electrical and Electronics engineers）（登録商標）による無線ＬＡＮ（WLAN: Wireless Local Area Network）、ＷｉＭＡＸ（Worldwide Interoperability for Microwave Access）（登録商標）のような通信システムに含まれる、基地局装置（基地局、セル、第１の通信装置（端末装置とは異なる通信装置）、eNodeB）および端末装置（端末、移動端末、移動局装置、第２の通信装置（基地局装置とは異なる通信装置）、ＵＥ（User Equipment）、ユーザ装置）は、複数の送受信アンテナをそれぞれ備え、ＭＩＭＯ（Multi Input Multi Output）技術を用いることにより、データ信号を空間多重し、高速なデータ通信を実現する。【０００３】
また、３ＧＰＰにおいて、基地局装置と端末装置とのデータ通信の高速化を実現するために、複数のコンポーネントキャリアを用いて同時に通信を行なうキャリアアグリゲーション（CA: Carrier Aggregation）が採用されている（非特許文献１）。【０００４】
３ＧＰＰでは、双方向の通信方式（複信方式）のフレーム構造タイプとして、周波数分割複信（FDD: Frequency Division Duplex）および時分割複信（TDD: Time Division Duplex）が採用されている。また、ＦＤＤにおいて、同時に双方向の通信が可能な全二重（フルデュプレックス）方式（Full Duplex）と一方向の通信を切り替えて双方向の通信を実現する半二重（ハーフデュプレックス）方式（Half Duplex）が採用されている（非特許文献２）。なお、ＴＤＤを採用したＬＴＥをＴＤ−ＬＴＥ，ＬＴＥ  ＴＤＤと呼称する場合もある。【０００５】
また、３ＧＰＰでは、ＴＤＤをサポートしているコンポーネントキャリア（ＴＤＤキャリア）とＦＤＤをサポートしているコンポーネントキャリア（ＦＤＤキャリア）とを集約して通信を行なうＴＤＤ−ＦＤＤキャリアアグリゲーション（TDD-FDD CA）が検討されている（非特許文献３）。
【先行技術文献】
【非特許文献】
【０００６】
【非特許文献１】3rd Generation Partnership Project Technical Specification Group Radio Access Network; Evolved Universal Terrestrial Radio Access (E-UTRA) and Evolved Universal Terrestrial Radio Access Network (E-UTRAN); Overall description; Stage 2 (Release 10), TS36.300 v10.10.0 (2013-06).
【非特許文献２】3rd Generation Partnership Project Technical Specification Group Radio Access Network; Evolved Universal Terrestrial Radio Access (E-UTRA); Physical Channels and Modulation (Release 8), TS36.211 v8.8.0 (2009-09).
【非特許文献３】"Potential solutions of TDD-FDD joint operation", R1-132886, 3GPP TSG-RAN WG1 Meeting #74, Barcelona, Spain, 19th - 23rd Aug 2013.
【発明の概要】
【発明が解決しようとする課題】
【０００７】
ＴＤＤセルとＦＤＤセルによるキャリアアグリゲーションには、あるフレーム構成タイプのセルＰＤＳＣＨを示すＰＤＣＣＨ／ＥＰＤＣＣＨまたはＳＰＳリリースを示すＰＤＣＣＨ／ＥＰＤＣＣＨに対応するＨＡＲＱ応答情報を前記セルとは異なるフレーム構成タイプのセルで送受信する仕組みが備わっておらず、適切な通信が行なえないという問題が生じる。【０００８】
本発明のいくつかの態様は、上記問題を鑑みてなされたものであり、適切な通信を可能とする端末装置を提供することを目的とする。
【課題を解決するための手段】
【０００９】
（１）この発明のいくつかの態様は上述した課題を解決するためになされたもので、本発明の一態様による端末は、ＦＤＤのセルとＴＤＤのセルとを用いて、基地局と通信する端末であって、第１のＤＣＩフォーマットまたは第２のＤＣＩフォーマットを用いて送信されたＰＤＣＣＨで受信する受信部を備え、基地局によりＦＤＤのセルとＴＤＤのセルとの統合が設定される場合、所定のサブフレーム内の現在までのサブフレームにおけるＰＤＳＣＨ送信あるいは下りリンク準定常的スケジューリングのリリースを示すＰＤＣＣＨまたはＥＰＤＣＣＨの累積数を示す第１のＤＡＩは、第１のＤＣＩフォーマットに含まれて受信し、ＦＤＤのセルにおけるＰＤＳＣＨ送信あるいはＰＤＣＣＨまたはＥＰＤＣＣＨに対応するＨＡＲＱ−ＡＣＫフィードバックビットを決定し、第１のＤＡＩとは異なる第２のＤＡＩは、第２のＤＣＩフォーマットに含まれて受信し、ＦＤＤのセルにおけるＨＡＲＱ−ＡＣＫフィードバックビットの大きさを決定する。【００１０】
（２）本発明の一態様による端末は、上記の端末であって、ＨＡＲＱ応答情報は、ＰＵＣＣＨフォーマット３によって送信される。【００１１】
（３）本発明の一態様による端末は、上記の端末であって、ＴＤＤのセルはプライマリーセルであり、ＦＤＤのセルはセカンダリーセルである。【００１２】
（４）本発明の一態様による端末は、上記の端末であって、ＴＤＤのセルにおける下りリンク関連セットを定義するテーブルと、ＦＤＤのセルにおける下りリンク関連セットを定義するテーブルと、が異なる。【００１３】
（５）本発明の一態様による端末は、上記の端末であって、第１のＤＡＩは、全ての下りリンク参照上りリンク−下りリンク設定でＦＤＤのセルで使用される。【００１４】
（６）本発明の一態様による基地局は、ＦＤＤのセルとＴＤＤのセルとを用いて、端末と通信する基地局であって、第１のＤＣＩフォーマットまたは第２のＤＣＩフォーマットを用いてＰＤＣＣＨで送信する送信部を備え、端末にＦＤＤのセルとＴＤＤのセルとの統合が設定される場合、所定のサブフレーム内の現在までのサブフレームにおけるＰＤＳＣＨ送信あるいは下りリンク準定常的スケジューリングのリリースを示すＰＤＣＣＨまたはＥＰＤＣＣＨの累積数を示す第１のＤＡＩは、第１のＤＣＩフォーマットに含んで送信し、ＦＤＤのセルにおけるＰＤＳＣＨ送信あるいはＰＤＣＣＨまたはＥＰＤＣＣＨに対応するＨＡＲＱ−ＡＣＫフィードバックビットを決定し、第１のＤＡＩとは異なる第２のＤＡＩは、第２のＤＣＩフォーマットに含んで送信し、ＦＤＤのセルにおけるＨＡＲＱ−ＡＣＫフィードバックビットの大きさを決定する。【００１５】
（７）本発明の一態様による基地局は、上記の基地局であって、ＨＡＲＱ応答情報は、ＰＵＣＣＨフォーマット３によって受信される。【００１６】
（８）本発明の一態様による基地局は、上記の基地局であって、ＴＤＤのセルはプライマリーセルであり、ＦＤＤのセルはセカンダリーセルである。【００１７】
（９）本発明の一態様による基地局は、上記の基地局であって、ＴＤＤのセルにおける下りリンク関連セットを定義するテーブルと、ＦＤＤのセルにおける下りリンク関連セットを定義するテーブルと、が異なる。【００１８】
（１０）本発明の一態様による基地局は、上記の基地局であって、第１のＤＡＩは、全ての下りリンク参照上りリンク−下りリンク設定でＦＤＤのセルで使用される。
【発明の効果】
【００１９】
この発明のいくつかの態様によれば、基地局装置と端末装置が通信する通信システムにおいて、端末装置は適切な送信制御および受信制御を行なうことで、通信効率を向上させることができる。
【図面の簡単な説明】
【００２０】
【図１】本発明の第１の実施形態に係る基地局装置１の構成を示す概略ブロック図である。
【図２】本発明の第１の実施形態に係る端末装置２の構成を示す概略ブロック図である。
【図３】ＴＤＤ  ＵＬ／ＤＬ設定におけるサブフレームパターンの構成を示す図である。
【図４】本発明の第１の実施形態に係るＰＤＣＣＨに対応するＨＡＲＱ応答情報のＰＵＣＣＨリソースの配置の一例を示す図である。
【図５】本発明の第１の実施形態に係るＥＰＤＣＣＨに対応するＨＡＲＱ応答情報のＰＵＣＣＨリソースの配置の一例を示す図である。
【図６】本発明の第１の実施形態に係るＰＤＣＣＨ／ＥＰＤＣＣＨが送信されたサブフレームとＨＡＲＱ応答情報が送信するサブフレームの対応を示す図である。
【図７】本発明の第１の実施形態に係るＴＤＤにおけるＨＡＲＱ応答情報が含まれるＰＵＣＣＨリソースの計算式を示す図である。
【図８】本発明の第１の実施形態に係るＴＤＤとＦＤＤのキャリアアグリゲーションにおけるＨＡＲＱ応答情報の送信タイミングの一例を示す図である。
【図９】本発明の第１の実施形態に係るＴＤＤとＦＤＤのキャリアアグリゲーションにおけるＰＤＣＣＨ／ＥＰＤＣＣＨが送信されたサブフレームとＨＡＲＱ応答情報が送信するサブフレームの対応の一例を示す図である。
【図１０】本発明の第１の実施形態に係るＵＬ−ＤＬ設定の組み合わせと下りリンク参照ＵＬ−ＤＬ設定との対応を示す図である。
【図１１】本発明の第１の実施形態に係るＴＤＤとＦＤＤのキャリアアグリゲーションにおけるＰＤＣＣＨ／ＥＰＤＣＣＨが送信されたサブフレームとＨＡＲＱ応答情報が送信するサブフレームの対応の一例を示す図である。
【図１２】本発明の第１の実施形態に係るＤＡＩの値とＰＤＳＣＨ送信または下りリンクＳＰＳの解放を示すＰＤＣＣＨ／ＥＰＤＣＣＨのサブフレーム数の対応を示す図である。
【図１３】本発明の第１の実施形態に係る上りリンク関連インデックスを示す図である。
【図１４】本発明の第１の実施形態にＨＡＲＱ応答情報ビットをフィードバックするのに必要な下りリンクサブフレームの数の計算式を示す図である。
【図１５】本発明の第１の実施形態に係るＴＤＤとＦＤＤのキャリアアグリゲーションにおけるＰＤＣＣＨ／ＥＰＤＣＣＨが送信されたサブフレームとＨＡＲＱ応答情報が送信するサブフレームの対応の一例を示す図である。
【図１６】本発明の第１の実施形態に係るnHARQの計算式の一例を示す図である。
【発明を実施するための形態】
【００２１】
本実施形態の通信システムは、複数のコンポーネントキャリアを集約（統合、集合）して通信を行なうキャリアアグリゲーションが適用される。セルはコンポーネントキャリアを用いて構成することができるため、キャリアアグリゲーションをセルアグリゲーションと呼称する場合もある。つまり、本実施形態の通信システムは、複数のセルを集約して通信を行なうことができる。また、本実施形態の通信システムにおけるセルアグリゲーションは、複数のセルのうち、ＴＤＤ方式が適用されるセル（ＴＤＤセル、ＴＤＤサービングセル、ＴＤＤキャリア、ＴＤＤコンポーネントキャリア、ＴＤＤ運用）とＦＤＤ方式が適用されるセル（ＦＤＤセル、ＦＤＤサービングセル、ＦＤＤキャリア、ＦＤＤコンポーネントキャリア、ＦＤＤ運用）を集約して通信を行なう。すなわち、本実施形態の通信システムは、異なるフレーム構造タイプ（Frame Structure Type）が設定された複数のセルにおけるセルアグリゲーションが適用される。なお、フレーム構造タイプは、デュプレックスモード（Duplex mode）と呼称される場合がある。ＬＴＥおよびＬＴＥ−Ａにおいて、フレーム構造タイプ１はＦＤＤ、フレーム構成タイプ２はＴＤＤと定義されている。
【００２２】
セルアグリゲーションは、１つのプライマリーセルと１つ以上のセカンダリーセルを集約して通信を行なうことである。また、プライマリーセルは、上りリンクコンポーネントキャリアおよび下りリンクコンポーネントキャリアを用いて構成されるのに対し、セカンダリーセルは、下りリンクコンポーネントキャリアのみ用いて構成されてもよい。
【００２３】
設定された複数のサービングセル（複数のセル）は、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。なお、１つの基地局装置１によって複数のサービングセルが構成されてもよいし、複数の基地局装置１によって複数のサービングセルが構成されてもよい。
【００２４】
また、上りリンクおよび下りリンクの周波数帯（UL/DL operating band）とデュプレックスモード（ＴＤＤ、ＦＤＤ）が１つのインデックスに対応付けられている。また、１つのテーブルで上りリンクおよび下りリンクの周波数帯（オペレーティングバンド）とデュプレックスモードが管理されている。このインデックスをＥ−ＵＴＲＡオペレーティングバンド（E-UTRA Operating Band）やＥ−ＵＴＲＡバンド（E-UTRA Band）、バンドと呼称する場合もある。例えば、インデックス１はバンド１、インデックス２はバンド２、インデックスｎはバンドｎと呼称される場合もある。例えば、バンド１は、上りリンクのオペレーティングバンドが１９２０ＭＨｚ〜１９８０ＭＨｚで、下りリンクのオペレーティングバンドが２１１０ＭＨｚ〜２１７０ＭＨｚで、デュプレックスモードがＦＤＤである。また、バンド３３は、上りリンクおよび下りリンクのオペレーティングバンドが１９００ＭＨｚ〜１９２０ＭＨｚで、デュプレックスモードがＴＤＤである。
【００２５】
また、キャリアアグリゲーションが可能なバンドの組み合わせ（E-UTRA CA Band）が設定されてもよい。例えば、バンド１とバンド５内のコンポーネントキャリアによるキャリアアグリゲーションは可能であることが示されてもよい。すなわち、異なるバンドのコンポーネントキャリアによるキャリアアグリゲーションの可否が示されてもよい。
【００２６】
端末装置２がサポートしているバンドおよびキャリアアグリゲーションが可能なバンドの組み合わせは、端末装置２の機能情報（UE capability, UE-EUTRA-Capability）に設定され、基地局装置１は、端末装置２から機能情報が送信されることによって、その端末装置２が有している機能を把握することができる。
【００２７】
設定された複数のセルの一部に対して、本発明が適用されてもよい。端末装置２に設定されるセルを、サービングセルと呼称する場合もある。
【００２８】
ＴＤＤは、上りリンク信号と下りリンク信号を時分割多重することによって、単一の周波数帯域（キャリア周波数、コンポーネントキャリア）において下りリンクと上りリンクの通信を可能にする技術である。ＬＴＥでは、予め設定することで、サブフレーム単位で下りリンクと上りリンクを切り替えることができる。なお、ＴＤＤでは、下りリンク送信が可能なサブフレーム（下りリンクサブフレーム、下りリンク送信に対して予約されたサブフレーム）と上りリンク送信が可能なサブフレーム（上りリンクサブフレーム、上りリンク送信に対して予約されたサブフレーム）、さらに、ガード期間（GP: Guard Period）を設けることにより、下りリンク送信と上りリンク送信を時間領域（シンボル領域）で切り替え可能なサブフレーム（スペシャルサブフレーム）が定義されている。なお、スペシャルサブフレームにおいて、下りリンク送信が可能な時間領域（時間領域に対応するシンボル）を下りリンクパイロットタイムスロット（DwPTS: Downlink Pilot Time Slot）と呼称し、上りリンク送信が可能な時間領域（時間領域に対応するシンボル）を上りリンクパイロットタイムスロット（UpPTS: Uplink Pilot Time Slot）と呼称する。例えば、端末装置２は、サブフレームｉが下りリンクサブフレームである場合、基地局装置１から送信された下りリンク信号を受信することができ、サブフレームｉとは異なるサブフレームｊが上りリンクサブフレームである場合、端末装置２から基地局装置１へ上りリンク信号を送信することができる。また、サブフレームｉやサブフレームｊとは異なるサブフレームｋがスペシャルサブフレームである場合、下りリンクの時間領域ＤｗＰＴＳで下りリンク信号を受信することができ、上りリンクの時間領域ＵｐＰＴＳで上りリンク信号を送信することができる。
【００２９】
また、ＬＴＥ、ＬＴＥ−ＡにおいてＴＤＤ方式で通信を行なうために、特定の情報要素（ＴＤＤ  ＵＬ／ＤＬ（ＵＬ−ＤＬ）設定（TDD UL/DL configuration(s), TDD uplink-downlink configuration(s)）、ＴＤＤ設定（TDD configuration(s), tdd-Config, TDD config）、ＵＬ／ＤＬ（ＵＬ−ＤＬ）設定（uplink-downlink configuration(s)））で通知される。端末装置２は、通知された情報に基づいて、あるサブフレームを上りリンクサブフレーム、下りリンクサブフレーム、スペシャルサブフレームの何れかとみなして、送受信処理を行なうことができる。
【００３０】
また、スペシャルサブフレームの構成（スペシャルサブフレーム内のＤｗＰＴＳとＵｐＰＴＳとＧＰの長さ）は、複数のパターンが定義され、テーブル管理されている。複数のパターンはそれぞれ値（インデックス）と対応付けられており、その値が通知されることによって、端末装置は、通知された値に対応付けられたパターンに基づいて、スペシャルサブフレームの処理を行なう。すなわち、スペシャルサブフレームの構成に関する情報も基地局装置１から端末装置２へ通知することができる。
【００３１】
また、上りリンクのトラフィックと下りリンクのトラフィック（情報量、データ量、通信量）に応じて、上りリンクリソースと下りリンクリソースの比率を変更するトラフィック適応制御技術をＴＤＤに適用してもよい。例えば、下りリンクサブフレームと上りリンクサブフレームの比率をダイナミックに変更することができる。あるサブフレームに対して、下りリンクサブフレームおよび上りリンクサブフレームを適応的に切り替えることができる。このようなサブフレームをフレキシブルサブフレームと呼称する。基地局装置１は、フレキシブルサブフレームにおいて、条件（状況）に応じて、上りリンク信号の受信または下りリンク信号の送信を行なうことができる。また、端末装置２は、基地局装置１によって、フレキシブルサブフレームにおいて上りリンク信号の送信を指示されない限り、該フレキシブルサブフレームを下りリンクサブフレームとみなして受信処理を行なうことができる。また、このような下りリンクサブフレームと上りリンクサブフレームの比率や上りリンクと下りリンクのサブフレーム、ＴＤＤ  ＵＬ／ＤＬ（再）設定をダイナミックに変更するＴＤＤをダイナミックＴＤＤ（DTDD: Dynamic TDD）あるいはｅＩＭＴＡ（enhanced Interference Mitigation and Traffic Adaptation）と呼称する場合もある。例えば、Ｌ１シグナリングでＴＤＤ  ＵＬ／ＤＬ設定情報が送信されてもよい。
【００３２】
一方、ＦＤＤは、異なる周波数帯域（キャリア周波数、コンポーネントキャリア）において下りリンクと上りリンクの通信を可能にする技術である。
【００３３】
その通信システムは、基地局装置１がカバーするエリアをセル状に複数配置するセルラー通信システムが適用されてもよい。また、単一の基地局装置１は複数のセルを管理してもよい。また、単一の基地局装置１は複数のＲＲＨ（Remote Radio Head）を管理してもよい。また、単一の基地局装置１は複数のローカルエリアを管理してもよい。また、単一の基地局装置１は複数のＨｅｔＮｅｔ（Heterogeneous Network）を管理してもよい。また、単一の基地局装置１は複数の小電力基地局装置（LPN: Low Power Node）を管理してもよい。
【００３４】
その通信システムにおいて、端末装置２は、セル固有参照信号（CRS: Cell-specific Reference Signal(s)）に基づいて参照信号受信電力（RSRP: Reference Signal Received Power）を測定している。
【００３５】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel, NDS: New Discovery Signal(s), DRS: Discovery Reference Signal, DS: Discovery Signal）の導入が検討されている。なお、ニューキャリアタイプは、追加キャリアタイプ（ACT: Additional Carrier Type）と呼称する場合もある。また、ＮＣＴに対し、既存のキャリアタイプをレガシーキャリアタイプ（LCT: Legacy Carrier Type）と呼称する場合もある。
【００３６】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３７】
（物理チャネル）
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａおよびそれ以降の規格リリースにおいて、今後追加、または、その構造やフォーマット形式が変更または追加される可能性があるが、そのような場合でも本発明の各実施形態の説明に影響しない。
【００３８】
ＬＴＥおよびＬＴＥ−Ａでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば、１２サブキャリア）の集合で構成される一定の周波数領域と、一定の送信時間間隔（例えば、１スロット、７シンボル）で構成される領域で定義される。
【００３９】
通信精度を向上させるために、物理チャネルの冗長部に当たるサイクリックプレフィックス（CP: Cyclic Prefix）が物理チャネルに付与されて送信される。ＣＰの長さによって、１スロット内に配置されるシンボルの数が変わる。例えば、標準ＣＰ（Normal CP）の場合、１スロット内に７シンボル配置することができ、拡張ＣＰ（Extended CP）の場合、１スロット内に６シンボル配置することができる。
【００４０】
また、サブキャリア間隔を狭くすることで、１リソースブロック内に、２４サブキャリア配置することもできる。特定の物理チャネルに対して適用されてもよい。
【００４１】
物理チャネルは、上位層から出力される情報を伝送するリソースエレメントのセットに対応する。物理信号は、物理層で使用され、上位層から出力される情報を伝送しない。つまり、無線リソース制御（RRC: Radio Resource Control）メッセージやシステム情報（SI: System Information）などの上位層の制御情報は、物理チャネルで伝送される。
【００４２】
下りリンク物理チャネルには、物理下りリンク共用チャネル（PDSCH: Physical Downlink Shared Channel）、物理報知チャネル（PBCH: Physical Broadcast Channel）、物理マルチキャストチャネル（PMCH: Physical Multicast Channel）、物理制御フォーマットインディケータチャネル（PCFICH: Physical Control Format Indicator Channel）、物理下りリンク制御チャネル（PDCCH: Physical Downlink Control Channel）、物理ハイブリットＡＲＱインディケータチャネル（PHICH: Physical Hybrid ARQ Indicator Channel）、拡張物理下りリンク制御チャネル（EPDCCH: Enhanced Physical Downlink Control Channel）がある。また、下りリンク物理信号は、種々の参照信号と種々の同期信号がある。下りリンク参照信号（DL-RS: Downlink Reference Signal）には、セル固有参照信号（CRS: Cell specific Reference Signal）、端末装置固有参照信号（UERS: UE specific Reference Signal）、チャネル状態情報参照信号（CSI-RS: Channel State Information Reference Signal）がある。同期信号（Synchronization Signal）には、プライマリー同期信号（PSS: Primary Synchronization Signal）とセカンダリー同期信号（SSS: Secondary Synchronization Signal）がある。
【００４３】
上りリンク物理チャネルには、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）がある。また、上りリンク物理信号には、種々の参照信号がある。上りリンク参照信号には、復調参照信号（DMRS: Demodulation Reference Signal）とサウンディング参照信号（SRS: Sounding Reference Signal）がある。
【００４４】
同期信号（Synchronization Signal）は、３種類のＰＳＳと、周波数領域で互い違いに配置される３１種類の符号から構成されるＳＳＳとで構成され、ＰＳＳとＳＳＳとの組み合わせによって、基地局装置１を識別する５０４通りの物理層セル識別子（PCI: Physical layer Cell Identity, Physical Cell Identity, Physical Cell Identifier）と無線同期のためのフレームタイミングが示される。端末装置２は、セルサーチによって受信した同期信号のセル識別子を特定する。なお、セル識別子は、セルＩＤと呼称される場合もある。物理層セル識別子は、物理セルＩＤと呼称される場合もある。
【００４５】
物理報知チャネル（PBCH: Physical Broadcast Channel）は、セル内の端末装置２で共通に用いられる制御パラメータ（報知情報やシステムインフォメーション）を通知する目的で送信される。また、ＰＢＣＨで通知されない報知情報（例えば、ＳＩＢ１や一部のシステムインフォメーション）は、ＤＬ−ＳＣＨを介して、ＰＤＳＣＨで送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマーなど）、共通無線リソース設定情報（共有無線リソース設定情報）などが通知される。
【００４６】
下りリンク参照信号は、その用途によって複数のタイプに分類される。例えば、セル固有参照信号（CRS: Cell-specific reference signals）は、セル毎に所定の電力で送信されるパイロット信号であり、所定の規則に基づいて周波数領域および時間領域で周期的に繰り返される下りリンク参照信号である。端末装置２は、セル固有参照信号を受信することでセル毎の受信品質を測定する。また、端末装置２は、セル固有参照信号と同じアンテナポートで送信される物理下りリンク制御チャネル、または物理下りリンク共用チャネルの復調のための参照信号としてもセル固有参照信号を使用する。セル固有参照信号に使用される系列は、セル毎に識別可能な系列が用いられる。ＣＲＳは、基地局装置１より全ての下りリンクサブフレームで送信されてもよいが、端末装置２は、指定された下りリンクサブフレームでのみ受信してもよい。
【００４７】
また、下りリンク参照信号は下りリンクの伝搬路変動の推定にも用いられる。伝搬路変動の推定に用いられる下りリンク参照信号のことをチャネル状態情報参照信号（CSI-RS: Channel State Information Reference Signals）あるいはＣＳＩ参照信号と呼称してもよい。また、実際には信号の送られない、または、ゼロパワーで送信されるＣＳＩ参照信号は、ゼロパワーチャネル状態情報参照信号（ZP CSI-RS: Zero Power Channel State Information Reference Signals）あるいはゼロパワーＣＳＩ参照信号と呼称してもよい。また、実際に信号が送信されるＣＳＩ参照信号は、非ゼロパワーチャネル状態情報参照信号（NZP CSI-RS: Non Zero Power Channel State Information Reference Signals）あるいは非ゼロパワーＣＳＩ参照信号と呼称してもよい。
【００４８】
また、干渉成分を測定するために用いられる下りリンクリソースの事をチャネル状態情報干渉測定リソース（CSI-IMR: Channel State Information - Interference Measurement Resource）あるいはＣＳＩ−ＩＭリソースと呼称してもよい。ＣＳＩ−ＩＭリソースに含まれるゼロパワーＣＳＩ参照信号を用いて、端末装置２はＣＱＩの値を算出するために干渉信号の測定を行なってもよい。また、端末装置２毎に個別に設定される下りリンク参照信号は、端末装置固有参照信号（UERS: UE specific Reference Signals）または個別参照信号（Dedicated Reference Signals）、下りリンク復調参照信号（DL DMRS: Downlink Demodulation Reference Signals）などと称され、物理下りリンク制御チャネル、または物理下りリンク共用チャネルの復調に用いられる。
【００４９】
なお、これらの下りリンク参照信号の系列は、擬似ランダム系列に基づいて生成されてもよい。また、これらの下りリンク参照信号の系列は、Ｚａｄｏｆｆ−Ｃｈｕ系列に基づいて生成されてもよい。また、これらの下りリンク参照信号の系列は、ゴールド系列に基づいて生成されてもよい。また、これらの下りリンク参照信号の系列は、擬似ランダム系列やＺａｄｏｆｆ−Ｃｈｕ系列、ゴールド系列の亜種または変形であってもよい。
【００５０】
物理下りリンク共用チャネル（PDSCH: Physical Downlink Shared Channel）は、下りリンクデータ（ＤＬ−ＳＣＨ）を送信するために使用される。また、ＰＤＳＣＨは、システムインフォメーションがＤＬ−ＳＣＨで送信される場合にも使用される。物理下りリンク共用チャネルの無線リソース割り当て情報は、物理下りリンク制御チャネルで示される。また、ＰＤＳＣＨは、下りリンクと上りリンクに関するパラメータ（情報要素、ＲＲＣメッセージ）を通知するためにも使用される。
【００５１】
物理下りリンク制御チャネル（PDCCH: Physical Downlink Control Channel）は、各サブフレームの先頭からいくつかのＯＦＤＭシンボルで送信され、端末装置２に対して基地局装置１のスケジューリングに従ったリソース割り当て情報や、送信電力の増減の調整量を指示する目的で使用される。端末装置２は、レイヤー３メッセージ（ページング、ハンドオーバコマンド、ＲＲＣメッセージなど）を送受信する前に自局宛の物理下りリンク制御チャネルを監視（モニタ）し、送信時には上りリンクグラント、受信時には下りリンクグラント（下りリンクアサインメントとも呼称される）と呼ばれるリソース割り当て情報を自局宛の物理下りリンク制御チャネルから取得する必要がある。なお、物理下りリンク制御チャネルは、上述したＯＦＤＭシンボルで送信される以外に、基地局装置１から端末装置２に対して個別（ｄｅｄｉｃａｔｅｄ）に割り当てられるリソースブロックの領域で送信されるように構成することも可能である。この基地局装置１から端末装置２に対して個別（ｄｅｄｉｃａｔｅｄ）に割り当てられるリソースブロックの領域で送信される物理下りリンク制御チャネルはエンハンスト物理下りリンク制御チャネル（EPDCCH: Enhanced PDCCH）と呼称される場合もある。また、上述したＯＦＤＭシンボルで送信されるＰＤＣＣＨは第１の制御チャネルと呼称される場合もある。また、ＥＰＤＣＣＨは第２の制御チャネルと呼称される場合もある。また、ＰＤＣＣＨが割り当て可能なリソース領域は第１の制御チャネル領域、ＥＰＤＣＣＨが割り当て可能なリソース領域は第２の制御チャネル領域と呼称される場合もある。なお、以降に記述するＰＤＣＣＨには基本的にＥＰＤＣＣＨを含んでいるものとする。
【００５２】
基地局装置１は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号（ＰＳＳ／ＳＳＳ）、下りリンク参照信号を送信してもよい。また、基地局装置１は、スペシャルサブフレームのＤｗＰＴＳにおいて、ＰＢＣＨを送信しなくてもよい。
【００５３】
また、端末装置２は、スペシャルサブフレームのＵｐＰＴＳにおいて、ＰＲＡＣＨ、およびＳＲＳを送信してもよい。また、端末装置２は、スペシャルサブフレームのＵｐＰＴＳにおいて、ＰＵＣＣＨ、ＰＵＳＣＨ、およびＤＭＲＳを送信しなくてもよい。
【００５４】
また、端末装置２は、スペシャルサブフレームがＧＰおよびＵｐＰＴＳのみによって構成されている場合には、スペシャルサブフレームのＵｐＰＴＳにおいて、ＰＵＣＣＨおよび／またはＰＵＳＣＨおよび／またはＤＭＲＳを送信してもよい。
【００５５】
ここで、端末装置２は、ＰＤＣＣＨ候補（PDCCH candidates）および／またはＥＰＤＣＣＨ候補（EPDCCH candidates）のセットをモニタする。以下、説明の簡略化のために、ＰＤＣＣＨは、ＥＰＤＣＣＨを含んでもよい。ＰＤＣＣＨ候補とは、基地局装置１によって、ＰＤＣＣＨがマップおよび送信される可能性のある候補を示している。また、ＰＤＣＣＨ候補は、１つまたは複数の制御チャネル要素（CCE: Control Channel Element）から構成される。また、モニタとは、モニタされる全てのＤＣＩフォーマットに応じて、ＰＤＣＣＨ候補のセット内のＰＤＣＣＨそれぞれに対して、端末装置２がデコード（復号）を試みるということまで含まれてもよい。
【００５６】
ここで、端末装置２が、モニタするＰＤＣＣＨ候補のセットは、サーチスペースとも称される。サーチスペースとは、基地局装置１によってＰＤＣＣＨの送信に用いられる可能性のあるリソースのセットである。ＰＤＣＣＨ領域には、コモンサーチスペース（CSS: Common Search Space）と端末装置スペシフィックサーチスペース（USS: UE-specific Search Space）が構成（定義、設定）される。
【００５７】
ＣＳＳは、複数の端末装置２に対する下りリンク制御情報の送信に用いられる。すなわち、ＣＳＳは、複数の端末装置２に対して共通のリソースによって定義される。また、ＵＳＳは、ある特定の端末装置２に対する下りリンク制御情報の送信に用いられる。すなわち、ＵＳＳは、ある特定の端末装置２に対して個別に設定される。また、ＵＳＳは、複数の端末装置２に対して重複して設定されてもよい。
【００５８】
下りリンク制御情報（ＤＣＩ）は、特定のフォーマット（構成、形式）で基地局装置１から端末装置２へ送信される。このフォーマットをＤＣＩフォーマットと呼称してもよい。なお、ＤＣＩフォーマットを送信するとは、あるフォーマットのＤＣＩを送信することを含む。ＤＣＩフォーマットは、ＤＣＩを送信するためのフォーマットと言い換えることができる。基地局装置１から端末装置２へ送信されるＤＣＩフォーマットには複数のフォーマットが用意されている（例えば、ＤＣＩフォーマット０／１／１Ａ／１Ｂ／１Ｃ／１Ｄ／２／２Ａ／２Ｂ／２Ｃ／２Ｄ／３／３Ａ／４）。ＤＣＩフォーマットには、種々の下りリンク制御情報に対応するフィールド（ビットフィールド）がセットされている。
【００５９】
基地局装置１は、複数の端末装置２に対して共通のＤＣＩ（単一のＤＣＩ）をあるＤＣＩフォーマットで送信する場合には、ＰＤＣＣＨ（またはＥＰＤＣＣＨ）ＣＳＳで送信し、端末装置２に対して個別にＤＣＩをあるＤＣＩフォーマットで送信する場合には、ＰＤＣＣＨ（またはＥＰＤＣＣＨ）ＵＳＳで送信する。
【００６０】
ＤＣＩフォーマットで送信されるＤＣＩには、ＰＵＳＣＨやＰＤＳＣＨのリソース割り当て、変調符号化方式、サウンディング参照信号要求（ＳＲＳリクエスト）、チャネル状態情報要求（ＣＳＩリクエスト）、単一のトランスポートブロックの初送または再送の指示、ＰＵＳＣＨに対する送信電力制御コマンド、ＰＵＣＣＨに対する送信電力制御コマンド、ＵＬ  ＤＭＲＳのサイクリックシフトおよびＯＣＣ（Orthogonal Code Cover）のインデックスなどがある。この他にも種々のＤＣＩは仕様書によって定義されている。
【００６１】
上りリンク送信制御（例えば、ＰＵＳＣＨのスケジューリングなど）に用いられるフォーマットを上りリンクＤＣＩフォーマット（例えば、ＤＣＩフォーマット０／４）または上りリンクに関連するＤＣＩと呼称してもよい。上りリンク送信制御を上りリンクグラント（uplink grant）とも称する。下りリンク受信制御（例えば、ＰＤＳＣＨのスケジューリングなど）に用いられるフォーマットを下りリンクＤＣＩフォーマット（例えば、ＤＣＩフォーマット１／１Ａ／１Ｂ／１Ｃ／１Ｄ／２／２Ａ／２Ｂ／２Ｃ／２Ｄ）または下りリンクに関連するＤＣＩと呼称してもよい。下りリンク受信制御を、下りリンクグラント（downlink grant）、下りリンクアサインメント（downlink assignment）または下りリンク割り当て（downlink allocation）とも称する。複数の端末装置２それぞれの送信電力を調整するために用いられるフォーマットをグループトリガリングＤＣＩフォーマット（例えば、ＤＣＩフォーマット３／３Ａ）と呼称してもよい。
【００６２】
例えば、ＤＣＩフォーマット０は、１つのサービングセルにおける１つのＰＵＳＣＨのスケジューリングを行なうために必要なＰＵＳＣＨのリソース割り当てに関する情報や変調方式に関する情報、ＰＵＳＣＨに対する送信電力制御（TPC: Transmit Power Control）コマンドに関する情報などを送信するために用いられる。また、これらのＤＣＩはＰＤＣＣＨ／ＥＰＤＣＣＨで送信される。ＤＣＩフォーマットは、少なくとも１つのＤＣＩで構成されていると言える。
【００６３】
端末装置２は、ＰＤＣＣＨ領域のＣＳＳおよび／またはＵＳＳにおいてＰＤＣＣＨをモニタし、自装置宛てのＰＤＣＣＨを検出する。
【００６４】
また、下りリンク制御情報の送信（ＰＤＣＣＨでの送信）には、基地局装置１が端末装置２に割り当てたＲＮＴＩが利用される。具体的には、ＤＣＩフォーマット（下りリンク制御情報でも良い）に巡回冗長検査（CRC: Cyclic Redundancy check）パリティビットが付加され、付加された後に、ＣＲＣパリティビットがＲＮＴＩによってスクランブルされる。
【００６５】
端末装置２は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置２は、ＲＮＴＩによってスクランブルされたＣＲＣを伴うＰＤＣＣＨに対してデコードを試み、ＣＲＣが成功したＰＤＣＣＨを、自装置宛のＰＤＣＣＨとして検出する。
【００６６】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用されるユニークな（一意的な）識別子である。Ｃ−ＲＮＴＩは、動的にスケジュールされるユニキャスト送信のために利用される。
【００６７】
また、ＲＮＴＩには、Ｔｅｍｐｏｒａｒｙ  Ｃ−ＲＮＴＩが含まれる。Ｔｅｍｐｏｒａｒｙ  Ｃ−ＲＮＴＩは、ランダムアクセスプロシージャに対して使用される識別子である。例えば、端末装置２は、Ｔｅｍｐｏｒａｒｙ  Ｃ−ＲＮＴＩによってスクランブルされたＣＲＣが付加された上りリンクに関連するＤＣＩフォーマット（例えば、ＤＣＩフォーマット０）を、ＣＳＳのみでデコードしてもよい。また、端末装置２は、Ｔｅｍｐｏｒａｒｙ  Ｃ−ＲＮＴＩによってスクランブルされたＣＲＣが付加された下りリンクに関連するＤＣＩフォーマット（例えば、ＤＣＩフォーマット１Ａ）を、ＣＳＳおよびＵＳＳでデコードを試みてもよい。
【００６８】
また、基地局装置１は、ＤＣＩをＣＳＳで送信する場合、ＤＣＩ（ＤＣＩフォーマット）にＴｅｍｐｏｒａｒｙ  Ｃ−ＲＮＴＩまたはＣ−ＲＮＴＩでスクランブルしたＣＲＣパリティビットを付加し、ＤＣＩをＵＳＳで送信する場合、ＤＣＩ（ＤＣＩフォーマット）にＣ−ＲＮＴＩでスクランブルしたＣＲＣを付加してもよい。
【００６９】
物理上りリンク共用チャネル（Physical Uplink Shared Channel; PUSCH）は、主に上りリンクデータと上りリンク制御情報（Uplink Control Information; UCI）を送信するために用いられる。ＰＵＳＣＨで送信されるＵＣＩは、チャネル状態情報（CSI: Channel State Information）、および／または、ＡＣＫ／ＮＡＣＫを含む。また、ＰＵＳＣＨで送信されるＣＳＩは、アピリオディックＣＳＩ（A-CSI: Aperiodic CSI）とピリオディックＣＳＩ（P-CSI: Periodic CSI）を含む。また、下りリンクの場合と同様に物理上りリンク共用チャネルのリソース割り当て情報は、物理下りリンク制御チャネルで示される。また、ダイナミックスケジューリンググラントによってスケジュールされるＰＵＳＣＨは、上りリンクデータを伝送する。また、ランダムアクセスレスポンスグラントによってスケジュールされるＰＵＳＣＨは、ランダムアクセスに関連した自局の情報（例えば、端末装置２の識別情報、メッセージ３）を送信する。また、検出したグラントの種類に応じて、ＰＵＳＣＨでの送信に対する送信電力をセットするために使用されるパラメータが異なってもよい。なお、制御データは、チャネル品質情報（ＣＱＩおよび／またはＰＭＩ）、ＨＡＲＱ応答情報（ＨＡＲＱ−ＡＣＫ、ＨＡＲＱ−ＡＣＫ  ｒｅｓｐｏｎｓｅ）、およびＲＩという形で送信される。つまり、制御データは、上りリンク制御情報という形で送信される。
【００７０】
物理上りリンク制御チャネル（PUCCH: Physical Uplink Control Channel）は、物理下りリンク共用チャネルで送信された下りリンクデータの受信確認応答（ACK/NACK: Acknowledgement/Negative Acknowledgement）や下りリンクの伝搬路情報（チャネル状態情報）の通知、上りリンクのリソース割り当て要求（無線リソース要求）であるスケジューリングリクエスト（SR: Scheduling Request）を行なうために使用される。チャネル状態情報（CSI: Channel State Information）は、チャネル品質指標（CQI: Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各インディケータ（Indicator）は、インディケーション（Indication）と表記される場合もあるが、その用途と意味は同じである。また、送信するＵＣＩに応じて、ＰＵＣＣＨのフォーマットを切り替えてもよい。例えば、ＵＣＩがＨＡＲＱ応答情報および／またはＳＲから構成される場合、ＵＣＩはフォーマット１／１ａ／１ｂ／３のＰＵＣＣＨ（PUCCH format 1/1a/1b/3）で送信されてもよい。また、ＵＣＩがＣＳＩから構成される場合、ＵＣＩはフォーマット２／２ａ／２ｂのＰＵＣＣＨ（PUCCH format 2/2a/2b）で送信されてもよい。また、ＰＵＣＣＨフォーマット１／１ａ／１ｂには、ＳＲＳとの衝突を避けるために、１シンボル分パンクチャした短縮フォーマット（shortened format）とパンクチャしていない標準フォーマット（Normal format）がある。例えば、同じサブフレームでＰＵＣＣＨとＳＲＳの同時送信が有効である場合は、ＳＲＳサブフレームでＰＵＣＣＨフォーマット１／１ａ／１ｂは短縮フォーマットで送信される。同じサブフレームでＰＵＣＣＨとＳＲＳの同時送信が有効でない場合は、ＳＲＳサブフレームでＰＵＣＣＨフォーマット１／１ａ／１ｂは標準フォーマットで送信される。その際、ＳＲＳの送信が生じたとしてもＳＲＳは送信されなくてもよい。
【００７１】
ＣＳＩ報告（CSI report）には、周期的またはＣＳＩ報告をトリガーするためのイベント条件が満たされた場合に、チャネル状態情報を報告するピリオディックＣＳＩ報告と、ＤＣＩフォーマットに含まれているＣＳＩリクエストによって、ＣＳＩ報告が要求された場合にチャネル状態情報を報告するアピリオディックＣＳＩ報告がある。ピリオディックＣＳＩ報告は、ＰＵＣＣＨまたはＰＵＳＣＨで行なわれ、アピリオディックＣＳＩ報告は、ＰＵＳＣＨで行なわれる。端末装置２は、ＤＣＩフォーマットに含まれる情報（ＣＳＩリクエスト）に基づいて指示された場合、ＰＵＳＣＨで上りリンクデータを伴わないＣＳＩを送信することもできる。
【００７２】
上りリンク参照信号（UL-RS: Uplink Reference Signal）は、基地局装置１が、物理上りリンク制御チャネルＰＵＣＣＨおよび／または物理上りリンク共用チャネルＰＵＳＣＨを復調するために使用する復調参照信号（DMRS: Demodulation Reference Signal）と、基地局装置１が、主に、上りリンクのチャネル状態を推定するために使用するサウンディング参照信号（SRS: Sounding Reference Signal）が含まれる。また、サウンディング参照信号には、上位層によって周期的に送信するように設定される周期的サウンディング参照信号（P-SRS: Periodic SRS）と、下りリンク制御情報フォーマットに含まれるＳＲＳリクエストによって送信が要求される非周期的サウンディング参照信号（A-SRS: Aperiodic SRS）とがある。上りリンク参照信号は、上りリンクパイロット信号、上りリンクパイロットチャネルと呼称する場合もある。
【００７３】
なお、これらの上りリンク参照信号の系列は、擬似ランダム系列に基づいて生成されてもよい。また、これらの上りリンク参照信号の系列は、Ｚａｄｏｆｆ−Ｃｈｕ系列に基づいて生成されてもよい。また、これらの上りリンク参照信号の系列は、ゴールド系列に基づいて生成されてもよい。また、これらの上りリンク参照信号の系列は、擬似ランダム系列やＺａｄｏｆｆ−Ｃｈｕ系列、ゴールド系列の亜種・変形であってもよい。
【００７４】
また、周期的サウンディング参照信号をピリオディックサウンディング参照信号、トリガータイプ０サウンディング参照信号（Trigger Type 0 SRS）と呼称する場合もある。また、非周期的サウンディング参照信号をアピリオディックサウンディング参照信号、トリガータイプ１サウンディング参照信号（Trigger Type 1 SRS）と呼称する場合もある。
【００７５】
さらに、Ａ−ＳＲＳは、協調通信において、上りリンクのチャネル推定用に特化した信号（例えば、トリガータイプ１ａＳＲＳと呼称される場合もある）と、ＴＤＤにおけるチャネル相反性（channel reciprocity）を利用してチャネル状態（ＣＳＩ，ＣＱＩ，ＰＭＩ，ＲＩ）を基地局装置１に測定させるために使用される信号（例えば、トリガータイプ１ｂＳＲＳと呼称される場合もある）とに分けられてもよい。なお、ＤＭＲＳはＰＵＳＣＨとＰＵＣＣＨそれぞれに対応して、設定される。また、ＤＭＲＳは、ＰＵＳＣＨまたはＰＵＣＣＨと同じサブフレームで時間多重されて、送信される。
【００７６】
また、ＤＭＲＳは、ＰＵＳＣＨに対する場合とＰＵＣＣＨに対する場合で、時間多重方法が異なってもよい。例えば、ＰＵＳＣＨに対するＤＭＲＳは、７シンボルで構成される１スロット内に１シンボルだけ配置されるのに対して、ＰＵＣＣＨに対するＤＭＲＳは、７シンボルで構成される１スロット内に３シンボル配置される。
【００７７】
また、ＳＲＳは、上位層シグナリングによって種々のパラメータ（帯域幅、サイクリックシフト、送信サブフレームなど）が通知される。また、ＳＲＳは、上位層シグナリング（higher layer signaling）によって通知されるＳＲＳの設定に含まれる送信サブフレームに関する情報に基づいて、ＳＲＳを送信するサブフレームが決定される。送信サブフレームに関する情報には、セル固有に設定される情報（共有情報）と端末装置固有に設定される情報（専用情報、個別情報）とがある。セル固有に設定される情報には、セル内のすべての端末装置２が共有するＳＲＳが送信されるサブフレームを示す情報が含まれる。また、端末装置固有に設定される情報には、セル固有に設定されるサブフレームのサブセットとなるサブフレームオフセットと周期（periodicity）を示す情報が含まれる。これらの情報によって、端末装置２は、ＳＲＳを送信することができるサブフレーム（ＳＲＳサブフレーム、ＳＲＳ送信サブフレームと呼称する場合もある）を決定することができる。また、端末装置２は、セル固有に設定されたＳＲＳが送信されるサブフレームにおいて、ＰＵＳＣＨを送信する場合、ＳＲＳが送信されるシンボル分だけＰＵＳＣＨの時間リソースをパンクチャし、該時間リソースでＰＵＳＣＨを送信することができる。このことにより、端末装置２間のＰＵＳＣＨの送信とＳＲＳの送信の衝突を回避することができる。ＰＵＳＣＨを送信する端末装置２に対しては、特性劣化を防ぐことができる。また、ＳＲＳを送信する端末装置２に対しては、チャネル推定精度を確保することができる。ここで、端末装置固有に設定される情報は、Ｐ−ＳＲＳとＡ−ＳＲＳとで独立に設定されてもよい。
【００７８】
例えば、第１の上りリンク参照信号は、上位層シグナリングによって種々のパラメータが設定された場合に、設定された送信サブフレームに基づいて周期的に送信される。また、第２の上りリンク参照信号は、下りリンク制御情報フォーマットに含まれる第２の上りリンク参照信号の送信要求に関するフィールド（ＳＲＳリクエスト）によって、送信要求が指示される場合に、非周期的に送信される。端末装置２は、ある下りリンク制御情報フォーマットに含まれるＳＲＳリクエストがポジティブまたはポジティブに相当するインデックス（値）を示している場合、所定の送信サブフレームでＡ−ＳＲＳを送信する。また、端末装置２は、検出したＳＲＳリクエストがネガティブまたはネガティブに相当するインデックス（値）を示す場合、所定のサブフレームでＡ−ＳＲＳを送信しない。なお、セル固有に設定される情報（共有パラメータ、共有情報）は、システムインフォメーションまたは専用制御チャネル（DCCH: Dedicated Control Channel）を用いて通知される。また、端末装置固有に設定される情報（専用パラメータ、個別パラメータ、専用情報、個別情報）は、共有制御チャネル（CCCH: Common Control Channel）を用いて通知される。これらの情報は、ＲＲＣメッセージで通知されてもよい。ＲＲＣメッセージは、上位層によって通知されてもよい。
【００７９】
物理ランダムアクセスチャネル（PRACH: Physical Random Access Channel）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末装置２の基地局装置１へのアクセス手段として用いられる。端末装置２は、スケジューリング要求（SR: Scheduling Request）に対する物理上りリンク制御チャネル未設定時の無線リソース要求や、上りリンク送信タイミングを基地局装置の受信タイミングウィンドウに合わせるために必要な送信タイミング調整情報（タイミングアドバンス（TA: Timing Advance）とも呼称される）を基地局装置１に要求するために物理ランダムアクセスチャネルを用いる。
【００８０】
具体的には、端末装置２は、基地局装置１より設定された物理ランダムアクセスチャネル用の無線リソースを用いてプリアンブル系列を送信する。送信タイミング調整情報を受信した端末装置２は、報知情報によって共通的に設定される（またはレイヤー３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤー３メッセージは、端末装置２と基地局装置１の無線リソース制御（RRC: Radio Resource Control）層でやり取りされる制御平面（C-plane: Control-plane）のメッセージであり、ＲＲＣシグナリングまたはＲＲＣメッセージと同義の意味で使用される。また、ＲＲＣシグナリングは、上位層シグナリングや専用シグナリング（Dedicated signaling）と呼称する場合もある。
【００８１】
ランダムアクセスプロシージャには、コンテンションベースのランダムアクセスプロシージャ（Contention based Random Access procedure）とノンコンテンションベースのランダムアクセスプロシージャ（Non-contention based Random Access procedure）の２つのランダムアクセスプロシージャが含まれる。コンテンションベースのランダムアクセスプロシージャは、複数の端末装置２間で衝突が発生する可能性のあるランダムアクセスである。
【００８２】
また、ノンコンテンションベースのランダムアクセスプロシージャは、複数の端末装置２間で衝突が発生しないランダムアクセスである。
【００８３】
ノンコンテンションベースのランダムアクセスプロシージャは、３ステップから成り、下りリンクの専用シグナリング（Dedicated signaling）によって、ランダムアクセスプリアンブルアサインメント（Random Access Preamble assignment）が基地局装置１から端末装置２に通知される。その際、ランダムアクセスプリアンブルアサインメントは、基地局装置１が端末装置２に対してノンコンテンション用のランダムアクセスプリアンブルを割り当て、ハンドオーバに対するソース基地局装置（Source eNB）によって送信され、ターゲット基地局装置（Target eNB）によって生成されたハンドオーバコマンド、または、下りリンクデータアライバルの場合ＰＤＣＣＨによってシグナルされる。
【００８４】
そのランダムアクセスプリアンブルアサインメントを受信した端末装置２は、上りリンクにおいてＲＡＣＨでランダムアクセスプリアンブル（メッセージ１）を送信する。その際、端末装置２は、割り当てられたノンコンテンション用のランダムアクセスプリアンブルを送信する。
【００８５】
ランダムアクセスプリアンブルを受信した基地局装置１は、下りリンクデータ（DL-SCH: Downlink Shared Channel）でランダムアクセスレスポンスを端末装置２へ送信する。また、ランダムアクセスレスポンスで送信される情報には、ハンドオーバに対する最初の上りリンクグラント（ランダムアクセスレスポンスグラント）とタイミング調整情報（Timing Alignment information）、下りリンクデータアライバルに対するタイミング調整情報、ランダムアクセスプリアンブル識別子が含まれる。下りリンクデータは下りリンク共用チャネルデータ（ＤＬ−ＳＣＨデータ）と呼称される場合もある。
【００８６】
ここで、ノンコンテンションベースのランダムアクセスプロシージャは、ハンドオーバ、下りリンクデータアライバル、ポジショニングに対して適用される。コンテンションベースのランダムアクセスプロシージャは、ＲＲＣ_ＩＤＬＥからの初期アクセス、ＲＲＣコネクションの再確立、ハンドオーバ、下りリンクデータアライバル、上りリンクデータアライバルに対して適用される。
【００８７】
本実施形態に関わるランダムアクセスプロシージャは、コンテンションベースのランダムアクセスプロシージャである。コンテンションベースのランダムアクセスプロシージャの例を説明する。
【００８８】
端末装置２は、基地局装置１によって送信されたシステムインフォメーションブロックタイプ２（ＳＩＢ２）を取得する。ＳＩＢ２は、セル内における全ての端末装置２（または、複数の端末装置２）に対して共通の設定（共通の情報）である。例えば、該共通の設定には、ＰＲＡＣＨの設定が含まれる。
【００８９】
端末装置２は、ランダムアクセスプリアンブルの番号をランダムに選択する。また、端末装置２は、選択した番号のランダムアクセスプリアンブル（メッセージ１）を、ＰＲＡＣＨを用いて基地局装置１に送信する。基地局装置１は、ランダムアクセスプリアンブルを用いて上りリンクの送信タイミングを推定する。
【００９０】
基地局装置１は、ＰＤＳＣＨを用いてランダムアクセスレスポンス（メッセージ２）を送信する。ランダムアクセスレスポンスには、基地局装置１によって検出されたランダムアクセスプリアンブルに対する複数の情報が含まれる。例えば、該複数の情報には、ランダムアクセスプリアンブルの番号、Ｔｅｍｐｏｒａｒｙ  Ｃ−ＲＮＴＩ、ＴＡコマンド（Timing Advance Command）、および、ランダムアクセスレスポンスグラントが含まれる。
【００９１】
端末装置２は、ランダムアクセスレスポンスグラントを用いてスケジューリングされたＰＵＳＣＨで、上りリンクデータ（メッセージ３）を送信（初期送信）する。該上りリンクデータには、端末装置２を識別するための識別子（InitialUE-IdentityまたはC-RNTIを示す情報）が含まれる。
【００９２】
基地局装置１は、上りリンクデータの復号に失敗した場合、Ｔｅｍｐｏｒａｒｙ  Ｃ−ＲＮＴＩによってスクランブルされたＣＲＣパリティビットが付加されたＤＣＩフォーマットを用いて、上りリンクデータの再送信を指示する。端末装置２は、該ＤＣＩフォーマットによって上りリンクデータの再送信を指示された場合、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨで、同一の上りリンクデータを再送信する。
【００９３】
また、基地局装置１は、上りリンクデータの復号に失敗した場合、ＰＨＩＣＨ（ＮＡＣＫ）を用いて、上りリンクデータの再送信を指示することができる。端末装置２は、該ＮＡＣＫによって上りリンクデータの再送信を指示された場合、ＰＵＳＣＨで、同一の上りリンクデータを再送信する。
【００９４】
基地局装置１は、上りリンクデータの復号に成功し、上りリンクデータを取得することによって、何れの端末装置２がランダムアクセスプリアンブルおよび上りリンクデータの送信を行なっていたかを知ることができる。すなわち、基地局装置１は、上りリンクデータの復号に成功する前は、何れの端末装置２がランダムアクセスプリアンブルおよび上りリンクデータの送信を行なっているかを知ることはできない。
【００９５】
基地局装置１は、InitialUE-Identityを含むメッセージ３を受信した場合、受信したInitialUE-Identityに基づいて生成したコンテンションレゾリューション識別子（contention resolution identity）（メッセージ４）を、ＰＤＳＣＨを用いて端末装置２に送信する。端末装置２は、受信したコンテンションレゾリューション識別子と、送信したInitialUE-Identityがマッチした場合に、（１）ランダムアクセスプリアンブルのコンテンションレゾリューションに成功したとみなし、（２）Ｔｅｍｐｏｒａｒｙ  Ｃ−ＲＮＴＩの値をＣ−ＲＮＴＩにセットし、（３）Ｔｅｍｐｏｒａｒｙ  Ｃ−ＲＮＴＩを破棄し、（４）ランダムアクセスプロシージャが正しく完了したとみなす。
【００９６】
また、基地局装置１は、Ｃ−ＲＮＴＩを示す情報を含むメッセージ３を受信した場合、受信したＣ−ＲＮＴＩによってスクランブルされたＣＲＣパリティビットが付加されたＤＣＩフォーマット（メッセージ４）を、端末装置２に送信する。端末装置２は、Ｃ−ＲＮＴＩによってスクランブルされたＣＲＣパリティビットが付加されたＤＣＩフォーマットをデコードした場合に、（１）ランダムアクセスプリアンブルのコンテンションレゾリューションに成功したとみなし、（２）Ｔｅｍｐｏｒａｒｙ  Ｃ−ＲＮＴＩを破棄し、（３）ランダムアクセスプロシージャが正しく完了したとみなす。
【００９７】
すなわち、基地局装置１は、コンテンションベースのランダムアクセスプロシージャの一環として（as part of contention based random access procedure）、ランダムアクセスレスポンスグラントを用いて、ＰＵＳＣＨをスケジュールする。
【００９８】
端末装置２は、ランダムアクセスレスポンスグラントを用いてスケジュールされたＰＵＳＣＨで、上りリンクデータ（メッセージ３）を送信する。すなわち、端末装置２は、コンテンションベースのランダムアクセスプロシージャの一環として、ランダムアクセスレスポンスグラントに対応するＰＵＳＣＨでの送信を行なう。
【００９９】
また、基地局装置１は、コンテンションベースのランダムアクセスプロシージャの一環として、Ｔｅｍｐｏｒａｒｙ  Ｃ−ＲＮＴＩによってスクランブルされたＣＲＣが付加されたＤＣＩフォーマットを用いて、ＰＵＳＣＨをスケジュールする。また、基地局装置１は、コンテンションベースのランダムアクセスプロシージャの一環として、ＰＨＩＣＨ（ＮＡＣＫ）を用いて、ＰＵＳＣＨでの送信をスケジュール／指示する。
【０１００】
端末装置２は、Ｔｅｍｐｏｒａｒｙ  Ｃ−ＲＮＴＩによってスクランブルされたＣＲＣが付加されたＤＣＩフォーマットを用いてスケジュールされたＰＵＳＣＨで、上りリンクデータ（メッセージ３）を送信（再送信）する。また、端末装置２は、ＰＨＩＣＨの受信に応じて、スケジュールされたＰＵＳＣＨで、上りリンクデータ（メッセージ３）を送信（再送信）する。すなわち、端末装置２は、コンテンションベースのランダムアクセスプロシージャの一環として、同一の上りリンクデータ（トランスポートブロック）の再送信に対応するＰＵＳＣＨでの送信を行なう。
【０１０１】
以下、論理チャネルについて説明する。論理チャネルは、ＲＲＣメッセージや情報要素を伝送するために用いられる。また、論理チャネルは、トランスポートチャネルを介して、物理チャネルで送信される。
【０１０２】
報知制御チャネル（BCCH: Broadcast Control Channel）は、システム制御情報を報知するために用いられる論理チャネルである。例えば、システム情報や初期アクセスに必要な情報は、このチャネルを用いて送信される。ＭＩＢ（Master Information Block）やＳＩＢ１（System Information Block Type 1）は、この論理チャネルを用いて伝送される。
【０１０３】
共有制御チャネル（CCCH: Common Control Channel）は、ネットワークとＲＲＣコネクションを持たない端末装置とネットワーク間で制御情報を送信するために用いられる論理チャネルである。例えば、端末固有の制御情報や設定情報は、この論理チャネルを用いて送信される。
【０１０４】
専用制御チャネル（DCCH: Dedicated Control Channel）は、ＲＲＣコネクションを持つ端末装置２とネットワーク間を双方向で専用制御情報（個別制御情報）を送信するために用いられる論理チャネルである。例えば、セル固有の再設定情報は、この論理チャネルを用いて送信される。
【０１０５】
ＣＣＣＨやＤＣＣＨを用いるシグナリングをＲＲＣシグナリングと総称する場合もある。
【０１０６】
上りリンク電力制御に関する情報は、報知情報として通知される情報と、同じセル内の端末装置２間で共有される情報（共有情報）として通知される情報と、端末装置固有の専用情報として通知される情報と、がある。端末装置２は、報知情報として通知される情報のみ、または、報知情報／共有情報として通知される情報と、専用情報として通知される情報に基づいて送信電力をセットする。
【０１０７】
無線リソース制御設定共有情報は、報知情報（またはシステム情報）として通知されてもよい。また、無線リソース制御設定共有情報は、専用情報（モビリティ制御情報）として通知されてもよい。
【０１０８】
無線リソース設定は、ランダムアクセスチャネル（ＲＡＣＨ）設定、報知制御チャネル（ＢＣＣＨ）設定、ページング制御チャネル（ＰＣＣＨ）設定、物理ランダムアクセスチャネル（ＰＲＡＣＨ）設定、物理下りリンク共用チャネル（ＰＤＳＣＨ）設定、物理上りリンク共用チャネル（ＰＵＳＣＨ）設定、物理上りリンク制御チャネル（ＰＵＣＣＨ）設定、サウンディング参照信号（ＳＲＳ）設定、上りリンク電力制御に関する設定、上りリンクサイクリックプレフィックス長に関する設定などを含む。つまり、無線リソース設定は、物理チャネル／物理信号を生成するために用いられるパラメータを通知するために設定される。報知情報として通知される場合と再設定情報として通知される場合で、通知されるパラメータ（情報要素）は異なっていてもよい。
【０１０９】
種々の物理チャネル／物理信号（ＰＲＡＣＨ，ＰＵＣＣＨ，ＰＵＳＣＨ、ＳＲＳ，ＵＬ  ＤＭＲＳ、ＣＲＳ，ＣＳＩ−ＲＳ、ＰＤＣＣＨ、ＰＤＳＣＨ、ＰＳＳ／ＳＳＳ、ＵＥＲＳ，ＰＢＣＨ，ＰＭＣＨなど）に関するパラメータを設定するために必要な情報要素は、同一セル内の端末装置２間で共有する共有設定情報と、端末装置２毎に設定される専用設定情報で構成される。共有設定情報は、システムインフォメーションで送信されてもよい。また、共有設定情報は、再設定を行なう場合には、専用情報として送信されてもよい。これらの設定は、パラメータの設定を含む。パラメータの設定とは、パラメータの値の設定を含む。また、パラメータの設定とは、パラメータがテーブル管理されている場合、インデックスの値の設定を含む。
【０１１０】
上記物理チャネルのパラメータに関する情報は、ＲＲＣメッセージを用いて端末装置２へ送信される。つまり、端末装置２は、受信したＲＲＣメッセージに基づいて、各物理チャネルのリソース割り当てや送信電力を設定する。ＲＲＣメッセージには、報知チャネルに関するメッセージ、マルチキャストチャネルに関するメッセージ、ページングチャネルに関するメッセージ、下りリンクの各チャネルに関するメッセージ、上りリンクの各チャネルに関するメッセージなどがある。各ＲＲＣメッセージは、情報要素（IE: Information element）を含んで構成されてもよい。また、情報要素は、パラメータに相当する情報が含まれてもよい。なお、ＲＲＣメッセージは、メッセージと呼称される場合もある。また、メッセージクラスは、１つ以上のメッセージのセットである。メッセージには、情報要素が含まれてもよい。情報要素には、無線リソース制御に関する情報要素、セキュリティ制御に関する情報要素、モビリティ制御に関する情報要素、測定に関する情報要素、マルチメディアブロードキャストマルチキャストサービス（MBMS: Multimedia Broadcast Multicast Service）に関する情報要素などがある。また、情報要素には、下位の情報要素が含まれてもよい。情報要素は、パラメータとして設定されてもよい。また、情報要素は、１つ以上のパラメータを示す制御情報として定義されてもよい。
【０１１１】
情報要素（IE: Information Element）は、システムインフォメーション（SI: System Information）または専用シグナリング（Dedicated signaling）で種々のチャネル／信号／情報に対するパラメータを規定（指定、設定）するために使われる。また、ある情報要素は、１つ以上のフィールドを含む。情報要素は、１つ以上の情報要素で構成されてもよい。なお、情報要素に含まれるフィールドをパラメータと呼称する場合もある。つまり、情報要素は、１種類（１つ）以上のパラメータを含んでもよい。また、端末装置２は、種々のパラメータに基づいて無線リソース割り当て制御や上りリンク電力制御、送信制御等を行なう。また、システムインフォメーションは情報要素として定義されてもよい。
【０１１２】
情報要素を構成するフィールドには、情報要素が設定されてもよい。また、情報要素を構成するフィールドには、パラメータが設定されてもよい。
【０１１３】
ＲＲＣメッセージは、１つ以上の情報要素を含む。また、複数のＲＲＣメッセージがセットされたＲＲＣメッセージをメッセージクラスと呼称する。
【０１１４】
システムインフォメーションを用いて端末装置２に通知される上りリンク送信電力制御に関するパラメータには、ＰＵＳＣＨに対する標準電力、ＰＵＣＣＨに対する標準電力、伝搬路損失補償係数α、ＰＵＣＣＨフォーマット毎に設定される電力オフセットのリスト、プリアンブルとメッセージ３の電力オフセットがある。さらに、システムインフォメーションを用いて端末装置２に通知されるランダムアクセスチャネルに関するパラメータには、プリアンブルに関するパラメータ、ランダムアクセスチャネルの送信電力制御に係るパラメータ、ランダムアクセスプリアンブルの送信制御に係るパラメータがある。これらのパラメータは、初期アクセス時または無線リンク障害（RLF: Radio Link Failure）発生後の再接続／再確立時に使用される。
【０１１５】
送信電力を設定するために用いられる情報は、報知情報として端末装置２に通知されてもよい。また、送信電力を設定するために用いられる情報は、共有情報として端末装置２に通知されてもよい。また、送信電力を設定するために用いられる情報は、専用情報（個別情報）として端末装置２に通知されてもよい。
【０１１６】
（第１の実施形態）
以下、本発明の第１の実施形態について説明する。第１の実施形態における通信システムは、基地局装置１（以下、アクセスポイント、ポイント、送信ポイント、受信ポイント、セル、サービングセル、送信装置、受信装置、送信局、受信局、送信アンテナ群、送信アンテナポート群、受信アンテナ群、受信アンテナポート群、通信装置、通信端末、ｅＮｏｄｅＢとも呼称される）として、プライマリー基地局装置（マクロ基地局装置、第１の基地局装置、第１の通信装置、サービング基地局装置、アンカー基地局装置、マスター基地局装置、第１のアクセスポイント、第１のポイント、第１の送信ポイント、第１の受信ポイント、マクロセル、第１のセル、プライマリーセル、マスターセル、マスタースモールセルとも呼称される）を備える。なお、プライマリーセルとマスターセル（マスタースモールセル）は独立に構成されてもよい。さらに、第１の実施形態における通信システムは、セカンダリー基地局装置（ＲＲＨ（Remote Radio Head）、リモートアンテナ、張り出しアンテナ、分散アンテナ、第２のアクセスポイント、第２のポイント、第２の送信ポイント、第２の受信ポイント、参照点、小電力基地局装置（LPN: Low Power Node）、マイクロ基地局装置、ピコ基地局装置、フェムト基地局装置、スモール基地局装置、ローカルエリア基地局装置、ファントム基地局装置、家庭（屋内）向け基地局装置（Home eNodeB, Home NodeB, HeNB, HNB）、第２の基地局装置、第２の通信装置、協調基地局装置群、協調基地局装置セット、協調基地局装置、マイクロセル、ピコセル、フェムトセル、スモールセル、ファントムセル、ローカルエリア、第２のセル、セカンダリーセルとも呼称される）を備えてもよい。また、第１の実施形態に係る通信システムは、端末装置２（以下、移動局、移動局装置、移動端末、受信装置、送信装置、受信端末、送信端末、第３の通信装置、受信アンテナ群、受信アンテナポート群、送信アンテナ群、送信アンテナポート群、ユーザ装置、ユーザ端末（UE: User Equipment）とも呼称される）を備える。ここで、セカンダリー基地局装置は、複数のセカンダリー基地局装置として示されてもよい。例えば、プライマリー基地局装置とセカンダリー基地局装置は、ヘテロジーニアスネットワーク配置を利用して、セカンダリー基地局装置のカバレッジの一部または全てが、プライマリー基地局装置のカバレッジに含まれ、端末装置と通信が行なわれてもよい。
【０１１７】
また、第１の実施形態に係る通信システムは、基地局装置１と端末装置２とで構成される。単一の基地局装置１は、１つ以上の端末装置２を管理してもよい。また、単一の基地局装置１は、１つ以上のセル（サービングセル、プライマリーセル、セカンダリーセル、フェムトセル、ピコセル、スモールセル、ファントムセル）を管理してもよい。また、単一の基地局装置１は、１つ以上の周波数帯域（コンポーネントキャリア、キャリア周波数）を管理してもよい。また、単一の基地局装置１は、１つ以上の小電力基地局装置（LPN:Low Power Node）を管理してもよい。また、単一の基地局装置１は、１つ以上の家庭（屋内）向け基地局装置（HeNB: Home eNodeB）を管理してもよい。また、単一の基地局装置１は、１つ以上のアクセスポイントを管理してもよい。基地局装置１間は、有線（光ファイバ、銅線、同軸ケーブルなど）または無線（Ｘ２インタフェース、Ｘ３インタフェース、Ｘｎインタフェースなど）で接続されてもよい。つまり、複数の基地局装置１間では、光ファイバで高速（遅延なし）で通信してもよい（Ideal backhaul）し、Ｘ２インタフェースで低速で通信してもよい（Non ideal backhaul）。その際、端末装置２の種々の情報（設定情報やチャネル状態情報（CSI）、端末装置２の機能情報（UE capability）、ハンドオーバのための情報など）を通信してもよい。また、複数の基地局装置１は、ネットワークで管理されてもよい。また、単一の基地局装置１は、１つ以上の中継局装置（Relay）を管理してもよい。
【０１１８】
また、第１の実施形態に係る通信システムは、複数の基地局装置または小電力基地局装置または家庭用基地局装置で協調通信（CoMP: Coordination Multiple Points）を実現してもよい。つまり、第１の実施形態に係る通信システムは、端末装置２と通信を行なうポイント（送信ポイントおよび／または受信ポイント）をダイナミックに切り替えるダイナミックポイントセレクション（DPS: Dynamic Point Selection）を行なってもよい。また、第１の実施形態に係る通信システムは、協調スケジューリング（CS: Coordinated Scheduling）や協調ビームフォーミング（CB: Coordinated Beamforming）を行なってもよい。また、第１の実施形態に係る通信システムは、ジョイント送信（JT: Joint Transmission）やジョイント受信（JR: Joint Reception）を行なってもよい。
【０１１９】
また、近くに配置された複数の小電力基地局装置またはスモールセルは、クラスタリング（クラスター化、グループ化）されてもよい。クラスタリングされた複数の小電力基地局装置は、同じ設定情報を通知してもよい。また、クラスター化されたスモールセルの領域（カバレッジ）をローカルエリアと呼称する場合もある。
【０１２０】
下りリンク送信において、基地局装置１は、送信点（TP: Transmission Point）と呼称される場合もある。また、上りリンク送信において、基地局装置１は、受信点（RP: Reception Point）と呼称される場合もある。また、下りリンク送信点および上りリンク受信点は、下りリンクパスロス測定用のパスロス参照点（Pathloss Reference Point, Reference Point）になりうる。また、パスロス測定用の参照点は、送信点や受信点とは独立に設定されてもよい。
【０１２１】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。また、スモールセルやファントムセル、ローカルエリアセルはサービングセルに含まれてもよい。
【０１２２】
スモールセルを構成可能な基地局装置１は必要に応じて、間欠受信（DRX: Discrete Reception）や間欠送信（DTX: Discrete Transmission）を行なってもよい。また、スモールセルを構成可能な基地局装置１は、断続的または準静的に、一部の装置（例えば、送信部や受信部）の電源のオン／オフを行なってもよい。
【０１２３】
マクロセルを構成する基地局装置１とスモールセルを構成する基地局装置１とは、独立な識別子（ID: Identity, Identifier）が設定される場合がある。つまり、マクロセルとスモールセルの識別子は、独立に設定される場合がある。例えば、セル固有参照信号（CRS: Cell specific Reference Signal）がマクロセルおよびスモールセルから送信される場合、送信周波数および無線リソースが同じであっても、異なる識別子でスクランブルされる場合もある。マクロセルに対するセル固有参照信号は物理層セルＩＤ（PCI: Physical layer Cell Identity）でスクランブルされ、スモールセルに対するセル固有参照信号は仮想セルＩＤ（VCI: Virtual Cell Identity）でスクランブルされてもよい。マクロセルでは物理層セルＩＤ（PCI: Physical layer Cell Identity）でスクランブルされ、スモールセルではグローバルセルＩＤ（GCI: Global Cell Identity）でスクランブルされてもよい。マクロセルでは第１の物理レイヤセルＩＤでスクランブルされ、スモールセルでは第２の物理層セルＩＤでスクランブルされてもよい。マクロセルでは第１の仮想セルＩＤでスクランブルされ、スモールセルでは第２の仮想セルＩＤでスクランブルされてもよい。ここで、仮想セルＩＤは、物理チャネル／物理信号に設定されるＩＤであってもよい。また、仮想セルＩＤは、物理層セルＩＤとは独立に設定されるＩＤであってもよい。また、仮想セルＩＤは、物理チャネル／物理信号に用いられる系列のスクランブルに使用されるＩＤであってもよい。
【０１２４】
また、スモールセルまたはスモールセルとして設定されたサービングセルまたはスモールセルに対応するコンポーネントキャリアでは、一部の物理チャネル／物理信号が送信されなくてもよい。例えば、セル固有参照信号（CRS: Cell specific Reference Signal(s)）や物理下りリンク制御チャネル（PDCCH: Physical Downlink Control Channel）が送信されなくてもよい。また、スモールセルまたはスモールセルとして設定されたサービングセルまたはスモールセルに対応するコンポーネントキャリアでは、新しい物理チャネル／物理信号が送信されてもよい。
【０１２５】
以下では、１つまたは複数のＨＡＲＱ−ＡＣＫフィードバックビット｛oACKc,0, oACKc,1,…, oACKc,OACKc-1｝の構成を説明する。
【０１２６】
ＨＡＲＱ−ＡＣＫビットは上位層から各々のセルの各々のサブフレームにおいて受信される。各々の正の応答（ＡＣＫ）はビット値‘１’としてエンコードされ、各々の負の応答（ＮＡＣＫ）はビット値‘０’としてエンコードされる。上位層でＰＵＣＣＨフォーマット３が設定されＨＡＲＱ−ＡＣＫフィードバック情報の送信のために用いられる場合、ＨＡＲＱ−ＡＣＫフィードバックはサービングセルの各々におけるＨＡＲＱ−ＡＣＫビットの連結によって構成される。１つのコードワード送信モードのような、送信モード１、２、５、６、または、７が設定されたセルにおいて、１ビットのＨＡＲＱ−ＡＣＫ情報ａｋが前記セルにおいて用いられる。他の送信モード、すなわち２つ以上のコードワード送信モードが設定されたセルにおいて、２ビットのＨＡＲＱ−ＡＣＫ情報ａｋ，ａｋ+1がセルにおいて用いられる。ここで、ａｋがコードワード０に対応し、ａｋ＋１がコードワード１に対応する。
【０１２７】
ＨＡＲＱ−ＡＣＫフィードバックビット｛oACKc,0, oACKc,1,…, oACKc,OACKc-1｝は、サービングセルｃによって個別に領域が設定される。
【０１２８】
サービングセルｃ毎のＨＡＲＱ−ＡＣＫフィードバックビットは、符号化される前に全てのサービングセルで集約したＨＡＲＱ−ＡＣＫフィードバックビットのビット列に並び替えられる。全てのサービングセルで集約したＨＡＲＱ−ＡＣＫフィードバックビットは、サービングセルのインデックスの小さい順番から割当てられる。また、サービングセル毎の複数のＨＡＲＱ−ＡＣＫフィードバックビットは、受信した下りリンクグラントに含まれたＤＡＩの値の小さい順番から割当てられる。
【０１２９】
以下では、ＨＡＲＱプロセス（HARQ process）について説明する。
【０１３０】
ＰＤＳＣＨの再送処理は非同期型ＨＡＲＱ（ａｓｙｎｃｈｒｏｎｏｕｓ  ＨＡＲＱ）であり、下りリンクサブフレームとＰＤＳＣＨの再送タイミングとが独立で設定される。そのため、初送のＰＤＳＣＨと再送のＰＤＳＣＨを紐付けるために、ＨＡＲＱプロセス番号を用いる。基地局装置１はＨＡＲＱプロセス番号を前記再送のＰＤＳＣＨを示すＰＤＣＣＨに含まれるＤＣＩによって端末装置２に通知する。端末装置２は、前記ＤＣＩに含まれるＨＡＲＱプロセス番号から、バッファに保存されてＨＡＲＱプロセス番号に紐付けられたＰＤＳＣＨと前記再送ＰＤＳＣＨとをＨＡＲＱ合成を行う。ＨＡＲＱ合成は、チェイス合成法（chase combining、ＣＣ）やＩＲ法（incremental redundancy）などが用いられる。最大下りリンクＨＡＲＱプロセス数は、ＦＤＤで８、ＴＤＤで最大１５である。最大下りリンクＨＡＲＱプロセス数に伴い、ＨＡＲＱプロセス番号を通知するＤＣＩのビットフィールドは、ＦＤＤセルで３ビット、ＴＤＤで４ビット設定される。
【０１３１】
以下では、ＨＡＲＱ応答情報のＰＵＣＣＨリソースに関する処理または設定について説明する。ＨＡＲＱ応答情報は、制御チャネルの検出によって示されるＰＤＳＣＨ送信に対する応答情報、および、ＳＰＳ（semi-persistent scheduling）のリリース（解放、終了）を示す制御情報を含む制御チャネルに対する応答情報を含む。ＨＡＲＱ応答情報は、正常に受信したことを示すＡＣＫ、正常に受信できなかったことを示すＮＡＣＫ、および／または、送信されていない（受信していない）ことを示すＤＴＸを示す。
【０１３２】
端末装置２は、ＰＵＣＣＨおよび／またはＰＵＳＣＨを通じて、ＨＡＲＱ応答情報を基地局装置１に送信する。基地局装置１は、ＰＵＣＣＨおよび／またはＰＵＳＣＨを通じて、端末装置２からのＨＡＲＱ応答情報を受信する。これにより、基地局装置１は、端末装置２がＰＤＳＣＨまたは制御チャネルを正しく受信できたか否かが分かる。
【０１３３】
次に、基地局装置１に構成されるＰＵＣＣＨリソースに関して説明する。ＨＡＲＱ応答情報は、サイクリックシフトされた擬似ＣＡＺＡＣ（Ｃｏｎｓｔａｎｔ−Ａｍｐｌｉｔｕｄｅ  Ｚｅｒｏ−ＡｕｔｏＣｏｒｒｅｌａｔｉｏｎ）系列を用いてＳＣ−ＦＤＭＡサンプル領域に拡散され、さらに符号長が４の直交符号ＯＣＣ（Ｏｒｔｈｏｇｏｎａｌ  Ｃｏｖｅｒ  Ｃｏｄｅ）を用いてスロット内の４ＳＣ−ＦＤＭＡシンボルに拡散される。また、２つの符号により拡散されたシンボルは、２つの周波数が異なるＲＢにマッピングされる。こうして、ＰＵＣＣＨリソースは、サイクリックシフト量、直交符号および／またはマッピングされるＲＢの３つの要素により規定される。なお、ＳＣ−ＦＤＭＡサンプル領域におけるサイクリックシフトは、周波数領域で一様増加する位相回転で表現することもできる。
【０１３４】
ＰＵＣＣＨの送信に用いられる上りリンク制御チャネル領域（ＰＵＣＣＨ領域）は、所定数のＲＢペアであり、上りリンクシステム帯域幅に対して両端のＲＢペアを用いて構成される。ＰＵＣＣＨの送信に用いられる物理リソースは、第１スロットと第２スロットとで異なる周波数の２つのＲＢから構成される。ＰＵＣＣＨの送信に用いられる物理リソースは、ｍ（ｍ＝０、１、２、・・・）で表される。１つのＰＵＣＣＨは、いずれかのＰＵＣＣＨの送信に用いられる物理リソースに配置される。これにより、１つのＰＵＣＣＨが、異なる周波数のリソースを用いて送信されるため、周波数ダイバーシチ効果が得られる。
【０１３５】
ＰＵＣＣＨの送信のために用いられるリソースであるＰＵＣＣＨリソース（上りリンク制御チャネル論理リソース）は、直交符号、サイクリックシフト量、および／または周波数リソースを用いて規定される。例えば、ＰＵＣＣＨリソースを構成する要素は、ＯＣ０、ＯＣ１、ＯＣ２の３つの直交符号と、ＣＳ０、ＣＳ２、ＣＳ４、ＣＳ６、ＣＳ８、ＣＳ１０の６つのサイクリックシフト量と、周波数リソースを示すｍを想定した場合のＰＵＣＣＨリソースを用いることができる。ＰＵＣＣＨリソース（上りリンク制御チャネル論理リソース）を示すインデクスであるｎＰＵＣＣＨに対応して、直交符号とサイクリックシフト量とｍとの各組み合わせが一意に規定されている。ＰＵＣＣＨリソースを示すインデクスは、ＰＵＣＣＨリソース番号とも呼称される。なお、ｎＰＵＣＣＨと、直交符号とサイクリックシフト量とｍとの各組み合わせとの対応は一例であり、他の対応であってもよい。例えば、連続するｎＰＵＣＣＨ間で、サイクリックシフト量が変わるように対応させてもよいし、ｍが変わるように対応させてもよい。また、ＣＳ０、ＣＳ２、ＣＳ４、ＣＳ６、ＣＳ８、ＣＳ１０とは異なるサイクリックシフト量であるＣＳ１、ＣＳ３、ＣＳ５、ＣＳ７、ＣＳ９、ＣＳ１１を用いてもよい。また、ここではｍの値がＮＦ２以上の場合を示している。ｍがＮＦ２未満である周波数リソースは、チャネル状態情報のフィードバックのためのＰＵＣＣＨ送信に予約されたＮＦ２個の周波数リソースである。
【０１３６】
次に、ＨＡＲＱ応答情報の送信に用いられる送信モードについて説明する。ＨＡＲＱ応答情報は、様々な送信モード（送信方法）を規定される。ＨＡＲＱ応答情報の送信に用いられる送信モードは、基地局装置１に固有の情報または設定、端末装置２に固有の情報または設定、および／または、ＨＡＲＱ応答情報に対応するＰＤＣＣＨに関する情報、上位層の設定などによって、決定される。ＨＡＲＱ応答情報の送信に用いられる送信モードは、ＨＡＲＱ応答情報バンドリング（HARQ-ACK bundling）、ＨＡＲＱ応答情報多重（HARQ-ACK multiplexing）である。
【０１３７】
ある上りリンクサブフレームにおいて、複数のＨＡＲＱ応答情報が送信される場合がある。ある上りリンクサブフレームで送信されるＨＡＲＱ応答情報の数は、１つのＰＤＳＣＨで送信されるコードワード（トランスポートブロック）の数、サブフレーム設定、および／または、キャリアアグリゲーションの設定によって決定される。例えば、１つのＰＤＳＣＨはＭＩＭＯ（Multi Input Multi Output）送信により、最大２つのコードワードを送信することができ、それぞれのコードワードに対してＨＡＲＱ応答情報が生成される。また、例えば、ＴＤＤにおいて、サブフレームの種類は、サブフレーム設定に基づいて決定される。そのため、ある上りリンクサブフレームにおいて、複数の下りリンクサブフレームにおけるＰＤＳＣＨ送信に対するＨＡＲＱ応答情報を送信する場合、それぞれの下りリンクサブフレームにおけるＰＤＳＣＨのコードワードに対する複数のＨＡＲＱ応答情報が生成される。また、例えば、複数のセルによりキャリアアグリゲーションが設定される場合、それぞれのセルで送信されるＰＤＳＣＨのコードワードに対する複数のＨＡＲＱ応答情報が生成される。
【０１３８】
ある上りリンクサブフレームにおいて、複数のＨＡＲＱ応答情報が送信される場合、それらのＨＡＲＱ応答情報は、ＨＡＲＱ応答情報バンドリングおよび／またはＨＡＲＱ応答情報多重を用いて送信される。
【０１３９】
ＨＡＲＱ応答情報バンドリングは、複数のＨＡＲＱ応答情報に対して論理積演算を行う。ＨＡＲＱ応答情報バンドリングは様々な単位で行うことができる。例えば、ＨＡＲＱ応答情報バンドリングは、複数の下りリンクサブフレームにおける全てのコードワードに対して行われる。ＨＡＲＱ応答情報バンドリングは、１つの下りリンクサブフレーム内の全てのコードワードに対して行われる。特に、１つのサービングセル内の１つの下りリンクサブフレーム内の全てのコードワードに対してＨＡＲＱ応答情報バンドリングを行うことを空間ＨＡＲＱ応答情報バンドリングとも呼称される。ＨＡＲＱ応答情報バンドリングは、ＨＡＲＱ応答情報の情報量を削減できる。ＨＡＲＱ応答情報多重は、複数のＨＡＲＱ応答情報に対して多重を行う。なお、ＨＡＲＱ応答情報バンドリングを行った情報がさらに多重されてもよい。なお、以下の説明では、ＨＡＲＱ応答情報バンドリングを行った情報は、単にＨＡＲＱ応答情報とも呼称される。
【０１４０】
また、ＨＡＲＱ応答情報を送信するＰＵＣＣＨは、複数種類のフォーマットを規定することができる。ＨＡＲＱ応答情報を送信するＰＵＣＣＨのフォーマットは、ＰＵＣＣＨフォーマット１ａ、ＰＵＣＣＨフォーマット１ｂ、チャネル選択を行うＰＵＣＣＨフォーマット１ｂ（PUCCH 1b with channel selection）、ＰＵＣＣＨフォーマット３などである。ＨＡＲＱ応答情報の送信に用いられる送信モードは、送信するＰＵＣＣＨフォーマットも含まれる。
【０１４１】
ＰＵＣＣＨフォーマット１ａは、１ビットのＨＡＲＱ応答情報を送信するために用いられるＰＵＣＣＨフォーマットである。ＰＵＣＣＨフォーマット１ａでＨＡＲＱ応答情報が送信される場合、１つのＰＵＣＣＨリソースが割り当てられ、ＨＡＲＱ応答情報はそのＰＵＣＣＨリソースを用いて送信される。
【０１４２】
ＰＵＣＣＨフォーマット１ｂは、２ビットのＨＡＲＱ応答情報を送信するために用いられるＰＵＣＣＨフォーマットである。ＰＵＣＣＨフォーマット１ｂでＨＡＲＱ応答情報が送信される場合、１つのＰＵＣＣＨリソースが割り当てられ、ＨＡＲＱ応答情報はそれらのＰＵＣＣＨリソースを用いて送信される。
【０１４３】
チャネル選択を行うＰＵＣＣＨフォーマット１ｂは、２、３または４つのＨＡＲＱ応答情報を送信するために用いられるＰＵＣＣＨフォーマットである。２、３または４つのＨＡＲＱ応答情報を送信するために用いられるＰＵＣＣＨフォーマットは、それぞれ２、３または４つのＰＵＣＣＨリソース（チャネル）が設定される。チャネル選択は、設定された複数のＰＵＣＣＨリソースのいずれかを選択し、選択されたＰＵＣＣＨリソースが情報の一部として用いられる。さらに、その選択されたＰＵＣＣＨリソースで送信できる２ビットの情報も情報の一部として用いられる。その２ビットの情報は、ＱＰＳＫ変調されるため、１つのシンボルとして送信される。すなわち、チャネル選択を行うＰＵＣＣＨフォーマット１ｂでは、２、３または４つのＨＡＲＱ応答情報は、設定された複数のＰＵＣＣＨリソースの中から選択されたＰＵＣＣＨリソースと、その選択されたＰＵＣＣＨリソースで送信できる２ビットの情報との、組み合わせを用いて、送信される。その組み合わせと、それぞれのＨＡＲＱ応答情報は、予め規定される。また、ＨＡＲＱ応答情報は、ＡＣＫ、ＮＡＣＫ、ＤＴＸ、またはＮＡＣＫ／ＤＴＸである。ＮＡＣＫ／ＤＴＸは、ＮＡＣＫまたはＤＴＸを示す。例えば、キャリアアグリゲーションが設定されない場合、２、３または４つのＨＡＲＱ応答情報は、それぞれ２、３または４つの下りリンクサブフレームで送信されるＰＤＳＣＨ送信に対するＨＡＲＱ応答情報である。
【０１４４】
ＰＵＣＣＨフォーマット３は、最大２０ビットのＨＡＲＱ応答情報を送信するために用いられるＰＵＣＣＨフォーマットである。ＰＵＣＣＨフォーマット３における１つのＰＵＣＣＨリソースが設定される。ＰＵＣＣＨフォーマット３における１つのＰＵＣＣＨリソースは、最大２０ビットのＨＡＲＱ応答情報を送信する。ＰＵＣＣＨフォーマット１ａ／１ｂにおけるＰＵＣＣＨリソースと、ＰＵＣＣＨフォーマット３におけるＰＵＣＣＨリソースとは、独立である。例えば、基地局装置１は、ＰＵＣＣＨフォーマット１ａ／１ｂにおけるＰＵＣＣＨリソースと、ＰＵＣＣＨフォーマット３におけるＰＵＣＣＨリソースとが、それぞれ異なる物理リソース（すなわち、ＰＵＣＣＨの送信に用いられる物理リソースを構成する２つのＲＢ）を用いて構成されるように、設定することが好ましい。
【０１４５】
ＨＡＲＱ応答情報がＰＵＣＣＨで送信される場合、ＨＡＲＱ応答情報は明示的および／または黙示的に設定されるＰＵＣＣＨリソースにマッピングされ送信される。ＨＡＲＱ応答情報の送信に用いられるＰＵＣＣＨリソースは、基地局装置１に固有の情報または設定、端末装置２に固有の情報または設定、および／または、ＨＡＲＱ応答情報に対応するＰＤＣＣＨまたはＥＰＤＣＣＨに関する情報などによって、一意に決定される。例えば、ＨＡＲＱ応答情報の送信に用いられるＰＵＣＣＨリソースを示すＰＵＣＣＨリソース番号は、それらの情報に含まれるパラメータおよび／またはそれらの情報から得られるパラメータと、所定の方法（演算）とを用いて、算出される。
【０１４６】
通常のＦＤＤセル（例えば、キャリアアグリゲーションを行わないＦＤＤセルや、ＦＤＤセルとのみキャリアアグリゲーションを行うＦＤＤセル）では、下りリンクコンポーネントキャリアにおいて送信したＰＤＳＣＨ、または、サブフレームｎ−４における下りリンクＳＰＳ（Semi-Persistent Scheduling）の開放（ＳＰＳリリース）を示すＰＤＣＣＨに対応するＨＡＲＱ応答情報は、下りリンクコンポーネントキャリアに対応する上りリンクコンポーネントキャリアによって送信される。サブフレームｎに配置された前記ＰＤＳＣＨに対応するＨＡＲＱ応答情報は、サブフレームｎ＋４に配置されたＰＵＣＣＨ／ＰＵＳＣＨによって送信される。すなわち、端末装置２は、あるサブフレームにおいてＰＤＳＣＨを受信後、前記ＰＤＳＣＨに対応するＨＡＲＱ応答情報を４サブフレーム後のＰＵＣＣＨ／ＰＵＳＣＨによって基地局に送信する。これにより、基地局は送信した前記ＰＤＳＣＨに対応するＨＡＲＱ応答情報を端末装置２から受信し、ＡＣＫ／ＮＡＣＫの情報に基づいて前記ＰＤＳＣＨを再送するか否かを判断することができる。
【０１４７】
すなわち、ＦＤＤセルにおいて、端末装置２に１つのサービングセルが設定された場合、もしくは、端末装置２に１つより多くのサービングセルが設定され、プライマリーセルがＦＤＤセルである場合、端末装置２は、サブフレームｎ−４で、端末装置２を対象とし、かつ、ＨＡＲＱ応答情報が与えられるＰＤＳＣＨ送信の検出にあたり、サブフレームｎで前記ＨＡＲＱ応答情報を送信する。
【０１４８】
一方、通常のＴＤＤセル（例えば、キャリアアグリゲーションを行わないＴＤＤセルや、ＴＤＤセルとのみキャリアアグリゲーションを行うＴＤＤセル）では、下りリンクサブフレームの４サブフレーム後に上りリンクサブフレームが必ず設定されるとは限らない。そのため、下りリンクサブフレームに対応する上りリンクサブフレームが定義される。ＰＤＣＣＨまたはＥＰＤＣＣＨによって示されるＰＤＳＣＨ送信におけるＨＡＲＱ応答情報多重の詳細の一例は、図６に示す下りリンク関連付けセット（Downlink association set）を用いる。図６は、下りリンク関連付けセットのインデックスＫ：｛ｋ０、ｋ１、．．．、ｋＭ−１｝の一例を示す図である。サブフレームｎで配置されるＰＵＣＣＨ／ＰＵＳＣＨに含まれるＨＡＲＱ応答情報は、サブフレームｎ−ｋｉにおける関連するＰＤＣＣＨの検出によって示されるＰＤＳＣＨ、または、サブフレームｎ−ｋｉにおける下りリンクＳＰＳの開放を示すＰＤＣＣＨに対応する。言い換えると、サブフレームｎでＰＤＣＣＨの検出によって示されるＰＤＳＣＨ、または、下りリンクＳＰＳの開放を示すＰＤＣＣＨに対応するＨＡＲＱ応答情報は、サブフレームｎ＋ｋｉでＰＵＣＣＨ／ＰＵＳＣＨに含んで送信される。
【０１４９】
すなわち、ＴＤＤセルにおいて、端末装置２に１つのサービングセルが設定される場合、もしくは、端末装置２に１つより多くのサービングセルが設定され、全てのＵＬ−ＤＬ設定が同じ場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図６によって定義される。
【０１５０】
図４は、ＴＤＤセルにおけるＰＤＣＣＨによって示されるＰＤＳＣＨ送信におけるＨＡＲＱ応答情報多重の一例を示す図である。図４では、チャネル選択を行うＰＵＣＣＨフォーマット１ｂを用いて、４つの下りリンクサブフレーム（４ビット）に対するＨＡＲＱ応答情報が送信される場合において、ＨＡＲＱ応答情報多重のために用いられるＰＵＣＣＨリソースが示されている。また、ある上りリンクサブフレームｎにおいて、サブフレームｎ−ｋｉから引き出されるＰＵＣＣＨリソースが示される。ここで、サブフレームｎ−ｋｉは、サブフレームｎに対してｋｉ個前のサブフレームを示す。また、ＨＡＲＱ応答情報多重するサブフレーム（ビット）の数がＭであるとすると、ｉは０以上でありＭ−１以下の整数である。つまり、図４では、サブフレームｎにおいて、４つの下りリンクサブフレーム（サブフレームｎ−ｋ０、サブフレームｎ−ｋ１、サブフレームｎ−ｋ２、および、サブフレームｎ−ｋ３）から引き出されるＰＵＣＣＨリソースを用いて、４ビットのＨＡＲＱ応答情報が送信される。また、Ｍの値と、ｋｉの値は、サブフレームｎの番号と、サブフレーム設定とで規定される。ここで、ｎ−ｋ（ｋはＫに含まれる各ｋｉ）で表現されるサブフレームの集合を含む時間窓をバンドリングウィンドウと呼称することができる。バンドリングウィンドウ内のサブフレーム数とはＭであり，バンドリングウィンドウ内のサブフレームとはサブフレームｎ−ｋ０からサブフレームｎ−ｋＭ−１を意味する。バンドリングウィンドウのサイズ（時間長）は、対応する上りリンクサブフレームを有するサブフレームｎに応じて異なることができる。また、バンドリングウィンドウのサイズはＴＤＤのサブフレーム構成（ＵＬ／ＤＬコンフィグレーション）に応じで異なることができる。
【０１５１】
なお、ＦＤＤセルは、ＴＤＤセルにおけるＰＤＣＣＨによって示されるＰＤＳＣＨ送信におけるＨＡＲＱ応答情報多重と同様に定義し直すと、全てのサブフレームｎのＭの値は１であり、全てのサブフレームｎにｋ０が定義され、全てのｋ０が４である、下りリンク関連セットＫとして書き直すことができる。
【０１５２】
ＰＤＣＣＨによって示されるＰＤＳＣＨ送信におけるＨＡＲＱ応答情報のために用いられるＰＵＣＣＨリソースは、少なくとも、上位層で設定されるパラメータN(1)PUCCHと、そのＨＡＲＱ応答情報に関連するＰＤＣＣＨの送信のために用いられる最初のＣＣＥ番号nCCEとに基づいて決定される。また、図４に示すように、ＰＤＣＣＨによって示されるＰＤＳＣＨ送信におけるＨＡＲＱ応答情報のために用いられるＰＵＣＣＨリソースのインデックスは、それぞれのサブフレームにおいて、nCCEがマッピングされるＯＦＤＭシンボルの順に与えられる。すなわち、ＨＡＲＱ応答情報多重するサブフレーム間で、ブロックインタリーブが行われる。これにより、ＰＤＣＣＨがマッピングできる領域であるＰＤＣＣＨ領域を構成するＯＦＤＭシンボル数がサブフレーム毎に設定できるため、ＰＵＣＣＨリソースを前方に集められる可能性が高くなる。そのため、ＨＡＲＱ応答情報のために用いられるＰＵＣＣＨリソースが効率的に用いられる。
【０１５３】
図５は、ＥＰＤＣＣＨによって示されるＰＤＳＣＨ送信におけるＨＡＲＱ応答情報多重の一例を示す図である。図５では、チャネル選択を行うＰＵＣＣＨフォーマット１ｂを用いて、４つの下りリンクサブフレーム（４ビット）に対するＨＡＲＱ応答情報が送信される場合において、ＨＡＲＱ応答情報多重のために用いられるＰＵＣＣＨリソースが示されている。また、ある上りリンクサブフレームｎにおいて、サブフレームｎ−ｋｉから引き出されるＰＵＣＣＨリソースが示される。ここで、サブフレームｎ−ｋｉは、サブフレームｎに対してｋｉ個前のサブフレームを示す。また、ＨＡＲＱ応答情報多重するサブフレーム（ビット）の数がＭであるとすると、ｉは０以上でありＭ−１以下の整数である。つまり、図５では、サブフレームｎにおいて、４つの下りリンクサブフレーム（サブフレームｎ−ｋ０、サブフレームｎ−ｋ１、サブフレームｎ−ｋ２、および、サブフレームｎ−ｋ３）から引き出されるＰＵＣＣＨリソースを用いて、４ビットのＨＡＲＱ応答情報が送信される。また、Ｍの値と、ｋｉの値は、サブフレームｎの番号と、サブフレーム設定とで規定される。
【０１５４】
ＥＰＤＣＣＨによって示されるＰＤＳＣＨ送信におけるＨＡＲＱ応答情報のために用いられるＰＵＣＣＨリソースは、少なくとも、上位層で設定されるパラメータN(e1)PUCCHと、そのＨＡＲＱ応答情報に関連するＥＰＤＣＣＨの送信のために用いられる最初のＣＣＥ番号nECCEとに基づいて決定される。また、図５に示すように、ＥＰＤＣＣＨによって示されるＰＤＳＣＨ送信におけるＨＡＲＱ応答情報のために用いられるＰＵＣＣＨリソースのインデックスは、サブフレームｎ−ｋ０にマッピングされるＥＰＤＣＣＨから順に与えられる。
【０１５５】
以下では、ＰＤＣＣＨまたはＥＰＤＣＣＨによって示されるＰＤＳＣＨ送信におけるＨＡＲＱ応答情報多重の詳細を説明する。
【０１５６】
ＰＤＣＣＨまたはＥＰＤＣＣＨによって示されるＰＤＳＣＨ送信におけるＨＡＲＱ応答情報多重の詳細の一例は、図６に示す下りリンク関連付けセット（Downlink association set）と、図７に示すＨＡＲＱ応答情報の送信に用いられるＰＵＣＣＨリソースの演算とを用いる。図６は、下りリンク関連付けセットのインデックスＫ：｛ｋ０、ｋ１、．．．、ｋＭ−１｝の一例を示す図である。図７は、ＨＡＲＱ応答情報の送信に用いられるＰＵＣＣＨリソースを与える数式の一例を示す図である。
【０１５７】
１よりも大きいＭを有するサブフレームｎでＨＡＲＱ応答情報多重を行う場合において、サブフレームｎ−ｋｉから引き出されるＰＵＣＣＨリソースであるn(1)PUCCH,iと、サブフレームｎ−ｋｉからのACK/NACK/DTXの応答であるHARQ-ACK(i)とは、以下のように示される。ただし、Ｍは、図６によって定義されるセットＫの中のエレメントの数である。Ｍは、多重を行うＨＡＲＱ応答情報に基づく数である。また、ｋｉはセットＫに含まれ、ｉは０以上Ｍ−１以下である。例えば、上りリンク−下りリンク設定が２である場合、サブフレーム２におけるセットＫは｛８、７、４、６｝であり、Ｍは４であり、ｋ０は８であり、ｋ１は７であり、ｋ２は４であり、ｋ３は６である。
【０１５８】
サブフレームｎ−ｋｉにおける関連するＰＤＣＣＨの検出によって示されるＰＤＳＣＨ送信、または、サブフレームｎ−ｋｉにおける下りリンクＳＰＳ（Semi-Persistent Scheduling）の開放（ＳＰＳリリース）を示すＰＤＣＣＨに対するＰＵＣＣＨリソースは、図７の数式（ａ）によって与えられる。ただし、nCCE,iはサブフレームｎ−ｋｉの中で関連するＰＤＣＣＨの送信のために用いられる最初のＣＣＥの番号（インデックス）であり、N(1)PUCCHは上位層で設定されるパラメータである。また、NDLRBは下りリンクにおけるリソースブロック数であり、NRBscはリソースブロック当たりのサブキャリア数である。
【０１５９】
また、サブフレームｎ−ｋｉにおける関連するＥＰＤＣＣＨの検出によって示されるＰＤＳＣＨ送信、または、サブフレームｎ−ｋｉにおける下りリンクＳＰＳ（Semi-Persistent Scheduling）の開放（ＳＰＳリリース）を示すＥＰＤＣＣＨに対するＰＵＣＣＨリソースは、図７の数式（ｂ−１）および数式（ｂ−２）によって与えられる。ＥＰＤＣＣＨセット（EPDCCH-PRB-set）ｑが分散送信に設定される場合、ＰＵＣＣＨリソースは図７の数式（ｂ−１）が用いられる。ＥＰＤＣＣＨセット（EPDCCH-PRB-set）ｑが局所送信に設定される場合、ＰＵＣＣＨリソースは図７の数式（ｂ−２）が用いられる。ただし、nECCE,qはサブフレームｎ−ｋｉでありＥＰＤＣＣＨセットｑの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,qはＥＰＤＣＣＨセットｑにおいて、上位層で設定されるパラメータである。NECCE,qRBはサブフレームｎ−ｋｉにおいて、ＥＰＤＣＣＨセットｑのために設定されるリソースブロックの総数である。
【０１６０】
すなわち、サブフレームｎにおいて、Ｍ個のＰＵＣＣＨリソースが与えられる。そのＭ個のＰＵＣＣＨリソースは、チャネル選択を行うＰＵＣＣＨフォーマット１ｂのＰＵＣＣＨの送信に用いられる。例えば、上りリンク−下りリンク設定が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０１６１】
ここで、図６に示す下りリンク関連付けセット内のセットＫのそれぞれが示すサブフレームは、下りリンクサブフレーム、スペシャルサブフレームおよび／またはフレキシブルサブフレームである。これにより、下りリンクサブフレームおよびスペシャルサブフレームに加えて、フレキシブルサブフレームが設定され得る場合でも、下りリンクサブフレーム、スペシャルサブフレームおよび／またはフレキシブルサブフレームで送信されるＰＤＳＣＨに対するＨＡＲＱ応答情報が効率的に送信されることが可能になる。
【０１６２】
以下では、上りリンク参照ＵＬ−ＤＬ設定（上りリンク参照ＵＬ／ＤＬ設定、UL-reference UL/DL configuration）と下りリンク参照ＵＬ−ＤＬ設定（下りリンク参照ＵＬ／ＤＬ設定、DL-reference UL/DL configuration）について説明する。
【０１６３】
基地局装置１または端末装置２は、ある条件を満たすと、一方を上りリンク参照ＵＬ−ＤＬ設定として設定し、もう一方を下りリンク参照ＵＬ−ＤＬ設定として設定してもよい。例えば、端末装置２は、第１の設定に関する情報と第２の設定に関する情報の２つを受信してから上りリンク参照ＵＬ−ＤＬ設定と下りリンク参照ＵＬ−ＤＬ設定に設定してもよい。なお、上りリンクに関連するＤＣＩフォーマット（例えば、ＤＣＩフォーマット０／４）は、上りリンク参照ＵＬ−ＤＬ設定で設定されている下りリンクサブフレームで送信されてもよい。
【０１６４】
また、上りリンク参照ＵＬ−ＤＬ設定と下りリンク参照ＵＬ−ＤＬ設定は同じテーブルを使用してそれぞれ設定されてもよい。ただし、同じテーブルに基づいて上りリンク参照ＵＬ−ＤＬ設定と下りリンク参照ＵＬ−ＤＬ設定のインデックスが設定される場合、上りリンク参照ＵＬ−ＤＬ設定と下りリンク参照ＵＬ−ＤＬ設定は異なるインデックスで設定されることが好ましい。つまり、上りリンク参照ＵＬ−ＤＬ設定と下りリンク参照ＵＬ−ＤＬ設定は、異なるサブフレームパターンが設定されることが好ましい。
【０１６５】
また、１つのサービングセルに対して上りリンク参照ＵＬ−ＤＬ設定と下りリンク参照ＵＬ−ＤＬ設定は独立に設定できる。また、１つのサービングセルに対して、該サービングセルのＰＤＣＣＨ／ＥＰＤＣＣＨから該サービングセルのＰＤＳＣＨ／ＰＵＳＣＨをスケジューリングするセルフスケジューリング（self scheduling）と、該サービングセルとは異なるサービングセルのＰＤＣＣＨ／ＥＰＤＣＣＨから該サービングセルのＰＤＳＣＨ／ＰＵＳＣＨをスケジューリングするクロスキャリアスケジューリング（cross carrier scheduling）とで、個別に上りリンク参照ＵＬ−ＤＬ設定と下りリンク参照ＵＬ−ＤＬ設定を設定できる。
【０１６６】
１つのサービングセル（プライマリーセル、セカンダリーセル）に対して、複数のＴＤＤ  ＵＬ／ＤＬ設定が示される場合には、条件に応じて、何れか一方を上りリンク参照ＵＬ−ＤＬ設定として設定し、もう一方を下りリンク参照ＵＬ−ＤＬ設定として設定してもよい。なお、上りリンク参照ＵＬ−ＤＬ設定は、少なくとも物理下りリンク制御チャネルが配置されるサブフレームと前記物理下りリンク制御チャネルが対応する物理上りリンク共用チャネルが配置されるサブフレームとの対応を決定するために用いられ、実際の信号の送信方向（つまり、上りリンクまたは下りリンク）とは異なってもよい。下りリンク参照ＵＬ−ＤＬ設定は、少なくとも物理下りリンク共用チャネルが配置されるサブフレームと前記物理下りリンク共用チャネルに対応するＨＡＲＱ応答情報が送信されるサブフレームとの対応を決定するために用いられ、実際の信号の送信方向（つまり、上りリンクまたは下りリンク）とは異なっても構わない。すなわち、上りリンク参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する上りリンク参照ＵＬ−ＤＬ設定およびセカンダリーセルに対する上りリンク参照ＵＬ−ＤＬ設定が同じ場合は、２つのサービングセルのそれぞれにおいて、対応する上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。また、下りリンク参照ＵＬ−ＤＬ設定は、ＰＤＳＣＨが配置されるサブフレームｎと前記ＰＤＳＣＨに対応するＨＡＲＱ応答情報が送信されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する下りリンク参照ＵＬ−ＤＬ設定およびセカンダリーセルに対する下りリンク参照ＵＬ−ＤＬ設定が同じ場合は、２つのサービングセルのそれぞれにおいて、対応する下りリンク参照ＵＬ−ＤＬ設定が、ＰＤＳＣＨが配置されるサブフレームｎと前記ＰＤＳＣＨに対応するＨＡＲＱ応答情報が送信されるサブフレームｎ＋ｋとの対応を特定（選択、決定）するために用いられる。
【０１６７】
下りリンク参照ＵＬ−ＤＬ設定が端末装置２に設定される一例として、２つ以上のＴＤＤセルが端末装置２に設定され、少なくとも２つのサービングセルのＵＬ−ＤＬ設定が異なって設定される場合である。このとき、プライマリーセルかセカンダリーセルかと図１０で定義されたセット番号とプライマリーセルＵＬ−ＤＬ設定とセカンダリーセルＵＬ−ＤＬ設定のペアとの組み合わせから、そのサービングセルの下りリンク参照ＵＬ−ＤＬ設定が決定される。このとき、サブフレームｎで配置されるＰＵＣＣＨ／ＰＵＳＣＨに含まれるＨＡＲＱ応答情報は、サブフレームｎ−ｋにおける関連するＰＤＣＣＨの検出によって示されるＰＤＳＣＨ、または、サブフレームｎ−ｋにおける下りリンクＳＰＳの開放を示すＰＤＣＣＨに対応する。ここで、ｋは前記下りリンク参照ＵＬ−ＤＬ設定から図６で定義された値を用いて対応付けが行われる。
【０１６８】
すなわち、ＴＤＤセルにおいて、端末装置２に１つよりも多くサービングセルが設定され、少なくとも２つのサービングセルが異なるＵＬ−ＤＬ設定を有し、そして該サービングセルがプライマリーセルである場合に、プライマリーセルのＵＬ−ＤＬ設定は該サービングセルに対する下りリンク参照ＵＬ−ＤＬ設定である。
【０１６９】
すなわち、ＴＤＤセルにおいて、端末装置２に１つよりも多くサービングセルが設定され、少なくとも２つのサービングセルが異なるＵＬ−ＤＬ設定を有し、該サービングセルがセカンダリーセルであり、そして、プライマリーセルＵＬ−ＤＬ設定とセカンダリーセルＵＬ−ＤＬ設定のペアが図１０のセット１に属する、該サービングセルのスケジューリングに対して他のサービングセルからのＰＤＣＣＨ／ＥＰＤＣＣＨのモニタを端末装置２に設定されず、プライマリーセルＵＬ−ＤＬ設定とセカンダリーセルＵＬ−ＤＬ設定のペアが図１０のセット２かセット３に属する、または、該サービングセルのスケジューリングに対して他のサービングセルからのＰＤＣＣＨ／ＥＰＤＣＣＨのモニタを端末装置２に設定されて、プライマリーセルＵＬ−ＤＬ設定とセカンダリーセルＵＬ−ＤＬ設定のペアが図１０のセット４かセット５に属する、の何れかの場合、該サービングセルの下りリンク参照ＵＬ−ＤＬ設定は図１０で定義される。
【０１７０】
すなわち、ＴＤＤセルにおいて、端末装置２に１つよりも多くサービングセルが設定され、少なくとも２つのサービングセルが異なるＵＬ−ＤＬ設定を有し、少なくとも１つのサービングセルの下りリンク参照ＵＬ−ＤＬ設定がＴＤＤ  ＵＬ−ＤＬ設定５である場合、端末装置２は２つよりも多くサービングセルが設定されることを予期しない。
【０１７１】
すなわち、ＴＤＤセルにおいて、端末装置２に１つより多くのサービングセルが設定され、少なくとも２つのサービングセルは異なるＵＬ−ＤＬ設定を有する場合、端末装置２は、サービングセルｃに対するｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫｃに属し（ｋ∈Ｋｃ）、セットＫは図６によって定義される。また、ここで、セットＫｃは、サービングセルｃに対する下りリンクサブフレームまたはスペシャルサブフレームに相当するサブフレームｎ−ｋであるような、セットＫに属するｋの値を含む。また、ここで、図６のＵＬ−ＤＬ設定は該ＦＤＤセルの下りリンク参照ＵＬ−ＤＬ設定を参照する。
【０１７２】
以下では、異なるフレーム構造タイプが適用される複数のセルが集約される場合も想定したＨＡＲＱ応答情報の送信タイミングを説明する。
【０１７３】
ここで、異なるフレーム構造タイプが適用される複数のセルが集約されるとは、例えば、フレーム構造タイプがタイプ１（ＦＤＤ）であるセルとフレーム構造タイプがタイプ２（ＴＤＤ）であるセルを集約することを含む。また、異なるフレーム構造タイプが適用される複数のセルが集約されるとは、例えば、フレーム構造タイプがタイプ１（ＦＤＤ）である複数のセルとフレーム構造タイプがタイプ２（ＴＤＤ）である複数のセルを集約することを含む。つまり、異なるフレーム構造タイプが適用される複数のセルが集約されるとは、例えば、フレーム構造タイプがタイプ１（ＦＤＤ）である１つ以上のセルとフレーム構造タイプがタイプ２（ＴＤＤ）である１つ以上のセルを集約することを含む。なお、フレーム構造タイプについては、一例であり、タイプ３やタイプ４が定義された場合も同様に適用されてもよい。以下、プライマリーセルがＴＤＤであるセルをＴＤＤプライマリーセル、セカンダリーセルがＴＤＤであるセルをＴＤＤセカンダリー、プライマリーセルがＦＤＤであるセルをＦＤＤプライマリーセル、セカンダリーセルがＦＤＤであるセルをＦＤＤセカンダリーセルと呼称する。キャリアアグリゲーションが設定された場合、端末装置２はプライマリーセルにおいてＰＵＣＣＨを送信し、基地局装置１はプライマリーセルにおいて端末装置２からのＰＵＣＣＨを受信する。端末装置２はセカンダリーセルにおいてＰＵＣＣＨを送信する必要は無く、基地局装置１はセカンダリーセルにおいて端末装置２からのＰＵＣＣＨを受信する必要は無い。
【０１７４】
ここで、ＦＤＤセルに対しても上りリンク参照ＵＬ−ＤＬ設定または下りリンク参照ＵＬ−ＤＬ設定ができる。また、ＦＤＤセルに対して上りリンク参照ＵＬ−ＤＬ設定のみ設定することができる。また、ＦＤＤセルに対して下りリンク参照ＵＬ−ＤＬ設定のみ設定することができる。また、スケジューリング方法（セルフスケジューリング、クロスキャリアスケジューリング）によって上りリンク参照ＵＬ−ＤＬ設定および下りリンク参照ＵＬ−ＤＬ設定が個別に設定される。例えば、セルフスケジューリングの場合はＦＤＤセルに上りリンク参照ＵＬ−ＤＬ設定が設定されず、クロスキャリアスケジューリングの場合はＦＤＤセルに上りリンク参照ＵＬ−ＤＬ設定が設定される。また、サービングセルの種類（プライマリーセル、セカンダリーセル）やサービングセルの集約の組み合わせに依存して設定されてもよい。例えば、端末装置２にＦＤＤプライマリーセルとして設定された場合、ＦＤＤプライマリーセルに下りリンク参照ＵＬ−ＤＬ設定が設定されず、端末装置２にＦＤＤセカンダリーセルとして設定され、プライマリーセルがＴＤＤの場合、ＦＤＤセカンダリーセルに下りリンク参照ＵＬ−ＤＬ設定が設定される。
【０１７５】
ＦＤＤセルに上りリンク参照ＵＬ−ＤＬ設定が設定されない場合、基地局装置１はＦＤＤの送信タイミングでＰＵＳＣＨのスケジューリングおよびＰＨＩＣＨの送信を行う。ＦＤＤセルに下りリンク参照ＵＬ−ＤＬ設定が設定されない場合、基地局装置１はＦＤＤの送信タイミングでＰＤＳＣＨのスケジューリングを行い、端末装置２はＦＤＤの送信タイミングで前記ＰＤＳＣＨに対応するＨＡＲＱ応答情報を送信する。
【０１７６】
プライマリーセルがＴＤＤセルである場合の、ＦＤＤセルにおけるＨＡＲＱ応答情報の送信タイミングの一例を示す。
【０１７７】
全てのＵＬ−ＤＬ設定において、サブフレーム２では上りリンクサブフレームが設定される。そこで、プライマリーセルがＴＤＤセルである場合の、ＦＤＤセカンダリーセルで検出されるＰＤＳＣＨまたは下りリンクＳＰＳの開放を示すＰＤＣＣＨに対応する全てのＨＡＲＱ応答情報はサブフレーム２のタイミングで送信する。つまり、ＴＤＤプライマリーセルとキャリアアグリゲーションを行っているＦＤＤセカンダリーセルのＨＡＲＱ応答情報の送信タイミングは、ＴＤＤ  ＵＬ−ＤＬ設定５に従って送信される。
【０１７８】
すなわち、ＦＤＤセルにおいて、端末装置２に１つよりも多いサービングセルが設定され、プライマリーセルがＴＤＤセルである場合、該ＦＤＤセルの下りリンク参照ＵＬ−ＤＬ設定はＴＤＤ  ＵＬ−ＤＬ設定５であり、端末装置２は２つよりも多くサービングセルが設定されることを予期しない。
【０１７９】
すなわち、ＦＤＤセルにおいて、端末装置２に１つよりも多いサービングセルが設定され、プライマリーセルがＴＤＤセルである場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図６によって定義される。また、ここで、図６のＵＬ−ＤＬ設定は該ＦＤＤセルの下りリンク参照ＵＬ−ＤＬ設定を参照する。
【０１８０】
プライマリーセルがＴＤＤセルである場合の、ＦＤＤセルにおけるＨＡＲＱ応答情報の送信タイミングの一例を示す。
【０１８１】
上記の一例は、ＴＤＤプライマリーセルで全てのＴＤＤ  ＵＬ−ＤＬ設定が使われることを想定したＨＡＲＱ応答情報送信タイミングであり、予めＴＤＤ  ＵＬ−ＤＬ設定５のＨＡＲＱ応答情報送信タイミングで設定される。ところで、ＨＡＲＱ応答情報の送信タイミングは上位層で設定されてもよい。例えば、ＴＤＤ  ＵＬ−ＤＬ設定の使用が０、１、または、２に制限された場合においては、上位層によって下りリンク参照ＵＬ−ＤＬ設定は２に設定すればよい。つまり、ＴＤＤプライマリーセルとキャリアアグリゲーションを行っているＦＤＤセカンダリーセルのＨＡＲＱ応答情報の送信タイミングを決定する下りリンク参照ＵＬ−ＤＬ設定は上位層で設定される。
【０１８２】
すなわち、ＦＤＤセルにおいて、端末装置２に１つよりも多いサービングセルが設定され、プライマリーセルがＴＤＤセルである場合、該ＦＤＤセルの下りリンク参照ＵＬ−ＤＬ設定は上位層で設定される。
【０１８３】
すなわち、ＦＤＤセルにおいて、端末装置２に１つよりも多いサービングセルが設定され、プライマリーセルがＴＤＤセルであり、そして、少なくとも１つのサービングセルがＴＤＤ  ＵＬ−ＤＬ設定５である場合、端末装置２は２つよりも多くサービングセルが設定されることを予期しない。
【０１８４】
すなわち、ＦＤＤセルにおいて、端末装置２に１つよりも多いサービングセルが設定され、プライマリーセルがＴＤＤセルである場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図６によって定義される。また、ここで、図６のＵＬ−ＤＬ設定は該ＦＤＤセルの下りリンク参照ＵＬ−ＤＬ設定を参照する。
【０１８５】
なお、ＦＤＤセルに上位層から仮想ＴＤＤ  ＵＬ−ＤＬ設定（virtual TDD UL-DL configuration、TDD-FDD UL-DL configuration）が設定され、前記仮想ＴＤＤ  ＵＬ−ＤＬ設定に基づいてＦＤＤセルの下りリンク参照ＵＬ−ＤＬ設定が設定されてもよい。この場合、ＴＤＤプライマリーセルのＴＤＤ  ＵＬ−ＤＬ設定とＦＤＤセカンダリーセルの仮想ＴＤＤ  ＵＬ−ＤＬ設定のペアから図１０を用いてＦＤＤセルの下りリンク参照ＵＬ−ＤＬ設定が決定される。
【０１８６】
プライマリーセルがＴＤＤセルである場合の、ＦＤＤセルにおけるＨＡＲＱ応答情報の送信タイミングの一例を示す。
【０１８７】
ＦＤＤセカンダリーセルで検出されるＰＤＳＣＨまたは下りリンクＳＰＳの開放を示すＰＤＣＣＨに対応するＨＡＲＱ応答情報は、ＰＵＣＣＨを用いて送信されることがある。ＰＵＣＣＨは、ＴＤＤプライマリーセルの上りリンクサブフレームから送信される。つまり、ＴＤＤプライマリーセルとキャリアアグリゲーションを行っているＦＤＤセカンダリーセルのＨＡＲＱ応答情報の送信タイミングを決定する下りリンク参照ＵＬ−ＤＬ設定はプライマリーセルのＴＤＤ  ＵＬ−ＤＬ設定に従う。
【０１８８】
すなわち、ＦＤＤセルにおいて、端末装置２に１つよりも多いサービングセルが設定され、プライマリーセルがＴＤＤセルである場合、該ＦＤＤセルの下りリンク参照ＵＬ−ＤＬ設定はプライマリーセルのＴＤＤ  ＵＬ−ＤＬ設定である。
【０１８９】
すなわち、ＦＤＤセルにおいて、端末装置２に１つよりも多いサービングセルが設定され、プライマリーセルがＴＤＤセルであり、そして、少なくとも１つのサービングセルがＴＤＤ  ＵＬ−ＤＬ設定５である場合、端末装置２は２つよりも多くサービングセルが設定されることを予期しない。
【０１９０】
すなわち、ＦＤＤセルにおいて、端末装置２に１つよりも多いサービングセルが設定され、プライマリーセルがＴＤＤセルである場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図６によって定義される。また、ここで、図６のＵＬ−ＤＬ設定は該ＦＤＤセルの下りリンク参照ＵＬ−ＤＬ設定を参照する。
【０１９１】
プライマリーセルがＴＤＤセルである場合の、ＦＤＤセルにおけるＨＡＲＱ応答情報の送信タイミングの一例を示す。
【０１９２】
上記のＦＤＤセルのＨＡＲＱ応答情報をＴＤＤプライマリーセルのＴＤＤ  ＵＬ−ＤＬ設定に従って送信する場合、ＴＤＤプライマリーセルが上りリンクサブフレームとなるサブフレームでは対応付けが出来ていないので、ＦＤＤセカンダリーセルにおいても前記サブフレームではＰＤＳＣＨまたは下りリンクＳＰＳの開放を示すＰＤＣＣＨのスケジューリングをしない。そこで、上りリンクサブフレームとなるサブフレームにもＰＤＳＣＨおよび下りリンクＳＰＳの開放を示すＰＤＣＣＨとＨＡＲＱ応答情報の送信タイミングの対応付けされたテーブルを用いる。図９および図１５は、ＴＤＤプライマリーセルの場合におけるＦＤＤセカンダリーセルのＰＤＳＣＨおよび下りリンクＳＰＳの開放を示すＰＤＣＣＨとそれに対応するＨＡＲＱ応答情報送信タイミングの一例である。図９または図１５で定義された送信タイミングを用いることで、ＴＤＤプライマリーセルで上りリンクサブフレームとなるサブフレームにおいてもＦＤＤセカンダリーセルではＰＤＳＣＨおよび下りリンクＳＰＳの開放を示すＰＤＣＣＨを送信することができ、それに対応するＨＡＲＱ応答情報がＴＤＤプライマリーセルの上りリンクサブフレームで送信される。つまり、ＦＤＤセルのＨＡＲＱ応答情報の送信タイミングを決定する下りリンク参照ＵＬ−ＤＬ設定はプライマリーセルのＴＤＤ  ＵＬ−ＤＬ設定に従い、ＴＤＤプライマリーセルとキャリアアグリゲーションを行っているＦＤＤセカンダリーセルのためのＨＡＲＱ応答情報送信タイミングのテーブルを用いて送信タイミングが決定される。
【０１９３】
図９のテーブルは、図１５のテーブルに比べてＨＡＲＱ応答情報フィードバックの遅延が小さい。その為、ＨＡＲＱによるスループット特性は良好となる。一方で、図１５のテーブルは、図９のテーブルに比べてＴＤＤ  ＵＬ−ＤＬ設定内の最大のＭの数が小さくなるように定義される。そのため、ＴＤＤ  ＵＬ−ＤＬ設定が２、４、５以外ではＭが４以下となるので、ＴＤＤ  ＵＬ−ＤＬ設定が０、１、３、６でＰＵＣＣＨフォーマット１ｂを用いてＨＡＲＱ応答情報をフィードバックすることが可能となる。
【０１９４】
すなわち、ＦＤＤセルにおいて、端末装置２に１つよりも多いサービングセルが設定され、プライマリーセルがＴＤＤセルである場合、該ＦＤＤセルの下りリンク参照ＵＬ−ＤＬ設定はプライマリーセルのＴＤＤ  ＵＬ−ＤＬ設定である。
【０１９５】
ＦＤＤセルにおいて、端末装置２に１つよりも多いサービングセルが設定され、プライマリーセルがＴＤＤセルであり、そして、少なくとも１つのサービングセルがＴＤＤ  ＵＬ−ＤＬ設定５である場合、端末装置２は２つよりも多くサービングセルが設定されることを予期しない。
【０１９６】
ＦＤＤセルにおいて、端末装置２に１つよりも多いサービングセルが設定され、プライマリーセルがＴＤＤセルである場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図９によって定義される。また、ここで、図９のＵＬ−ＤＬ設定は該ＦＤＤセルの下りリンク参照ＵＬ−ＤＬ設定を参照する。
【０１９７】
なお、該ＦＤＤセルの下りリンク参照ＵＬ−ＤＬ設定は上位層で設定されてもよい。
【０１９８】
すなわち、ＦＤＤセルにおいて、端末装置２に１つよりも多いサービングセルが設定され、プライマリーセルがＴＤＤセルである場合、該ＦＤＤセルの下りリンク参照ＵＬ−ＤＬ設定は上位層で設定される。
【０１９９】
なお、ＴＤＤ−ＦＤＤ  ＣＡにおいて、プライマリーセルがＴＤＤであり、サービングセルがＦＤＤの場合、スケジューリングタイプによって下りリンク関連セットの定義を切り替えてもよい。例えば、ＴＤＤセルからＦＤＤセルに対してクロスキャリアスケジューリングが設定された場合に、１つのＴＤＤセルで通信を行った場合の下りリンク関連セットを用い、それ以外はＴＤＤセルの上りリンクサブフレームとなるサブフレームにも関連付けられた下りリンク関連セットを用いる。すなわち、端末装置２にセルフスケジューリングが設定された（ＦＤＤサービングセルに対してＴＤＤセルからクロスキャリアスケジューリングが設定されない）場合、図９の下りリンク関連セットを用い、端末装置２にＦＤＤサービングセルに対してＴＤＤセルからクロスキャリアスケジューリングが設定された場合、図６の下りリンク関連セットを用い、端末装置２にＦＤＤサービングセルに対してＦＤＤセルからクロスキャリアスケジューリングが設定された場合、図９の下りリンク関連セットを用いても良い。
【０２００】
また、図９や図１５のテーブルの代わりに図１１のテーブルを用いてもよい。図１１は、ＴＤＤプライマリーセルの場合におけるＦＤＤセカンダリーセルのＰＤＳＣＨおよび下りリンクＳＰＳの開放を示すＰＤＣＣＨとそれに対応するＨＡＲＱ応答情報送信タイミングの一例である。図１１のテーブルは、ＴＤＤ  ＵＬ−ＤＬ設定０、１、２、３、４、６で、ＴＤＤプライマリーセルで上りリンクサブフレームとなるサブフレームのＨＡＲＱ応答情報送信タイミングが定義され、ＴＤＤ  ＵＬ−ＤＬ設定５では、ＴＤＤプライマリーセルで上りリンクサブフレームとなるサブフレームのＨＡＲＱ応答情報送信タイミングが定義されない。このテーブルを用いることで、最大下りリンクＨＡＲＱプロセス数が１６以下で設定することができる。前記ＴＤＤ  ＵＬ−ＤＬ設定は下りリンク参照ＵＬ−ＤＬ設定であってもよい。
【０２０１】
また、図９や図１５で定義された送信タイミングを用いてＴＤＤ  ＵＬ−ＤＬ設定５のセットＫが設定された場合、基地局装置１はあるセルにおいて１無線フレーム内のＰＤＳＣＨの送信数を９に制限するようにスケジューリングしてもよい。また、端末装置２はあるセルにおいて１無線フレーム内で１０サブフレーム以上のＰＤＳＣＨの受信を期待しない。これにより、最大下りリンクＨＡＲＱプロセス数が１６以下で通信することができる。
【０２０２】
プライマリーセルがＴＤＤセルである場合の、ＦＤＤセルにおけるＨＡＲＱ応答情報の送信タイミングの一例を示す。
【０２０３】
図９や図１５で定義された送信タイミングでは、最大下りリンクＨＡＲＱプロセス数が１７以上必要になることがある。例えば、図９のＴＤＤ  ＵＬ−ＤＬ設定５は最大下りリンクＨＡＲＱプロセス数が１９必要になる。最大下りリンクＨＡＲＱプロセス数が１７以上を超える場合、ＨＡＲＱプロセス番号を通知するＤＣＩに５ビット以上のビットフィールドが必要になる。そこで、最大下りリンクＨＡＲＱプロセス数が１７を超えないセットＫで定義された送信タイミングを用いる。例えば、ＴＤＤ  ＵＬ−ＤＬ設定０、１、２、３、４、６は図９や図１５の送信タイミングテーブルで定義したセットＫを用い、ＴＤＤ  ＵＬ−ＤＬ設定５は図６の送信タイミングテーブルで定義したセットＫを用いる。これにより、最大下りリンクＨＡＲＱプロセス数が１６以下で設定することができる。
【０２０４】
すなわち、ＦＤＤセルにおいて、端末装置２に１つよりも多いサービングセルが設定され、プライマリーセルがＴＤＤセルである場合、該ＦＤＤセルの下りリンク参照ＵＬ−ＤＬ設定はプライマリーセルのＴＤＤ  ＵＬ−ＤＬ設定である。
【０２０５】
ＦＤＤセルにおいて、端末装置２に１つよりも多いサービングセルが設定され、プライマリーセルがＴＤＤセルであり、そして、少なくとも１つのサービングセルがＴＤＤ  ＵＬ−ＤＬ設定５である場合、端末装置２は２つよりも多くサービングセルが設定されることを予期しない。また、端末装置２に１つよりも多いサービングセルが設定され、プライマリーセルがＴＤＤセルであり、少なくとも１つのサービングセルがＦＤＤであり、そして、少なくとも１つのサービングセルがＴＤＤ  ＵＬ−ＤＬ設定２または４である場合、端末装置２は４つよりも多くサービングセルが設定されることを予期しない。
【０２０６】
ＦＤＤセルにおいて、端末装置２に１つよりも多いサービングセルが設定され、プライマリーセルがＴＤＤセルである場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図６または図９のテーブルによって定義される。また、ここで、該ＦＤＤセルの下りリンク参照ＵＬ−ＤＬ設定が０、１、２、３、４、６の場合に図９のＵＬ−ＤＬ設定を参照する。また、ここで、該ＦＤＤセルの下りリンク参照ＵＬ−ＤＬ設定が５の場合に図６のＵＬ−ＤＬ設定を参照する。
【０２０７】
以下では、異なるフレーム構造タイプが適用される複数のセルが集約される場合のＦＤＤセカンダリーセルにＴＤＤプライマリーセルとは異なる下りリンク関連セットのテーブルが定義された場合におけるキャリアアグリゲーションが可能なコンポーネントキャリア（ＣＣ）数を説明する。
【０２０８】
ＰＵＣＣＨフォーマット３では、最大２０ビットのＨＡＲＱ応答情報を送信することができる。キャリアアグリゲーションを行う場合には、空間ＨＡＲＱ応答情報バンドリングを行なって、ＨＡＲＱ応答情報を送信するビット数を圧縮する。しかしながら、空間ＨＡＲＱ応答情報バンドリングを行なっても２０ビットを超える場合には、ＨＡＲＱ応答情報を送信することができない。例えば、プライマリーセルがＴＤＤであってＦＤＤセルとＴＤＤセルがキャリアアグリゲーションされ、プライマリーセルに図６、セカンダリーセルに図９のテーブルが適用された場合において、ＴＤＤプライマリーセルのＴＤＤ  ＵＬ−ＤＬ設定が２であり、ＦＤＤセカンダリーセルのＴＤＤ  ＵＬ−ＤＬ設定が２である場合、ＰＵＳＣＨ送信または下りリンクＳＰＳの解放を示すＰＤＣＣＨ／ＥＰＤＣＣＨに対応するＨＡＲＱ応答情報の空間ＨＡＲＱ応答情報バンドリングを行った後のビット数は最大９ビットである。しかし、ＴＤＤ  ＵＬ−ＤＬ設定が２であるＴＤＤセルにＴＤＤ  ＵＬ−ＤＬ設定が２であるＦＤＤセルを４つ設定した場合、空間ＨＡＲＱ応答情報バンドリングを行った後のビット数は最大２４ビットとなり、ＰＵＣＣＨフォーマット３の送信可能なビット数を超える。そのため、端末装置２はＰＵＣＣＨフォーマット３を用いてＨＡＲＱ応答情報を送信することができない。
【０２０９】
そこで、ＴＤＤ  ＵＬ−ＤＬ設定に依存してキャリアアグリゲーションが可能なサービングセル数を制限する。
【０２１０】
例えば、プライマリーセルがＴＤＤであって、図１５のテーブルがＦＤＤセカンダリーセルに適用された場合、基地局装置１は、端末装置２にＴＤＤプライマリーセルと、少なくとも１つのＦＤＤセルに下りリンク参照ＵＬ−ＤＬ設定が５である場合、２つ以上のＦＤＤセカンダリーセルを設定しない。基地局装置１は、端末装置２にＴＤＤプライマリーセルと、少なくとも１つのＦＤＤセルに下りリンク参照ＵＬ−ＤＬ設定が２、または、４である場合、４つ以上のＦＤＤセカンダリーセルを設定しない。
【０２１１】
端末装置２に１つよりも多いサービングセルが設定され、プライマリーセルがＴＤＤセルであり、少なくとも１つのサービングセルがＦＤＤであり、そして、少なくとも１つのサービングセルが下りリンク参照ＵＬ−ＤＬ設定２または４である場合、端末装置２は４つよりも多くサービングセルが設定されることを予期しない。少なくとも１つのサービングセルがＴＤＤ  ＵＬ−ＤＬ設定５である場合、端末装置２は２つよりも多くサービングセルが設定されることを予期しない。
【０２１２】
例えば、プライマリーセルがＴＤＤであって、図９のテーブルがＦＤＤセカンダリーセルに適用された場合、基地局装置１は、端末装置２にＴＤＤプライマリーセルと、少なくとも１つのＦＤＤセルに下りリンク参照ＵＬ−ＤＬ設定が５である場合、２つ以上のＦＤＤセカンダリーセルを設定しない。基地局装置１は、端末装置２にＴＤＤプライマリーセルと、少なくとも１つのＦＤＤセルに下りリンク参照ＵＬ−ＤＬ設定が３、または、４である場合、３つ以上のＦＤＤセカンダリーセルを設定しない。基地局装置１は、端末装置２にＴＤＤプライマリーセルと、少なくとも１つのＦＤＤセルに下りリンク参照ＵＬ−ＤＬ設定が２である場合、４つ以上のＦＤＤセカンダリーセルを設定しない。
【０２１３】
端末装置２に１つよりも多いサービングセルが設定され、プライマリーセルがＴＤＤセルであり、少なくとも１つのサービングセルがＦＤＤであり、そして、少なくとも１つのサービングセルが下りリンク参照ＵＬ−ＤＬ設定２である場合、端末装置２は４つよりも多くサービングセルが設定されることを予期しない。端末装置２に１つよりも多いサービングセルが設定され、プライマリーセルがＴＤＤセルであり、少なくとも１つのサービングセルがＦＤＤであり、そして、少なくとも１つのサービングセルが下りリンク参照ＵＬ−ＤＬ設定３または４である場合、端末装置２は３つよりも多くサービングセルが設定されることを予期しない。少なくとも１つのサービングセルがＴＤＤ  ＵＬ−ＤＬ設定５である場合、端末装置２は２つよりも多くサービングセルが設定されることを予期しない。
【０２１４】
また、ＴＤＤ  ＵＬ−ＤＬ設定内の最大のＭの値に依存してキャリアアグリゲーションが可能なサービングセル数を制限することもできる。
【０２１５】
ＴＤＤ  ＵＬ−ＤＬ設定内の最大のＭの値が７以上の場合、３つ以上のサービングセルを設定しない。ＴＤＤ  ＵＬ−ＤＬ設定内の最大のＭの値が６の場合、４つ以上のサービングセルを設定しない。ＴＤＤ  ＵＬ−ＤＬ設定内の最大のＭの値が５の場合、５つ以上のサービングセルを設定しない。
【０２１６】
以下では、異なるフレーム構造タイプが適用される複数のセルが集約される場合のＦＤＤセカンダリーセルにＴＤＤプライマリーセルとは異なる下りリンク関連セットのテーブルが定義された場合におけるチャネル選択を行うＰＵＣＣＨフォーマット１ｂのサポートについて説明する。
【０２１７】
ＴＤＤセルとＦＤＤセルとのキャリアアグリゲーションが設定され、プライマリーセルがＴＤＤである場合に、ＴＤＤ  ＵＬ−ＤＬ設定内の最大のＭの値が４以下の場合に、チャネル選択を行うＰＵＣＣＨフォーマット１ｂまたはＰＵＣＣＨフォーマット３を用いてＨＡＲＱ応答情報が送信される。ＴＤＤ  ＵＬ−ＤＬ設定内の最大のＭの値が５以上の場合には、ＰＵＣＣＨフォーマット３のみを用いてＨＡＲＱ応答情報が送信される。
【０２１８】
例えば、ＦＤＤセカンダリーセルに図１５のテーブルで下りリンク関連セットが定義された場合には、下りリンク参照ＵＬ−ＤＬ設定が２、４、または、５の場合に、ＰＵＣＣＨフォーマット３のみサポートされ、チャネル選択を行うＰＵＣＣＨフォーマット１ｂはサポートされない。
【０２１９】
端末装置２に１つよりも多くのサービングセルが設定され、プライマリーセルがＴＤＤであり、少なくとも１つのサービングセルの下りリンク参照ＵＬ−ＤＬ設定が５である場合、最大２つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が２、または、４である場合、最大４つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が２、４、５である場合、チャネル選択を行うＰＵＣＣＨフォーマット１ｂはサポートされない。
【０２２０】
また、例えば、ＦＤＤセカンダリーセルに図９のテーブルで下りリンク関連セットが定義された場合には、下りリンク参照ＵＬ−ＤＬ設定が２、３、４、または、５の場合に、ＰＵＣＣＨフォーマット３のみサポートされ、チャネル選択を行うＰＵＣＣＨフォーマット１ｂはサポートされない。
【０２２１】
端末装置２に１つよりも多くのサービングセルが設定され、プライマリーセルがＴＤＤであり、少なくとも１つのサービングセルの下りリンク参照ＵＬ−ＤＬ設定が５である場合、最大２つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が３、または、４である場合、最大３つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が２である場合、最大４つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が２、４、５である場合、チャネル選択を行うＰＵＣＣＨフォーマット１ｂはサポートされない。
【０２２２】
更に、サブフレーム毎にＰＵＣＣＨフォーマットの送信を切り替えてもよい。例えば、ＴＤＤセルとＦＤＤセルとのキャリアアグリゲーションが設定され、プライマリーセルがＴＤＤである場合に、サブフレームｎにおいて、Ｍの値が４以下の場合に、チャネル選択を行うＰＵＣＣＨフォーマット１ｂまたはＰＵＣＣＨフォーマット３を用いてＨＡＲＱ応答情報が送信される。サブフレームｎにおいて、Ｍの値が５以上の場合には、ＰＵＣＣＨフォーマット３のみを用いてＨＡＲＱ応答情報が送信される。
【０２２３】
例えば、ＦＤＤセカンダリーセルに図９のテーブルで下りリンク関連セットが定義され、下りリンク参照ＵＬ−ＤＬ設定が３である場合には、サブフレーム２では、ＰＵＣＣＨフォーマット３のみでＨＡＲＱ応答情報が送信され、サブフレーム３または４では、チャネル選択を行うＰＵＣＣＨフォーマット１ｂまたはＰＵＣＣＨフォーマット３でＨＡＲＱ応答情報が送信される。サブフレーム３または４で、チャネル選択を行うＰＵＣＣＨフォーマット１ｂで送信するかＰＵＣＣＨフォーマット３で送信するかの選択は上位層で設定される。サブフレーム２では、上位層の設定に関わらずＰＵＣＣＨフォーマット３で送信が設定される。
【０２２４】
端末装置２に１つよりも多くのサービングセルが設定され、プライマリーセルがＴＤＤであり、少なくとも１つのサービングセルの下りリンク参照ＵＬ−ＤＬ設定が５である場合、最大２つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が２である場合、最大４つまでの前記サービングセルに対してＰＵＣＣＨフォーマット３のみをサポートする。端末装置２に１つよりも多くのサービングセルが設定され、プライマリーセルがＴＤＤであり、少なくとも１つのサービングセルの下りリンク参照ＵＬ−ＤＬ設定が２、５である場合、チャネル選択を行うＰＵＣＣＨフォーマット１ｂはサポートされない。端末装置２に１つよりも多くのサービングセルが設定され、プライマリーセルがＴＤＤであり、少なくとも１つのサービングセルの下りリンク参照ＵＬ−ＤＬ設定が３、４である場合、サブフレームｎにおいて、Ｍが４より大きい場合はＰＵＣＣＨフォーマット３でＨＡＲＱ応答情報が送信され、Ｍが４以下の場合は、チャネル選択を行うＰＵＣＣＨフォーマット１ｂまたはＰＵＣＣＨフォーマット３でＨＡＲＱ応答情報が送信される。
【０２２５】
以下、プライマリーセルがＦＤＤセルである場合の、ＴＤＤセルにおけるＨＡＲＱ応答情報の送信タイミングの一例を示す。
【０２２６】
プライマリーセルがＦＤＤセルである場合、全てのサブフレームにおいて上りリンクリソース（上りリンクコンポーネントキャリア）が設定される。ＰＤＳＣＨまたは下りリンクＳＰＳの開放を示すＰＤＣＣＨに対応するＨＡＲＱ応答情報の送信タイミングはＦＤＤセルで設定されたＨＡＲＱ応答情報の送信タイミングに従って送信すれば良い。つまり、ＴＤＤセルにおいても、プライマリーセルがＦＤＤセルである場合には、ＦＤＤセルが１つ設定された場合やＦＤＤセルのみでキャリアアグリゲーションされた場合のＨＡＲＱ応答情報の送信タイミングと同じとなる。つまり、端末装置２は、あるサブフレームにおいてＰＤＳＣＨを受信後、前記ＰＤＳＣＨに対応するＨＡＲＱ応答情報を４サブフレーム後のＰＵＣＣＨ／ＰＵＳＣＨによって基地局装置１に送信する。
【０２２７】
すなわち、ＴＤＤセルにおいて、端末装置２に１つよりも多くサービングセルが設定され、少なくとも２つのサービングセルは異なるフレーム構成タイプを有し、そしてプライマリーセルがＦＤＤセルである場合、端末装置２は、サブフレームｎ−４で、端末装置２を対象とし、かつ、ＨＡＲＱ応答情報が与えられるＰＤＳＣＨ送信の検出にあたり、サブフレームｎで前記ＨＡＲＱ応答情報を送信する。
【０２２８】
プライマリーセルがＦＤＤセルである場合の、ＴＤＤセルにおけるＨＡＲＱ応答情報の送信タイミングの一例を示す。
【０２２９】
プライマリーセルがＦＤＤセルであって、ＴＤＤセルで送信されたＰＤＳＣＨまたは下りリンクＳＰＳの開放を示すＰＤＣＣＨに対応するＨＡＲＱ応答情報をＦＤＤプライマリーセルで送信される場合であっても、そのＴＤＤサービングセルの送信タイミングを用いて送信される。つまり、端末装置２は、サブフレームｎにおいてＰＤＳＣＨを受信後、前記ＰＤＳＣＨに対応するＨＡＲＱ応答情報をサブフレームｎ＋ｋに配置されるＰＵＣＣＨ／ＰＵＳＣＨによって基地局装置１に送信する。
【０２３０】
基地局装置１は、ＦＤＤのセルがプライマリーセルであり、ＴＤＤのセルがセカンダリーセルである場合、前記ＴＤＤのセルで送信される前記ＰＤＳＣＨに対する前記ＨＡＲＱ応答情報を、前記ＰＤＳＣＨを送信した４サブフレーム後のサブフレームで受信する。端末装置２は、前記ＦＤＤのセルがプライマリーセルであり、前記ＴＤＤのセルがセカンダリーセルである場合、前記ＴＤＤのセルで送信される前記ＰＤＳＣＨに対する前記ＨＡＲＱ応答情報を、前記ＴＤＤのセルで送信される前記ＰＤＳＣＨが送信された４サブフレーム後のサブフレームで送信する。
【０２３１】
すなわち、ＴＤＤセルにおいて、端末装置２に１つよりも多いサービングセルが設定され、プライマリーセルがＦＤＤセルである場合、端末装置２は、ｎ−ｋのサブフレームで、端末装置２を対象とし、かつ、ＨＡＲＱ応答情報が与えられるＰＤＳＣＨ送信の検出にあたり、上りリンクサブフレームｎでＨＡＲＱ応答情報を送信する。ここで、ｋはセットＫに属し（ｋ∈Ｋ）、セットＫは図６によって定義される。また、ここで、図６のＵＬ−ＤＬ設定は該ＴＤＤセルの下りリンク参照ＵＬ−ＤＬ設定を参照する。
【０２３２】
これにより、ＴＤＤセルとＦＤＤセルのキャリアアグリゲーションを行った場合においても、端末装置２はＰＤＳＣＨまたは下りリンクＳＰＳの開放を示すＰＤＣＣＨに対応するＨＡＲＱ応答情報を効率良く送信することができる。
【０２３３】
以下、ＦＤＤセルおよびＴＤＤセルの上りリンク参照ＵＬ−ＤＬ設定の切り替えについて説明する。上りリンク参照ＵＬ−ＤＬ設定は、集約されたセルの種類（ＦＤＤセル、ＴＤＤセル）、ＴＤＤ  ＵＬ−ＤＬ設定が同じであるか異なるか、クロスキャリアスケジューリングが設定されるか否か、に依存して設定される。
【０２３４】
ＦＤＤセルにおいて、端末装置２に１つ以上のＦＤＤセルが設定される場合、該ＦＤＤセルの上りリンク参照ＵＬ−ＤＬ設定は設定されない。
【０２３５】
ＦＤＤセルにおいて、端末装置２に２つ以上のサービングセルが設定され、該ＦＤＤセルがプライマリーセルか、端末装置２に該ＦＤＤセルのスケジューリングに対する他のＴＤＤセルのＰＤＣＣＨ／ＥＰＤＣＣＨのモニタを行うことが設定されない場合、該ＦＤＤセルの上りリンク参照ＵＬ−ＤＬ設定は設定されない。
【０２３６】
ＦＤＤセルにおいて、端末装置２に２つ以上のサービングセルが設定され、該ＦＤＤセルがセカンダリーセルで、端末装置２に該ＦＤＤセルのスケジューリングに対する他のＴＤＤセルのＰＤＣＣＨ／ＥＰＤＣＣＨのモニタを行うことが設定される場合、該ＦＤＤセルの上りリンク参照ＵＬ−ＤＬ設定は前記ＴＤＤセルのＵＬ−ＤＬ設定である。
【０２３７】
ＴＤＤセルにおいて、端末装置２に１つ以上のＴＤＤセルが設定され、全てのＴＤＤセルのＵＬ−ＤＬ設定が同じである場合、該ＴＤＤセルの上りリンク参照ＵＬ−ＤＬ設定は該ＴＤＤのＵＬ−ＤＬ設定である。
【０２３８】
ＴＤＤセルにおいて、端末装置２に２つ以上のＴＤＤセルが設定され、少なくとも２つのＴＤＤセルのＵＬ−ＤＬ設定が異なり、該ＴＤＤセルがプライマリーセルか、端末装置２に該ＴＤＤセルのスケジューリングに対する他のＴＤＤセルのＰＤＣＣＨ／ＥＰＤＣＣＨのモニタを行うことが設定されない場合、該ＴＤＤセルの上りリンク参照ＵＬ−ＤＬ設定は該ＴＤＤセルのＵＬ−ＤＬ設定である。
【０２３９】
ＴＤＤセルにおいて、端末装置２に２つ以上のＴＤＤセルが設定され、少なくとも２つのＴＤＤセルのＵＬ−ＤＬ設定が異なり、該ＴＤＤセルがセカンダリーセルで、端末装置２に該ＴＤＤセルのスケジューリングに対する他のＴＤＤセルのＰＤＣＣＨ／ＥＰＤＣＣＨのモニタを行うことが設定される場合、該ＴＤＤセルの上りリンク参照ＵＬ−ＤＬ設定は、該ＴＤＤセルと前記他のＴＤＤセルとのＵＬ−ＤＬ設定の組み合わせによって予め定められたテーブルから決定される。
【０２４０】
ＴＤＤセルにおいて、端末装置２に２つ以上のサービングセルが設定され、該ＴＤＤセルがセカンダリーセルで、端末装置２に該ＴＤＤセルのスケジューリングに対する他のＦＤＤセルのＰＤＣＣＨ／ＥＰＤＣＣＨのモニタを行うことが設定される場合、該ＴＤＤセルの上りリンク参照ＵＬ−ＤＬ設定は設定されない。
【０２４１】
これにより、ＴＤＤセルとＦＤＤセルのキャリアアグリゲーションを行った場合においても、端末装置２は効率良くＰＵＳＣＨを受信することができる。
【０２４２】
以下、ＤＡＩ（Downlink Assignment Index）について説明する。
【０２４３】
ＤＡＩは、基地局装置１から送信したが伝送途中で消失したＰＤＳＣＨ送信を割り当てるＰＤＣＣＨ／ＥＰＤＣＣＨおよび下りリンクＳＰＳリリースを指示するＰＤＣＣＨ／ＥＰＤＣＣＨの検出のために用いられる。
【０２４４】
例えば、ＨＡＲＱ応答情報バンドリングによって複数の下りリンクサブフレームにおける複数のＨＡＲＱ応答情報を１つの上りリンクサブフレームによって送信する状況において、ある下りリンクサブフレームによって送信されたＰＤＣＣＨ／ＥＰＤＣＣＨが消失して端末装置２が前記ＰＤＣＣＨ／ＥＰＤＣＣＨが検出できなかった場合でも、端末装置２は他の下りリンクサブフレームによって送信されたＰＤＣＣＨ／ＥＰＤＣＣＨで指示されるＰＤＳＣＨの受信が成功した場合はＡＣＫを返すため、基地局装置１は消失した前記ＰＤＣＣＨ／ＥＰＤＣＣＨを検知することができない。
【０２４５】
そこで、ＤＡＩを用いて基地局装置１は端末装置２に複数の下りリンクサブフレームにおけるＰＤＳＣＨ送信に対するＨＡＲＱ応答情報を送信できる１つの上りリンクサブフレームに対応する複数の下りリンクサブフレームのうちのＰＤＣＣＨ／ＥＰＤＣＣＨおよび下りリンクＳＰＳリリースを指示するＰＤＣＣＨ／ＥＰＤＣＣＨの送信数に基づく値をＤＣＩフォーマットに含めて通知する。端末装置２は、基地局装置１が送信したＰＤＳＣＨ送信を割り当てるＰＤＣＣＨ／ＥＰＤＣＣＨおよび下りリンクＳＰＳリリースを指示するＰＤＣＣＨ／ＥＰＤＣＣＨの送信数に基づく値をＤＡＩによって取得し、前記ＰＤＣＣＨ／ＥＰＤＣＣＨの送信数に基づく値と実際に前記ＰＤＣＣＨ／ＥＰＤＣＣＨの受信成功数とを比較する。もし前記送信数に基づく値と前記受信成功数が異なる場合、端末装置２はある下りリンクサブフレームによって送信されたＰＤＣＣＨ／ＥＰＤＣＣＨが消失したと判断し、ＮＡＣＫを基地局装置１に返す。基地局装置１は、ＮＡＣＫを受信するので、消失した前記ＰＤＣＣＨ／ＥＰＤＣＣＨに対応するＰＤＳＣＨも含めて再送処理を行う。これにより、ＰＤＣＣＨ／ＥＰＤＣＣＨが送信途中で消失した場合においても、端末装置２側で検知することができ、再送処理を行うことが可能となる。
【０２４６】
また、ＤＡＩは、ＨＡＲＱ応答情報多重で送信される際に、多重されるＨＡＲＱ応答情報のビット数を決定するために用いられる。ＤＡＩは、ＰＵＣＣＨ／ＰＵＳＣＨで送信されるＨＡＲＱ応答情報のビット数を決定するために用いられる。ＤＡＩは、ＰＵＣＣＨ／ＰＵＳＣＨで送信されるＨＡＲＱ応答情報のビット配置を決定するために用いられる。
【０２４７】
下りリンクグラントに含んで通知されるＤＡＩは、複数の下りリンクサブフレームにおけるＰＤＳＣＨ送信に対するＨＡＲＱ応答情報を送信できる１つの上りリンクサブフレームに対応する複数の下りリンクサブフレームのうちの現在のサブフレームまでにＰＤＳＣＨ送信を割り当てるＰＤＣＣＨ／ＥＰＤＣＣＨおよび下りリンクＳＰＳリリースを指示するＰＤＣＣＨ／ＥＰＤＣＣＨの累積値を示す。言い換えると、サブフレームｎ−ｋｉにおけるＰＤＳＣＨ送信をトリガーする下りリンクグラントに含まれるＤＡＩは、サブフレームｎに対応するバンドリングウィンドウ中のサブフレームｎ−ｋｉ以前のサブフレーム（ｎ−ｋ０からｎ−ｋｉ−１）のうち、端末装置２向けのＰＤＳＣＨ送信（動的スケジューリング（Ｄｙｎａｍｉｃ  Ｓｃｈｅｄｕｌｉｎｇ）によるＰＤＳＣＨ送信および／または準定常的スケジューリング（Ｓｅｍｉ  Ｐｅｒｓｉｓｔｅｎｔ  Ｓｃｈｅｄｕｌｉｎｇ）によるＰＤＳＣＨ送信）が行われたサブフレーム数を示す。なお、ＤＡＩフィールドが２ビットである場合、実際のサブフレーム数に替えて、サブフレーム数の４に対する剰余が示されてもよい。
【０２４８】
上りリンクグラントに含んで通知されるＤＡＩは、複数の下りリンクサブフレームにおけるＰＤＳＣＨ送信に対するＨＡＲＱ応答情報を送信できる１つの上りリンクサブフレームに対応する複数の下りリンクサブフレームのうちの全てのＰＤＳＣＨ送信を割り当てるＰＤＣＣＨ／ＥＰＤＣＣＨおよび下りリンクＳＰＳリリースを指示するＰＤＣＣＨ／ＥＰＤＣＣＨの値を示す。言い換えると、サブフレームｎにおけるＰＵＳＣＨ送信をトリガーする上りリンクグラントに含まれるＤＡＩは、サブフレームｎに対応するバンドリングウィンドウ中で、端末装置２向けのＰＤＳＣＨ送信が行われたサブフレーム数を示す。
【０２４９】
ＦＤＤセルとＴＤＤセルとのキャリアアグリゲーションにおいて、ＰＤＳＣＨ送信に対するＨＡＲＱ応答情報を送信できる１つの上りリンクサブフレームに対応する複数の下りリンクサブフレームの関係について説明する。図８は、ＰＤＳＣＨ送信に対するＨＡＲＱ応答情報の送信における上りリンクサブフレームと下りリンクサブフレームの関係の一例である。図８は、サービングセル１はＴＤＤセル、サービングセル２はＦＤＤセルを想定している。サブフレーム１の下りリンクサブフレームで送信されたＰＤＳＣＨ送信に対するＨＡＲＱ応答情報は、サービングセル１の上りリンクサブフレームで送信されると共に、サービングセル２の下りリンクサブフレームで送信されたＰＤＳＣＨ送信に対するＨＡＲＱ応答情報も、サービングセル１の上りリンクサブフレームで送信される。図８の例では、サービングセル１のサブフレーム０および１のＰＤＳＣＨ送信に対するＨＡＲＱ応答情報は、サービングセル１のサブフレーム７の上りリンクサブフレームによって送信される。１つの上りリンクサブフレームに対して複数の下りリンクサブフレームが関連付けられているため、ＤＡＩの情報を用いてＰＤＣＣＨ／ＥＰＤＣＣＨの消失の検知を行う。また、サービングセル２のサブフレーム０，１，２および３のＰＤＳＣＨ送信に対するＨＡＲＱ応答情報も、サービングセル１のサブフレーム７の上りリンクサブフレームによって送信される。こちらも１つの上りリンクサブフレームに対して複数の下りリンクサブフレームが関連付けられている。すなわち、ＦＤＤセルにおけるＰＤＳＣＨ送信を示すＰＤＣＣＨ／ＥＰＤＣＣＨにもＤＡＩの情報を含めることで、ＰＤＣＣＨ／ＥＰＤＣＣＨの消失の検知が可能となり、効率よく通信することができる。
【０２５０】
ＤＡＩは、端末個別に設定される。
【０２５１】
上りリンクグラントに含んで通知されるＤＡＩは、キャリアアグリゲーションしたセル間で共通に設定される。なお、上りリンクグラントに含んで通知されるＤＡＩは、キャリアアグリゲーションしたセル間で個別に設定されてもよい。ＤＡＩがキャリアアグリゲーションしたセル間で個別に設定される場合は、例えば、セカンダリーセルでＰＵＣＣＨを送信することが許可される場合である。
【０２５２】
下りリンクグラントに含んで通知されるＤＡＩは、キャリアアグリゲーションしたセル間で個別に設定される。
【０２５３】
以下では、異なるフレーム構造タイプが適用される複数のセルが集約される場合も想定したＤＡＩのフィールドの存在およびＤＡＩの適用について説明する。
【０２５４】
ＤＡＩの設定は、ＨＡＲＱ応答情報が送信されるセルのフレーム構成タイプによって、切り替わる。例えば、ＦＤＤセルのＨＡＲＱ応答情報をＴＤＤセルで返す場合には、ＦＤＤセルで送信されるＤＣＩにＤＡＩフィールドが設定される。一方で、ＴＤＤセルのＨＡＲＱ応答情報をＦＤＤセルで返す場合には、ＴＤＤセルで送信されるＤＣＩにＤＡＩフィールドが設定されなくてもよい。
【０２５５】
更に、ＤＡＩの設定は、ＨＡＲＱ応答情報の送信タイミングによって、切り替えてもよい。例えば、ＦＤＤセルのＨＡＲＱ応答情報をＴＤＤセルのＨＡＲＱ応答情報送信タイミングを用いてＴＤＤセルで返す場合には、１つの上りリンクサブフレームで複数の下りリンクサブフレームに対するＨＡＲＱ応答情報を返すため、ＤＡＩフィールドが設定される。ＴＤＤセルのＨＡＲＱ応答情報をＦＤＤセルのＨＡＲＱ応答情報送信タイミングを用いてＦＤＤセルで返す場合には、１つの上りリンクサブフレームで１つの下りリンクサブフレームに対応するＨＡＲＱ応答情報を返すため、ＤＡＩフィールドが設定されない。一方で、ＴＤＤセルのＨＡＲＱ応答情報をＴＤＤセルのＨＡＲＱ応答情報送信タイミングを用いてＦＤＤセルで返す場合には、１つの上りリンクサブフレームで複数の下りリンクサブフレームに対応するＨＡＲＱ応答情報を返すため、ＤＡＩフィールドが設定される。また、ＴＤＤセルのＨＡＲＱ応答情報送信タイミングがＦＤＤセルでも適用された場合、ＦＤＤセルのＨＡＲＱ応答情報をＦＤＤセルで返す場合には、ＤＣＩにＤＡＩフィールドが設定される。
【０２５６】
すなわち、ＦＤＤセルのＨＡＲＱ応答情報をＴＤＤセルのＨＡＲＱ応答情報送信タイミングを用いてＴＤＤセルで返す場合には、ＤＣＩにＤＡＩフィールドが設定される。ＴＤＤセルのＨＡＲＱ応答情報をＴＤＤセルのＨＡＲＱ応答情報送信タイミングを用いてＦＤＤセルで返す場合には、ＤＣＩにＤＡＩフィールドが設定される。ＦＤＤセルのＨＡＲＱ応答情報をＴＤＤセルのＨＡＲＱ応答情報送信タイミングを用いてＦＤＤセルで返す場合には、ＤＣＩにＤＡＩフィールドが設定される。ＴＤＤセルのＨＡＲＱ応答情報をＦＤＤセルのＨＡＲＱ応答情報送信タイミングを用いてＦＤＤセルで返す場合には、ＤＣＩにＤＡＩフィールドが設定されなくてもよい。
【０２５７】
基地局装置１は第１のＤＣＩフォーマットまたは第２のＤＣＩフォーマットを用いてＰＤＣＣＨで送信する。端末装置２は第１のＤＣＩフォーマットまたは第２のＤＣＩフォーマットを用いて送信されたＰＤＣＣＨで受信する。端末装置２にＦＤＤのセルとＴＤＤのセルとの統合が設定される場合、所定のサブフレーム内の現在までのサブフレームにおけるＰＤＳＣＨ送信あるいは下りリンク準定常的スケジューリングのリリースを示すＰＤＣＣＨまたはＥＰＤＣＣＨの累積数を示す第１のＤＡＩは、前記ＦＤＤのセルにおける前記第１のＤＣＩフォーマットに存在し、前記ＦＤＤのセルで適用され、第２のＤＡＩは、前記ＦＤＤのセルにおける前記第２のＤＣＩフォーマットに存在し、前記ＦＤＤのセルで適用される。
【０２５８】
以下、更にプライマリーセルおよびセカンダリーセルの組み合わせによるＤＡＩのフィールドの存在およびＤＡＩの適用の一例を記載する。
【０２５９】
下りリンクグラントに関するＤＣＩの中に含まれるＤＡＩのフィールドの存在の一例を示す。
【０２６０】
ＴＤＤセルでＰＤＳＣＨを送信する場合は、下りリンクグラントに関するＤＣＩの中にＤＡＩを含めて送信する。加えて、ＴＤＤセルがプライマリーセルで設定されて、かつ、ＦＤＤセルでＰＤＳＣＨを送信する場合も、下りリンクグラントに関するＤＣＩの中にＤＡＩを含めて送信する。
【０２６１】
すなわち、全てのＵＬ−ＤＬ設定によるＴＤＤセル、もしくは、プライマリーセルがＴＤＤによって運用されているＦＤＤセカンダリーセル（ＴＤＤプライマリーセルに集合されるＦＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。
【０２６２】
すなわち、プライマリーセルがＴＤＤで運用されないＦＤＤセル（ＴＤＤプライマリーセルに集合されないＦＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、ＤＡＩのフィールドが存在しない。言い換えると、プライマリーセルがＦＤＤで設定される端末装置２に対してＦＤＤセルで送信されるＤＣＩの中には、ＤＡＩのフィールドが存在しない。
【０２６３】
下りリンクグラントに関するＤＣＩの中に含まれるＤＡＩのフィールドの存在の一例を示す。
【０２６４】
例えば、ＦＤＤプライマリーセルとＴＤＤセカンダリーセルが設定された端末装置２において、ＴＤＤセカンダリーセルの下りリンクサブフレーム数はＦＤＤプライマリーセルの上りリンクサブフレーム数よりも少ない。そのため、ＤＡＩの値は常に１が設定される。このような状況において、ＤＡＩの情報を必要としないので、ＴＤＤセルのＰＤＳＣＨスケジューリングを制御するＤＣＩからＤＡＩの情報を除外しても良い。つまり、プライマリーセルがＦＤＤである場合、ＴＤＤセルおよびＦＤＤセルにおいてＤＡＩフィールドを設定しない。
【０２６５】
ＴＤＤプライマリーセルのとき、ＴＤＤセルでＰＤＳＣＨを送信する場合も、ＦＤＤセルでＰＤＳＣＨを送信する場合も、下りリンクグラントに関するＤＣＩの中にＤＡＩを含めて送信する。一方で、ＦＤＤプライマリーセルのとき、ＴＤＤセルでＰＤＳＣＨを送信する場合と、ＦＤＤセルでＰＤＳＣＨを送信する場合の両方で、下りリンクグラントに関するＤＣＩの中にＤＡＩを含めないで送信する。
【０２６６】
すなわち、プライマリーセルがＴＤＤであるときのみ、サービングセル（ＦＤＤセル、または、ＴＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。一方で、プライマリーセルがＦＤＤであるときは、前記ＤＣＩの中に、ＤＡＩのフィールドが存在しない。
【０２６７】
下りリンクグラントに関するＤＣＩの中に含まれるＤＡＩのフィールドの存在の一例を示す。
【０２６８】
ＦＤＤセルにＤＡＩが配置される必要があるのは、ＴＤＤセルとＦＤＤセルとのキャリアアグリゲーションを行い、かつ、プライマリーセルがＴＤＤセルである場合であり、ＦＤＤセカンダリーセルに対してＤＣＩの中にＤＡＩフィールドを配置する。つまり、セカンダリーセルにおいては、ＵＳＳのみ設定される。ＤＡＩのフィールドの存在は、ＦＤＤセルのスケジューリングを指示するＰＤＣＣＨ／ＥＰＤＣＣＨが配置されるＵＳＳに依存して決定される。
【０２６９】
すなわち、全てのＵＬ−ＤＬ設定によるＴＤＤセルに対して、もしくは、ＴＤＤ−ＦＤＤ−ＣＡ設定が上位層で設定されて、ＦＤＤセルに対するＵＳＳに配置される、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、ＤＡＩのフィールドが存在する。
【０２７０】
なお、ＴＤＤ−ＦＤＤ−ＣＡ設定が上位層で設定された場合に、ＦＤＤセルのＵＳＳで送信されるＰＤＣＣＨ／ＥＰＤＣＣＨに含まれるＤＣＩフォーマットの中にＤＡＩを含む一例を示したが、ＴＤＤ−ＦＤＤ−ＣＡ設定が上位層で設定された場合に、ＦＤＤセルのＣＳＳで送信されるＤＣＩフォーマットの中にＤＡＩを含んで送信されてもよい。
【０２７１】
下りリンクグラントに関するＤＣＩの中に含まれるＤＡＩのフィールドの存在の一例を示す。
【０２７２】
ＨＡＲＱ応答情報を含んだＰＵＣＣＨは主にプライマリーセルの上りリンクサブフレームのＰＵＣＣＨリソースで送信される。ＴＤＤプライマリーセルの上りリンクサブフレーム数よりもＦＤＤセカンダリーセルの下りリンクサブフレーム数が多いため、ＦＤＤセルを指示するＤＣＩにもＤＡＩの情報が必要となった。一方で、ＨＡＲＱ応答情報を含んだＰＵＣＣＨが、ＦＤＤセカンダリーセルの上りリンクサブフレームで送信が可能な場合、ＦＤＤセルを指示するＤＣＩにＤＡＩの情報は必要ではない。
【０２７３】
すなわち、全てのＵＬ−ＤＬ設定によるＴＤＤセル、もしくは、上位層によってＦＤＤセカンダリーセルでＰＵＣＣＨが送信されると設定されず、プライマリーセルがＴＤＤによって運用されているＦＤＤセカンダリーセル（ＴＤＤプライマリーセルに集合されるＦＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。
【０２７４】
すなわち、一方で、上位層によってＦＤＤセカンダリーセルでＰＵＣＣＨが送信されると設定された場合において、ＦＤＤセルに対して送信される前記ＤＣＩの中には、ＤＡＩのフィールドが存在しない。
【０２７５】
下りリンクグラントに関するＤＣＩの中に含まれるＤＡＩのフィールドの存在の一例を示す。
【０２７６】
上位層によってＦＤＤセカンダリーセルでＰＵＣＣＨが送信されると設定される場合にＴＤＤセルに対して、または、上位層によってＦＤＤセカンダリーセルでＰＵＣＣＨが送信されると設定されず、プライマリーセルがＴＤＤである場合にサービングセル（ＦＤＤセル、または、ＴＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。
【０２７７】
一方で、上位層によってセカンダリーセルでＰＵＣＣＨが送信されると設定された場合におけるＦＤＤセルに対して、または、上位層によってセカンダリーセルでＰＵＣＣＨの送信が設定されず、プライマリーセルがＴＤＤでない場合におけるサービングセルに対して、送信される前記ＤＣＩの中には、ＤＡＩのフィールドが存在しない。
【０２７８】
上りリンクグラントに関するＤＣＩの中に含まれるＤＡＩのフィールドの存在の一例を示す。
【０２７９】
ＵＬ−ＤＬ設定が１−６で設定されたＴＤＤセルでＰＤＳＣＨを送信する場合は、上りリンクグラントに関するＤＣＩの中にＤＡＩを含めて送信する。加えて、ＴＤＤセルがプライマリーセルで設定されて、かつ、ＦＤＤセルでＰＤＳＣＨを送信する場合も、上りリンクグラントに関するＤＣＩの中にＤＡＩを含めて送信する。
【０２８０】
すなわち、ＵＬ−ＤＬ設定が１−６で設定されたＴＤＤセル、もしくは、プライマリーセルがＴＤＤによって運用されているＦＤＤセカンダリーセル（ＴＤＤプライマリーセルに集合されるＦＤＤセル）に対して、ＤＣＩフォーマット０／４によって送信されるＤＣＩの中には、２ビットのＤＡＩのフィールドが存在する。
【０２８１】
すなわち、ＵＬ−ＤＬ設定が１−６で設定されないＴＤＤセル、もしくは、プライマリーセルがＴＤＤによって運用されないＦＤＤセル（ＴＤＤプライマリーセルに集合されないＦＤＤセル）に対して、ＤＣＩフォーマット０／４によって送信されるＤＣＩの中には、ＤＡＩのフィールドが存在しない。
【０２８２】
上りリンクグラントに関するＤＣＩの中に含まれるＤＡＩのフィールドの存在の一例を示す。
【０２８３】
プライマリーセルがＴＤＤのとき、ＵＬ−ＤＬ設定が１−６で設定されたＴＤＤセルでＰＤＳＣＨを送信する場合も、ＦＤＤセルでＰＤＳＣＨを送信する場合も、上りリンクグラントに関するＤＣＩの中にＤＡＩを含めて送信する。一方で、プライマリーセルがＦＤＤのとき、ＴＤＤセルでＰＤＳＣＨを送信する場合でも、ＦＤＤセルでＰＤＳＣＨを送信する場合でも、上りリンクグラントに関するＤＣＩの中にＤＡＩを含めないで送信する。
【０２８４】
すなわち、プライマリーセルがＴＤＤであるときのみ、ＦＤＤセルまたはＵＬ−ＤＬ設定が１−６に設定されたＴＤＤセルに対して、ＤＣＩフォーマット０／４によって送信されるＤＣＩの中には、２ビットのＤＡＩのフィールドが存在する。
【０２８５】
すなわち、プライマリーセルがＴＤＤでないときは、ＤＣＩフォーマット０／４によって送信されるＤＣＩの中に、ＤＡＩのフィールドは存在しない。
【０２８６】
上りリンクグラントに関するＤＣＩの中に含まれるＤＡＩのフィールドの存在の一例を示す。
【０２８７】
上りリンクグラントでも、ＤＡＩのフィールドの存在は、ＦＤＤセルのスケジューリングを指示するＰＤＣＣＨ／ＥＰＤＣＣＨが配置されるＵＳＳに依存して決定される。
【０２８８】
すなわち、ＵＬ−ＤＬ設定が１−６で設定されたＴＤＤセルに対して、もしくは、ＴＤＤ−ＦＤＤ−ＣＡ設定が上位層で設定されて、ＦＤＤセルのＵＳＳに配置される、ＤＣＩフォーマット０／４によって送信されるＤＣＩの中には、２ビットのＤＡＩのフィールドが存在する。
【０２８９】
なお、ＴＤＤ−ＦＤＤ−ＣＡ設定が上位層で設定された場合に、ＦＤＤセルのＵＳＳで送信されるＰＤＣＣＨ／ＥＰＤＣＣＨに含まれるＤＣＩフォーマットの中にＤＡＩを含む一例を示したが、ＴＤＤ−ＦＤＤ−ＣＡ設定が上位層で設定された場合に、ＦＤＤセルのＣＳＳで送信されるＤＣＩフォーマットの中にＤＡＩを含んで送信されてもよい。
【０２９０】
すなわち、ＵＬ−ＤＬ設定が０で設定されたＴＤＤセルに対して、または、ＴＤＤ−ＦＤＤ−ＣＡ設定が上位層で設定されないＦＤＤセルに対してＤＣＩフォーマット０／４によって送信されるＤＣＩの中には、ＤＡＩのフィールドが存在しない。
【０２９１】
上りリンクグラントに関するＤＣＩの中に含まれるＤＡＩのフィールドの存在の一例を示す。
【０２９２】
上位層によってＦＤＤセカンダリーセルでＰＵＣＣＨが送信されると設定されない場合において、プライマリーセルがＴＤＤによって運用されているＦＤＤセカンダリーセル（ＴＤＤプライマリーセルに集合されるＦＤＤセル）またはＵＬ−ＤＬ設定が１−６で設定されたＴＤＤセルに対してＤＣＩフォーマット０／４によって送信されるＤＣＩの中には、２ビットのＤＡＩのフィールドが存在する。
【０２９３】
上位層によってＦＤＤセカンダリーセルでＰＵＣＣＨが送信されると設定された場合において、ＦＤＤセルおよびＵＬ−ＤＬ設定が０で設定されたＴＤＤセルに対してＤＣＩフォーマット０／４によって送信されるＤＣＩの中には、ＤＡＩのフィールドが存在しない。
【０２９４】
上りリンクグラントに関するＤＣＩの中に含まれるＤＡＩのフィールドの存在の一例を示す。
【０２９５】
上位層によってＦＤＤセカンダリーセルでＰＵＣＣＨが送信されると設定された場合において、ＵＬ−ＤＬ設定が１−６で設定されたＴＤＤセルに対してＤＣＩフォーマット０／４によって送信されるＤＣＩの中には、２ビットのＤＡＩのフィールドが存在する。
【０２９６】
上位層によってＦＤＤセカンダリーセルでＰＵＣＣＨが送信されると設定された場合において、ＵＬ−ＤＬ設定が０で設定されたＴＤＤセルおよびＦＤＤセルに対してＤＣＩフォーマット０／４によって送信されるＤＣＩの中には、ＤＡＩのフィールドが存在しない。
【０２９７】
下りリンクグラントに関するＤＣＩの中に含まれるＤＡＩのフィールドの適用の一例を示す。
【０２９８】
ＴＤＤセルとＦＤＤセルでキャリアアグリゲーションを行った時に、ＤＡＩフィールドはＦＤＤセルに対して常に適用されてもよい。
【０２９９】
１つ以上のＴＤＤセルが設定されて、全てのＴＤＤセルのＵＬ−ＤＬ設定が同じ場合に、ＵＬ−ＤＬ設定が１−６で設定されたＴＤＤセルで、下りリンクグラントに関するＤＣＩの中のＤＡＩのフィールドを適用する。加えて、２つ以上のＴＤＤセルが設定されて、少なくとも２つのＴＤＤセルが異なるＵＬ−ＤＬ設定で設定された場合に、下りリンク参照ＵＬ−ＤＬ設定が１−６で設定されたＴＤＤセルで、下りリンクグラントに関するＤＣＩの中のＤＡＩのフィールドを適用する。加えて、プライマリーセルがＴＤＤであり、少なくとも１つのセカンダリーセルがＦＤＤの場合、ＦＤＤセルで、下りリンクグラントに関するＤＣＩの中のＤＡＩのフィールドを適用する。
【０３００】
すなわち、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、ＤＡＩフィールドはＦＤＤセルまたは下りリンク参照ＵＬ−ＤＬ設定が１−６で設定されたＴＤＤセルに適用する。
【０３０１】
下りリンクグラントに関するＤＣＩの中に含まれるＤＡＩのフィールドの適用の一例を示す。
【０３０２】
下りリンク参照ＵＬ−ＤＬ設定は、主にＴＤＤセルで設定される。一方で、ＴＤＤセルとＦＤＤセルでキャリアアグリゲーションを行った時に、ＦＤＤセルに対しても下りリンク参照ＵＬ−ＤＬ設定が適用されてもよい。その際、ＤＡＩフィールドの適用は下りリンク参照ＵＬ−ＤＬ設定に従う。
【０３０３】
１つ以上のＴＤＤセルが設定されて、全てのＴＤＤセルのＵＬ−ＤＬ設定が同じ場合に、ＵＬ−ＤＬ設定が１−６で設定されたＴＤＤセルで、下りリンクグラントに関するＤＣＩの中のＤＡＩのフィールドを適用する。加えて、２つ以上のＴＤＤセルが設定されて、少なくとも２つのＴＤＤセルが異なるＵＬ−ＤＬ設定で設定された場合に、下りリンク参照ＵＬ−ＤＬ設定が１−６で設定されたＴＤＤセルで、下りリンクグラントに関するＤＣＩの中のＤＡＩのフィールドを適用する。加えて、プライマリーセルがＴＤＤであり、少なくとも１つのセカンダリーセルがＦＤＤの場合、下りリンク参照ＵＬ−ＤＬ設定が１−６で設定されたＦＤＤセルで、下りリンクグラントに関するＤＣＩの中のＤＡＩのフィールドを適用する。
【０３０４】
すなわち、端末装置２に１つのサービングセルが設定された場合、もしくは、端末装置２に１つより多くのサービングセルが設定されて、全てのサービングセルのＵＤ−ＤＬ設定が同じ場合において、ＤＡＩのフィールドはＵＬ−ＤＬ設定が１−６で設定されたサービングセルのみに適用する。端末装置２に１つより多くのサービングセルが設定されて、少なくとも２つのサービングセルが異なるＵＬ−ＤＬ設定を有する場合、もしくは、少なくとも１つのサービングセルがＦＤＤセルである場合において、ＤＡＩフィールドは下りリンク参照ＵＬ−ＤＬ設定が１−６で設定されたサービングセル（ＦＤＤセル、ＴＤＤセル）に適用する。
【０３０５】
上りリンクグラントに関するＤＣＩの中に含まれるＤＡＩのフィールドの適用の一例を示す。
【０３０６】
１つ以上のＴＤＤセルが設定されて、全てのＴＤＤセルのＵＬ−ＤＬ設定が同じ場合に、ＵＬ−ＤＬ設定が１−６で設定されたＴＤＤセルで、上りリンクグラントに関するＤＣＩの中のＤＡＩのフィールドを適用する。加えて、２つ以上のＴＤＤセルが設定されて、少なくとも２つのＴＤＤセルが異なるＵＬ−ＤＬ設定で設定された場合に、上りリンク参照ＵＬ−ＤＬ設定が１−６で設定されたＴＤＤセルで、上りリンクグラントに関するＤＣＩの中のＤＡＩのフィールドを適用する。加えて、プライマリーセルがＴＤＤであり、少なくとも１つのセカンダリーセルがＦＤＤの場合、ＦＤＤセルで、上りリンクグラントに関するＤＣＩの中のＤＡＩのフィールドを適用する。
【０３０７】
すなわち、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、ＤＡＩフィールドはＦＤＤセルまたは上りリンク参照ＵＬ−ＤＬ設定が１−６で設定されたＴＤＤセルに適用する。
【０３０８】
上りリンクグラントに関するＤＣＩの中に含まれるＤＡＩのフィールドの適用の一例を示す。
【０３０９】
１つ以上のＴＤＤセルが設定されて、全てのＴＤＤセルのＵＬ−ＤＬ設定が同じ場合に、ＵＬ−ＤＬ設定が１−６で設定されたＴＤＤセルで、上りリンクグラントに関するＤＣＩの中のＤＡＩのフィールドを適用する。加えて、２つ以上のＴＤＤセルが設定されて、少なくとも２つのＴＤＤセルが異なるＵＬ−ＤＬ設定で設定された場合に、上りリンク参照ＵＬ−ＤＬ設定が１−６で設定されたＴＤＤセルで、上りリンクグラントに関するＤＣＩの中のＤＡＩのフィールドを適用する。加えて、プライマリーセルがＴＤＤであり、少なくとも１つのセカンダリーセルがＦＤＤの場合、上りリンク参照ＵＬ−ＤＬ設定が１−６で設定されたＦＤＤセルで、上りリンクグラントに関するＤＣＩの中のＤＡＩのフィールドを適用する。
【０３１０】
すなわち、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、ＤＡＩフィールドはＦＤＤセルまたは上りリンク参照ＵＬ−ＤＬ設定が１−６で設定されたＴＤＤセルに適用する。
【０３１１】
上記の下りリンクグラントまたは上りリンクグラントに関するＤＣＩの中に含まれるＤＡＩのフィールドの存在およびＤＡＩの適用の組み合わせは限定されるものではないが、以下に、好ましい組み合わせの一例を記載する。
【０３１２】
下りリンクグラントまたは上りリンクグラントに関するＤＣＩの中に含まれるＤＡＩのフィールドの存在およびＤＡＩの適用の組み合わせの一例を示す。
【０３１３】
端末装置２に１つのＴＤＤセルが設定された場合、または、端末装置２に１つより多くのサービングセルが設定され、プライマリーセルがＴＤＤセルである場合、基地局装置１はＴＤＤセルおよびＦＤＤセルに関連付けて送信するＰＤＣＣＨ／ＥＰＤＣＣＨの中に含まれるＤＣＩにＤＡＩフィールドを設定する。
【０３１４】
全てのＵＬ−ＤＬ設定によるＴＤＤセル、もしくは、プライマリーセルがＴＤＤによって運用されているＦＤＤセカンダリーセル（ＴＤＤプライマリーセルに集合されるＦＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。
【０３１５】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは下りリンク参照ＵＬ−ＤＬ設定が１−６で設定されたＴＤＤセルに適用する。言い換えると、端末装置２に１つのＴＤＤセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２に１つより多くのサービングセルが設定されて、少なくとも２つのサービングセルが異なるＵＬ−ＤＬ設定を有する場合において、前記ＤＡＩフィールドは下りリンク参照ＵＬ−ＤＬ設定が０で設定されたサービングセルには適用しない。
【０３１６】
一方で、プライマリーセルがＴＤＤで運用されないＦＤＤセル（ＴＤＤプライマリーセルに集合されないＦＤＤセル）に対して送信される前記ＤＣＩの中には、ＤＡＩのフィールドが存在しない。言い換えると、プライマリーセルがＦＤＤで設定される端末装置２に対してＦＤＤセルで送信されるＤＣＩの中には、ＤＡＩのフィールドが存在しない。
【０３１７】
ＴＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３１８】
ＦＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３１９】
また、ＵＬ−ＤＬ設定が１−６で設定されたＴＤＤセル、もしくは、プライマリーセルがＴＤＤによって運用されているＦＤＤセカンダリーセル（ＴＤＤプライマリーセルに集合されるＦＤＤセル）に対して、ＤＣＩフォーマット０／４によって送信されるＤＣＩの中には、２ビットのＤＡＩのフィールドが存在する。
【０３２０】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは上りリンク参照ＵＬ−ＤＬ設定が１−６で設定されたＴＤＤセルに適用する。
【０３２１】
一方で、ＵＬ−ＤＬ設定が１−６で設定されないＴＤＤセル、もしくは、プライマリーセルがＴＤＤによって運用されないＦＤＤセル（ＴＤＤプライマリーセルに集合されないＦＤＤセル）に対して、ＤＣＩフォーマット０／４によって送信されるＤＣＩの中には、ＤＡＩのフィールドが存在しない。言い換えると、ＵＬ−ＤＬ設定が０で設定されたＴＤＤセル、もしくは、プライマリーセルがＦＤＤによって運用されるＦＤＤセルに対して、ＤＣＩフォーマット０／４によって送信されるＤＣＩの中には、ＤＡＩのフィールドが存在しない。
【０３２２】
下りリンクグラントまたは上りリンクグラントに関するＤＣＩの中に含まれるＤＡＩのフィールドの存在およびＤＡＩの適用の組み合わせの一例を示す。
【０３２３】
端末装置２に１つのＴＤＤセルが設定された場合、または、端末装置２に１つより多くのサービングセルが設定され、プライマリーセルがＴＤＤである場合、基地局装置１はサービングセル（ＴＤＤセル、ＦＤＤセル）に関連付けて送信するＰＤＣＣＨ／ＥＰＤＣＣＨの中に含まれるＤＣＩにＤＡＩフィールドを設定する。
【０３２４】
プライマリーセルがＴＤＤであるときのみ、サービングセル（ＦＤＤセル、または、ＴＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。一方で、プライマリーセルがＦＤＤであるときは、前記ＤＣＩの中に、ＤＡＩのフィールドが存在しない。
【０３２５】
なお、プライマリーセルがＴＤＤであるか否かに関わらず、ＵＬ−ＤＬ設定が０で設定されたＴＤＤセルに対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信される前記ＤＣＩに、２ビットのフィールドを予約してもよい。
【０３２６】
そして、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が１−６で設定されたサービングセルに適用する。端末装置２が１つより多くのサービングセルが設定されて、少なくとも２つのサービングセルが異なるＵＬ−ＤＬ設定を有する場合、もしくは、少なくとも１つのセルがＦＤＤセルである場合において、前記ＤＡＩフィールドはＦＤＤセルまたは下りリンク参照ＵＬ−ＤＬ設定が１−６で設定されたＴＤＤセルに適用する。言い換えると、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２が１つより多くのサービングセルが設定されて、少なくとも２つのサービングセルが異なるＵＬ−ＤＬ設定を有する場合、もしくは、少なくとも１つのサービングセルがＦＤＤセルである場合において、前記ＤＡＩフィールドは下りリンク参照ＵＬ−ＤＬ設定が０で設定されたサービングセルには適用しない。
【０３２７】
また、ＴＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３２８】
一方で、ＦＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３２９】
プライマリーセルがＴＤＤであるときのみ、ＦＤＤセルまたはＵＬ−ＤＬ設定が１−６に設定されたＴＤＤセルに対して、ＤＣＩフォーマット０／４によって送信されるＤＣＩの中には、２ビットのＤＡＩのフィールドが存在する。一方で、プライマリーセルがＴＤＤでないときは、ＤＣＩフォーマット０／４によって送信されるＤＣＩの中に、ＤＡＩのフィールドは存在しない。
【０３３０】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは上りリンク参照ＵＬ−ＤＬ設定が１−６で設定されたＴＤＤセルに適用する。
【０３３１】
なお、ＵＬ−ＤＬ設定が０で設定されたＴＤＤセルに対してＤＣＩフォーマット０／４によって送信される前記ＤＣＩには、ＤＡＩのためのフィールドを予約しなくてもよい。
【０３３２】
下りリンクグラントまたは上りリンクグラントに関するＤＣＩの中に含まれるＤＡＩのフィールドの存在およびＤＡＩの適用の組み合わせの一例を示す。
【０３３３】
端末装置２に１つのＴＤＤセルが設定された場合、端末装置２に１つより多くのサービングセルが設定され、全てのサービングセルがＴＤＤである場合、または、端末装置２に１つより多くのサービングセルが設定され、少なくとも一つはＦＤＤセカンダリーセルが設定された場合、基地局装置１はＴＤＤセルおよびＦＤＤセルに関連付けて送信するＰＤＣＣＨ／ＥＰＤＣＣＨの中に含まれるＤＣＩにＤＡＩフィールドを設定する。ＦＤＤセルに関連付けられてＰＤＣＣＨ／ＥＰＤＣＣＨに対応するＨＡＲＱ応答情報が端末装置２で送信されるタイミング（サブフレーム）は、下りリンク参照ＵＬ−ＤＬ設定に従う。
【０３３４】
また、全てのＵＬ−ＤＬ設定によるＴＤＤセル、もしくは、プライマリーセルがＴＤＤによって運用されているＦＤＤセカンダリーセル（ＴＤＤプライマリーセルに集合されるＦＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、ＤＡＩのフィールドが存在する。
【０３３５】
そして、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が１−６で設定されたサービングセルのみに適用する。端末装置２に１つより多くのサービングセルが設定されて、少なくとも２つのサービングセルが異なるＵＬ−ＤＬ設定を有する場合、もしくは、少なくとも１つのサービングセルがＦＤＤセルである場合において、前記ＤＡＩフィールドは下りリンク参照ＵＬ−ＤＬ設定が１−６で設定されたサービングセルに適用する。言い換えると、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２に１つより多くのサービングセルが設定されて、少なくとも２つのサービングセルが異なるＵＬ−ＤＬ設定を有する場合において、前記ＤＡＩフィールドは下りリンク参照ＵＬ−ＤＬ設定が０で設定されたサービングセルには適用しない。
【０３３６】
そして、プライマリーセルがＴＤＤで運用されないＦＤＤセル（ＴＤＤプライマリーセルに集合されないＦＤＤセル）に対して送信される前記ＤＣＩの中には、ＤＡＩのフィールドが存在しない。言い換えると、プライマリーセルがＦＤＤで設定される端末装置２に対して送信されるＤＣＩの中には、ＤＡＩのフィールドが存在しない。
【０３３７】
また、ＴＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３３８】
一方で、ＦＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３３９】
また、ＵＬ−ＤＬ設定が１−６で設定されたＴＤＤセル、もしくは、プライマリーセルがＴＤＤによって運用されているＦＤＤセカンダリーセル（ＴＤＤプライマリーセルに集合されるＦＤＤセル）に対して、ＤＣＩフォーマット０／４によって送信されるＤＣＩの中には、２ビットのＤＡＩのフィールドが存在する。
【０３４０】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドは上りリンク参照ＵＬ−ＤＬ設定が１−６で設定されたサービングセルに適用する。
【０３４１】
一方で、ＵＬ−ＤＬ設定が０で設定されたＴＤＤセル、または、プライマリーセルがＴＤＤによって運用されないＦＤＤセル（ＴＤＤプライマリーセルに集合されないＦＤＤセル）に対して、ＤＣＩフォーマット０／４によって送信されるＤＣＩの中には、ＤＡＩのフィールドが存在しない。
【０３４２】
下りリンクグラントまたは上りリンクグラントに関するＤＣＩの中に含まれるＤＡＩのフィールドの存在およびＤＡＩの適用の組み合わせの一例を示す。
【０３４３】
端末装置２に１つのＴＤＤセルが設定された場合、または、端末装置２に１つより多くのサービングセルが設定され、プライマリーセルがＴＤＤである場合、基地局装置１はＴＤＤセルおよびＦＤＤセルに関連付けて送信するＰＤＣＣＨ／ＥＰＤＣＣＨの中に含まれるＤＣＩにＤＡＩフィールドを設定する。ＦＤＤセルに関連付けられてＰＤＣＣＨ／ＥＰＤＣＣＨに対応するＨＡＲＱ応答情報が端末装置２で送信されるタイミング（サブフレーム）は、下りリンク参照ＵＬ−ＤＬ設定に従う。
【０３４４】
プライマリーセルがＴＤＤであるときのみ、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、ＤＡＩのフィールドが存在する。一方で、プライマリーセルがＴＤＤでないときは、前記ＤＣＩの中に、ＤＡＩのフィールドが存在しない。
【０３４５】
なお、ＵＬ−ＤＬ設定が０で設定されたＴＤＤセルに対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信される前記ＤＣＩに、２ビットのフィールドを予約してもよい。
【０３４６】
そして、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が１−６で設定されたサービングセルに適用する。端末装置２が１つより多くのサービングセルが設定されて、少なくとも２つのサービングセルが異なるＵＬ−ＤＬ設定を有する場合、もしくは、少なくとも１つのサービングセルがＦＤＤである場合において、前記ＤＡＩフィールドは下りリンク参照ＵＬ−ＤＬ設定が１−６で設定されたサービングセルに適用する。言い換えると、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２が１つより多くのサービングセルが設定されて、少なくとも２つのサービングセルが異なるＵＬ−ＤＬ設定を有する場合、もしくは、少なくとも１つのサービングセルがＦＤＤセルである場合において、前記ＤＡＩフィールドは下りリンク参照ＵＬ−ＤＬ設定が０で設定されたサービングセルには適用しない。
【０３４７】
また、ＴＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３４８】
一方で、ＦＤＤセルに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３４９】
また、プライマリーセルがＴＤＤであるときのみ、サービングセルに対して、ＤＣＩフォーマット０／４によって送信されるＤＣＩの中には、２ビットのＤＡＩのフィールドが存在する。一方で、プライマリーセルがＴＤＤでないときは、ＤＣＩフォーマット０／４によって送信されるＤＣＩの中に、ＤＡＩのフィールドは存在しない。
【０３５０】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドは上りリンク参照ＵＬ−ＤＬ設定が１−６で設定されたサービングセルに適用する。
【０３５１】
下りリンクグラントまたは上りリンクグラントに関するＤＣＩの中に含まれるＤＡＩのフィールドの存在およびＤＡＩの適用の組み合わせの一例を示す。
【０３５２】
端末装置２に１つのＴＤＤセルが設定された場合、端末装置２に１つより多くのサービングセルが設定され、全てのサービングセルがＴＤＤである場合、基地局装置１はＴＤＤセルに関連付けて送信するＰＤＣＣＨ／ＥＰＤＣＣＨの中に含まれるＤＣＩにＤＡＩフィールドを設定する。また、端末装置２にＴＤＤ−ＦＤＤ−ＣＡ設定が上位層で設定されて、少なくとも一つはＦＤＤセルが設定された場合、基地局装置１はＦＤＤセルに関連付けられたＵＳＳに配置して送信するＰＤＣＣＨ／ＥＰＤＣＣＨの中に含まれるＤＣＩにＤＡＩフィールドを設定する。
【０３５３】
なお、ＴＤＤ−ＦＤＤ−ＣＡ設定は、端末装置２に少なくとも２つのサービングセルのフレーム構成タイプが異なることを許可する設定である。
【０３５４】
全てのＵＬ−ＤＬ設定によるＴＤＤセルに対して、もしくは、ＴＤＤ−ＦＤＤ−ＣＡ設定が上位層で設定されて、ＦＤＤセルに対するＵＳＳに配置される、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、ＤＡＩのフィールドが存在する。
【０３５５】
そして、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が１−６で設定されたサービングセルのみに適用する。端末装置２に１つより多くのサービングセルが設定されて、少なくとも２つのサービングセルが異なるＵＬ−ＤＬ設定を有する場合、もしくは、少なくとも１つのセカンダリーセルがＦＤＤである場合において、前記ＤＡＩフィールドはＦＤＤセルまたは下りリンク参照ＵＬ−ＤＬ設定が１−６で設定されたＴＤＤセルに適用する。言い換えると、端末装置２に１つのサービングセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２に１つより多くのサービングセルが設定されて、少なくとも２つのサービングセルが異なるＵＬ−ＤＬ設定を有する場合において、前記ＤＡＩフィールドは下りリンク参照ＵＬ−ＤＬ設定が０で設定されたサービングセルには適用しない。
【０３５６】
そして、ＴＤＤ−ＦＤＤ−ＣＡ設定が上位層で設定されず、ＦＤＤセルに対して送信される前記ＤＣＩの中には、ＤＡＩのフィールドが存在しない。
【０３５７】
また、ＴＤＤに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３５８】
一方で、ＦＤＤに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３５９】
また、ＵＬ−ＤＬ設定が１−６で設定されたＴＤＤセルに対して、もしくは、ＴＤＤ−ＦＤＤ−ＣＡ設定が上位層で設定されて、ＦＤＤセルのＵＳＳに配置される、ＤＣＩフォーマット０／４によって送信されるＤＣＩの中には、２ビットのＤＡＩのフィールドが存在する。
【０３６０】
一方で、ＵＬ−ＤＬ設定が０で設定されたＴＤＤセルに対して、または、ＴＤＤ−ＦＤＤ−ＣＡ設定が上位層で設定されないＦＤＤセルに対してＤＣＩフォーマット０／４によって送信されるＤＣＩの中には、ＤＡＩのフィールドが存在しない。
【０３６１】
下りリンクグラントまたは上りリンクグラントに関するＤＣＩの中に含まれるＤＡＩのフィールドの存在およびＤＡＩの適用の組み合わせの一例を示す。
【０３６２】
上位層によってセカンダリーセルにおいてＰＵＣＣＨが送信可能と設定されない場合、更に、端末装置２に１つのＴＤＤセルが設定された場合、または、端末装置２に１つより多くのサービングセルが設定され、プライマリーセルがＴＤＤセルである場合、基地局装置１はＴＤＤセルおよびＦＤＤセルに関連付けて送信するＰＤＣＣＨ／ＥＰＤＣＣＨの中に含まれるＤＣＩにＤＡＩフィールドを設定する。言い換えると、上位層によってセカンダリーセルにおいてＰＵＣＣＨが送信可能と設定される場合、基地局装置１はＦＤＤセルに関連付けて送信するＰＤＣＣＨ／ＥＰＤＣＣＨの中に含まれるＤＣＩにＤＡＩフィールドを設定しない。
【０３６３】
全てのＵＬ−ＤＬ設定によるＴＤＤセル、もしくは、上位層によってＦＤＤセカンダリーセルでＰＵＣＣＨが送信されると設定されず、プライマリーセルがＴＤＤによって運用されているＦＤＤセカンダリーセル（ＴＤＤプライマリーセルに集合されるＦＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。
【０３６４】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは下りリンク参照ＵＬ−ＤＬ設定が１−６で設定されたＴＤＤセルに適用する。言い換えると、端末装置２に１つのＴＤＤセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２に１つより多くのサービングセルが設定されて、少なくとも２つのサービングセルが異なるＵＬ−ＤＬ設定を有する場合において、前記ＤＡＩフィールドは下りリンク参照ＵＬ−ＤＬ設定が０で設定されたサービングセルには適用しない。
【０３６５】
一方で、上位層によってＦＤＤセカンダリーセルでＰＵＣＣＨが送信されると設定された場合において、ＦＤＤセルに対して送信される前記ＤＣＩの中には、ＤＡＩのフィールドが存在しない。
【０３６６】
また、ＴＤＤに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３６７】
一方で、ＦＤＤに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３６８】
また、上位層によってＦＤＤセカンダリーセルでＰＵＣＣＨが送信されると設定されない場合において、プライマリーセルがＴＤＤによって運用されているＦＤＤセカンダリーセル（ＴＤＤプライマリーセルに集合されるＦＤＤセル）またはＵＬ−ＤＬ設定が１−６で設定されたＴＤＤセルに対してＤＣＩフォーマット０／４によって送信されるＤＣＩの中には、２ビットのＤＡＩのフィールドが存在する。
【０３６９】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは上りリンク参照ＵＬ−ＤＬ設定が１−６で設定されたＴＤＤセルに適用する。
【０３７０】
一方で、上位層によってＦＤＤセカンダリーセルでＰＵＣＣＨが送信されると設定された場合において、ＦＤＤセルおよびＵＬ−ＤＬ設定が０で設定されたＴＤＤセルに対してＤＣＩフォーマット０／４によって送信されるＤＣＩの中には、ＤＡＩのフィールドが存在しない。
【０３７１】
下りリンクグラントまたは上りリンクグラントに関するＤＣＩの中に含まれるＤＡＩのフィールドの存在およびＤＡＩの適用の組み合わせの一例を示す。
【０３７２】
ＨＡＲＱ応答情報を含んだＰＵＣＣＨがＦＤＤセカンダリーセルの上りリンクサブフレームで送信が可能と設定された場合、ＴＤＤセルに対してＤＡＩを含んで送信され、または、ＨＡＲＱ応答情報を含んだＰＵＣＣＨがＦＤＤセカンダリーセルの上りリンクサブフレームで送信が可能と設定されない場合、プライマリーセルがＴＤＤのときに、サービングセル（ＦＤＤセル、ＴＤＤセル）に対してＤＡＩを含んで送信される。
【０３７３】
すなわち、上位層によってセカンダリーセルにおいてＰＵＣＣＨが送信可能と設定されない場合、端末装置２に１つのＴＤＤセルが設定された場合、または、端末装置２に１つより多くのサービングセルが設定され、プライマリーセルがＴＤＤである場合、基地局装置１はサービングセル（ＴＤＤセル、ＦＤＤセル）に関連付けて送信するＰＤＣＣＨ／ＥＰＤＣＣＨの中に含まれるＤＣＩにＤＡＩフィールドを設定する。
【０３７４】
上位層によってＦＤＤセカンダリーセルでＰＵＣＣＨが送信されると設定される場合にＴＤＤセルに対して、または、上位層によってＦＤＤセカンダリーセルでＰＵＣＣＨが送信されると設定されず、プライマリーセルがＴＤＤである場合にサービングセル（ＦＤＤセル、または、ＴＤＤセル）に対して、ＤＣＩフォーマット１／１Ｂ／１Ｄ／２／２Ａ／２Ｂ／２Ｃ／２Ｄ、または、あるセルの１つのＰＤＳＣＨのコードワードのコンパクトスケジューリングおよびＰＤＣＣＨオーダーによって初期化されたランダムアクセスプロシージャのために用いられるＤＣＩフォーマット１Ａによって送信されるＤＣＩの中には、２ビットのＤＡＩのフィールドが存在する。
【０３７５】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは下りリンク参照ＵＬ−ＤＬ設定が１−６で設定されたＴＤＤセルに適用する。言い換えると、端末装置２に１つのＴＤＤセルが設定された場合、もしくは、端末装置２に１つより多くのサービングセルが設定されて、全てのサービングセルのＵＤ−ＤＬ設定が同じ場合において、前記ＤＡＩのフィールドはＵＬ−ＤＬ設定が０で設定されたサービングセルには適用しない。端末装置２に１つより多くのサービングセルが設定されて、少なくとも２つのサービングセルが異なるＵＬ−ＤＬ設定を有する場合において、前記ＤＡＩフィールドは下りリンク参照ＵＬ−ＤＬ設定が０で設定されたサービングセルには適用しない。
【０３７６】
一方で、上位層によってセカンダリーセルでＰＵＣＣＨが送信されると設定された場合におけるＦＤＤセルに対して、または、上位層によってセカンダリーセルでＰＵＣＣＨの送信が設定されず、プライマリーセルがＴＤＤでない場合におけるサービングセルに対して、送信される前記ＤＣＩの中には、ＤＡＩのフィールドが存在しない。
【０３７７】
また、ＴＤＤに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、２ビットのＤＡＩのフィールドが存在する。
【０３７８】
一方で、ＦＤＤに対して、ＲＡ−ＲＮＴＩ、Ｐ−ＲＮＴＩ、または、ＳＩ−ＲＮＴＩによってＣＲＣがスクランブルされたＤＣＩフォーマット１Ａによって送信されたＤＣＩの中には、ＤＡＩのフィールドが存在しない。
【０３７９】
また、上位層によってＦＤＤセカンダリーセルでＰＵＣＣＨが送信されると設定された場合において、ＵＬ−ＤＬ設定が１−６で設定されたＴＤＤセルに対してＤＣＩフォーマット０／４によって送信されるＤＣＩの中には、２ビットのＤＡＩのフィールドが存在する。
【０３８０】
そして、端末装置２に１つのＴＤＤセルが設定された場合、もしくは、端末装置２に１つより多くのＴＤＤセルが設定されて、全てのＴＤＤセルのＵＤ−ＤＬ設定が同じ場合において、前記ＤＡＩのフィールドはＵＬ−ＤＬ設定が１−６で設定されたサービングセルに適用する。端末装置２に１つより多くのサービングセルが設定されて、少なくとも２つのＴＤＤセルが異なるＵＬ−ＤＬ設定を有する場合、もしくは、少なくとも１つのサービングセルがＦＤＤである場合において、前記ＤＡＩフィールドはＦＤＤセルまたは上りリンク参照ＵＬ−ＤＬ設定が１−６で設定されたＴＤＤセルに適用する。
【０３８１】
一方で、上位層によってＦＤＤセカンダリーセルでＰＵＣＣＨが送信されると設定された場合において、ＵＬ−ＤＬ設定が０で設定されたＴＤＤセルおよびＦＤＤセルに対してＤＣＩフォーマット０／４によって送信されるＤＣＩの中には、ＤＡＩのフィールドが存在しない。
【０３８２】
なお、ＴＤＤセルとＦＤＤセルがキャリアアグリゲーションした場合、上りリンクグラントに含んで通知されるＤＡＩは、３ビット以上のフィールドが設定されてもよい。下りリンクグラントに含んで通知されるＤＡＩは、３ビット以上のフィールドが設定されてもよい。
【０３８３】
ＤＡＩの使用の一例を示す。
【０３８４】
設定されたサービングセルにおいて、下りリンク参照ＵＬ−ＤＬ設定が０である場合、ＤＣＩフォーマット１／１Ａ／１Ｂ／１Ｄ／２／２Ａ／２Ｂ／２Ｃ／２Ｄに含まれるＤＡＩは使わない。設定されたサービングセルにおいて、上りリンク参照ＵＬ−ＤＬ設定が０である場合、ＤＣＩフォーマット０／４に含まれるＤＡＩは使わない。
【０３８５】
ＤＡＩの使用の一例を示す。
【０３８６】
設定されたサービングセルにおいて、ＴＤＤプライマリーセルの下りリンク参照ＵＬ−ＤＬ設定が０である場合、ＤＣＩフォーマット１／１Ａ／１Ｂ／１Ｄ／２／２Ａ／２Ｂ／２Ｃ／２Ｄに含まれるＤＡＩは使わない。設定されたサービングセルにおいて、ＴＤＤプライマリーセルの上りリンク参照ＵＬ−ＤＬ設定が０である場合、ＤＣＩフォーマット０／４に含まれるＤＡＩは使わない。
【０３８７】
ＤＡＩの使用の一例を示す。
【０３８８】
設定されたサービングセルにおいて、プライマリーセルがＦＤＤセルである、もしくは、サービングセルの下りリンク参照ＵＬ−ＤＬ設定が０である場合、ＤＣＩフォーマット１／１Ａ／１Ｂ／１Ｄ／２／２Ａ／２Ｂ／２Ｃ／２Ｄに含まれるＤＡＩは使わない。設定されたサービングセルにおいて、プライマリーセルがＦＤＤセルである、もしくは、サービングセルの上りリンク参照ＵＬ−ＤＬ設定が０である場合、ＤＣＩフォーマット０／４に含まれるＤＡＩは使わない。
【０３８９】
ＤＡＩの使用の一例を示す。
【０３９０】
設定されたサービングセルにおいて、プライマリーセルがＦＤＤセルである、もしくは、ＴＤＤプライマリーセルの下りリンク参照ＵＬ−ＤＬ設定が０である場合、ＤＣＩフォーマット１／１Ａ／１Ｂ／１Ｄ／２／２Ａ／２Ｂ／２Ｃ／２Ｄに含まれるＤＡＩは使わない。設定されたサービングセルにおいて、プライマリーセルがＦＤＤセルである、もしくは、ＴＤＤプライマリーセルの上りリンク参照ＵＬ−ＤＬ設定が０である場合、ＤＣＩフォーマット０／４に含まれるＤＡＩは使わない。
【０３９１】
ＴＤＤセルにおいて、上りリンクグラントに含んで通知されるＤＡＩの値は、VULDAIとWULDAIの決定に用いられる。VULDAIは、１つのＴＤＤサービングセルが設定されて端末装置２にＰＵＣＣＨフォーマット３が設定されない場合に、上りリンクグラントに含んで通知されるＤＡＩの値を用いて決定される。WULDAIは、端末装置２に１つより多くのサービングセルが設定される場合に、または、端末装置２に１つのサービングセルとＰＵＣＣＨフォーマット３が設定される場合に、上りリンクグラントに含んで通知されるＤＡＩの値を用いて決定される。
【０３９２】
基地局装置１は、ＤＡＩを含んだ上りリンクグラントを図１３のテーブルに従って送信する。図１３は、上りリンク関連インデックスを示す一例である。上りリンク関連インデックスｋ’は図１３のテーブルを用いて定義される。ＤＡＩを含んだ上りリンクグラントがサブフレームｎで送信された場合、サブフレームｎ＋ｋ’でＰＵＳＣＨが送信される。前記ＰＵＳＣＨが送信されるサブフレームで端末装置２がＨＡＲＱ応答情報を送信する場合、ＤＡＩの情報を用いてＨＡＲＱ応答情報が構成され、前記ＰＵＳＣＨで送信される。
【０３９３】
すなわち、ＴＤＤ  ＵＬ−ＤＬ設定が１から６である１つの設定されたサービングセルにおいて、端末装置２にＰＵＣＣＨフォーマット３が設定されない場合、サブフレームｎ−ｋ’で端末装置２により検出されたＤＣＩフォーマット０／４に含まれるＤＡＩの値VULDAIは、全てのサブフレームｎ−ｋのうちの端末装置２に対応するＰＤＳＣＨ送信および下りリンクＳＰＳの解放を示すＰＤＣＣＨ／ＥＰＤＣＣＨを含むサブフレームの総数を示す。ここで、ｋ’は図１３のテーブルで定義され、また、ｋはＫに属する（ｋ∈Ｋ）。VULDAIの値は、全てのサブフレームのうちのＰＤＣＣＨ／ＥＰＤＣＣＨに対応するＰＤＳＣＨ送信とＰＤＣＣＨ／ＥＰＤＣＣＨに対応しないのＰＤＳＣＨ送信の全てを含む。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩの値に４が設定されることを期待することができる。
【０３９４】
すなわち、端末装置２に１つよりも多くのサービングセルが設定され、ＴＤＤ  ＵＬ−ＤＬ設定が１から６であるＴＤＤセルにおいて、または、端末装置２に１つのサービングセルとＰＵＣＣＨフォーマット３が設定され、ＴＤＤ  ＵＬ−ＤＬ設定が１から６のＴＤＤセルにおいて、WULDAIの値は、サブフレームｎ−ｋ’でＤＣＩフォーマット０／４の中のＤＡＩによって決定される。ここで、ｋ’は図１３のテーブルで定義される。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩによってWULDAIに４が設定されることを期待することができる。
【０３９５】
すなわち、あるサービングセルの上りリンク参照ＵＬ−ＤＬ設定が｛１，２，３，４，５，６｝のうちのいずれかに属する場合、WULDAIの値は、前記サービングセルで送信されるＰＵＳＣＨに対応し、サブフレームｎ−ｋ’で送信されるＤＣＩフォーマット０／４の中のＤＡＩによって決定される。ここで、ｋ’は図１３のテーブルで定義され、図１３のテーブルのＴＤＤ  ＵＬ−ＤＬ設定は前記サービングセルの上りリンク参照ＵＬ−ＤＬ設定を参照する。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩによってWULDAIに４が設定されることを期待することができる。
【０３９６】
以下では、異なるフレーム構造タイプが適用される複数のセルが集約される場合のWULDAIの決定について説明する。
【０３９７】
プライマリーセルがＴＤＤセルの場合、ＦＤＤセルにおいても、上りリンクグラントに含まれるＤＡＩの値によってWULDAIが設定される場合がある。
【０３９８】
ＴＤＤプライマリーセルである場合のみにサービングセルにＤＡＩフィールドが設定される場合であって、ＦＤＤセルに上りリンク参照ＵＬ−ＤＬ設定が設定される場合の一例を示す。
【０３９９】
プライマリーセルがＴＤＤセルであり、あるサービングセルの上りリンク参照ＵＬ−ＤＬ設定が｛１，２，３，４，５，６｝のうちのいずれかに属する場合、WULDAIの値は、前記サービングセルで送信されるＰＵＳＣＨに対応し、サブフレームｎ−ｋ’で送信されるＤＣＩフォーマット０／４の中のＤＡＩによって決定される。ここで、ｋ’は図１３のテーブルで定義され、図１３のテーブルのＴＤＤ  ＵＬ−ＤＬ設定は前記サービングセルの上りリンク参照ＵＬ−ＤＬ設定を参照する。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩによってWULDAIに４が設定されることを期待することができる。
【０４００】
ＴＤＤプライマリーセルである場合のみにサービングセルにＤＡＩフィールドが設定される場合であって、ＦＤＤセルに上りリンク参照ＵＬ−ＤＬ設定が設定されない場合の一例を示す。
【０４０１】
プライマリーセルがＴＤＤセルであり、ある設定されたＴＤＤセルの上りリンク参照ＵＬ−ＤＬ設定が｛１，２，３，４，５，６｝のうちのいずれかに属する場合、WULDAIの値は、前記ＴＤＤセルで送信されるＰＵＳＣＨに対応し、サブフレームｎ−ｋ’で送信されるＤＣＩフォーマット０／４の中のＤＡＩ、または、ＦＤＤセルで送信されるＰＵＳＣＨに対応し、サブフレームｎ−４で送信されるＤＣＩフォーマット０／４の中のＤＡＩ、によって決定される。ここで、ｋ’は図１３のテーブルで定義され、図１３のテーブルのＴＤＤ  ＵＬ−ＤＬ設定は前記ＴＤＤセルの上りリンク参照ＵＬ−ＤＬ設定を参照する。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩによってWULDAIに４が設定されることを期待することができる。
【０４０２】
ＴＤＤセルとＴＤＤプライマリーセルで設定されたＦＤＤセカンダリーセルに対してＤＡＩフィールドが設定される場合であって、ＦＤＤセルに上りリンク参照ＵＬ−ＤＬ設定が設定される場合の一例を示す。
【０４０３】
ＴＤＤセルまたはＴＤＤプライマリーセルと集約されたＦＤＤセカンダリーセルにおいて、あるサービングセルの上りリンク参照ＵＬ−ＤＬ設定が｛１，２，３，４，５，６｝のうちのいずれかに属する場合、WULDAIの値は、前記サービングセルで送信されるＰＵＳＣＨに対応し、サブフレームｎ−ｋ’で送信されるＤＣＩフォーマット０／４の中のＤＡＩによって決定される。ここで、ｋ’は図１３のテーブルで定義され、図１３のテーブルのＴＤＤ  ＵＬ−ＤＬ設定は前記サービングセルの上りリンク参照ＵＬ−ＤＬ設定を参照する。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩによってWULDAIに４が設定されることを期待することができる。
【０４０４】
ＴＤＤセルとＴＤＤプライマリーセルで設定されたＦＤＤセカンダリーセルに対してＤＡＩフィールドが設定される場合であって、ＦＤＤセルに上りリンク参照ＵＬ−ＤＬ設定が設定されない場合の一例を示す。
【０４０５】
ＴＤＤセルまたはＴＤＤプライマリーセルと集約されたＦＤＤセカンダリーセルにおいて、あるＴＤＤセルの上りリンク参照ＵＬ−ＤＬ設定が｛１，２，３，４，５，６｝のうちのいずれかに属する場合、WULDAIの値は、前記ＴＤＤセルで送信されるＰＵＳＣＨに対応し、サブフレームｎ−ｋ’で送信されるＤＣＩフォーマット０／４の中のＤＡＩ、または、ＦＤＤセルで送信されるＰＵＳＣＨに対応し、サブフレームｎ−４で送信されるＤＣＩフォーマット０／４の中のＤＡＩ、によって決定される。ここで、ｋ’は図１３のテーブルで定義され、図１３のテーブルのＴＤＤ  ＵＬ−ＤＬ設定は前記ＴＤＤセルの上りリンク参照ＵＬ−ＤＬ設定を参照する。端末装置２に対して指示するＰＤＳＣＨ送信および下りリンクＳＰＳリソースの解放を示すＰＤＣＣＨ／ＥＰＤＣＣＨの両方が無い場合、端末装置２は送信されたＤＣＩフォーマットの中のＤＡＩによってWULDAIに４が設定されることを期待することができる。
【０４０６】
ＴＤＤセルにおいて、下りリンクグラントに含まれて通知されるＤＡＩの値は、VDLDAIの決定に用いられる。
【０４０７】
端末装置２に１つのＴＤＤセル、または、同じＴＤＤ  ＵＬ−ＤＬ設定のＴＤＤセルが２つ以上、設定された場合のＴＤＤ  ＵＬ−ＤＬ設定が１から６のＴＤＤセルにおいて、または、端末装置２に２つ以上のＴＤＤセルが設定され、少なくとも２つのＴＤＤセルのＴＤＤ  ＵＬ−ＤＬ設定が異なる場合の下りリンク参照ＵＬ−ＤＬ設定が｛１，２，３，４，５，６｝のいずれかに属するＴＤＤセルにおいて、ＤＣＩフォーマット１／１Ａ／１Ｂ／１Ｄ／２／２Ａ／２Ｂ／２Ｃ／２Ｄに含まれるＤＡＩの値は、各々の設定されたサービングセルのサブフレームｎ−ｋのうちの現在までのサブフレームにおけるＰＤＳＣＨ送信あるいは下りリンクＳＰＳ（準定常的スケジューリング）のリリースを示すＰＤＣＣＨまたはＥＰＤＣＣＨの累積数を示し、前記ＤＡＩの値はサブフレーム毎に更新される。VDLDAI,cは、サービングセルｃにおいてサブフレームｎ−ｋｍで端末装置２によって検出されたＤＣＩフォーマット１／１Ａ／１Ｂ／１Ｄ／２／２Ａ／２Ｂ／２Ｃ／２Ｄを付随して送られるＰＤＣＣＨ／ＥＰＤＣＣＨの中のＤＡＩの値として示す。ここで、ｋｍは図６のテーブルで定義されたセットＫで端末装置２が１／１Ａ／１Ｂ／１Ｄ／２／２Ａ／２Ｂ／２Ｃ／２Ｄで検出したｋｍのうちで最も小さい値である。なお、１つのサービングセルが設定された場合、VDLDAI,cのｃの表記は削除されても良い。
【０４０８】
以下では、異なるフレーム構造タイプが適用される複数のセルが集約される場合のVDLDAI,cの決定について説明する。
【０４０９】
プライマリーセルがＴＤＤセルの場合、ＦＤＤセルにおいても、下りリンクグラントに含まれるＤＡＩの値によってVDLDAI,cが設定される場合がある。
【０４１０】
ＴＤＤプライマリーセルである場合のみにサービングセルにＤＡＩフィールドが設定される場合であって、下りリンク関連セットが定義されるテーブルがＴＤＤセルとＦＤＤセルとで個別に設定される場合の一例を示す。
【０４１１】
プライマリーセルがＴＤＤである場合、ＦＤＤセルまたは下りリンク参照ＵＬ−ＤＬ設定が１から６であるＴＤＤセルにおいて、ＤＣＩフォーマット１／１Ａ／１Ｂ／１Ｄ／２／２Ａ／２Ｂ／２Ｃ／２Ｄに含まれるＤＡＩの値は、各々の設定されたサービングセルのサブフレームｎ−ｋのうちの現在までのサブフレームにおけるＰＤＳＣＨ送信あるいは下りリンクＳＰＳ（準定常的スケジューリング）のリリースを示すＰＤＣＣＨまたはＥＰＤＣＣＨの累積数を示し、前記ＤＡＩの値はサブフレーム毎に更新される。VDLDAI,cは、サービングセルｃにおいてサブフレームｎ−ｋｍで端末装置２によって検出されたＤＣＩフォーマット１／１Ａ／１Ｂ／１Ｄ／２／２Ａ／２Ｂ／２Ｃ／２Ｄを付随して送られるＰＤＣＣＨ／ＥＰＤＣＣＨの中のＤＡＩの値として示す。ここで、ｋｍは、ＦＤＤセルにおいては図９のテーブルで定義されたセットＫで、ＴＤＤセルにおいては図６のテーブルで定義されたセットＫで、端末装置２が１／１Ａ／１Ｂ／１Ｄ／２／２Ａ／２Ｂ／２Ｃ／２Ｄで検出したｋｍのうちで最も小さい値である。
【０４１２】
ＴＤＤセルとＴＤＤプライマリーセルで設定されたＦＤＤセカンダリーセルに対してＤＡＩフィールドが設定される場合であって、下りリンク関連セットが定義されるテーブルがＴＤＤセルとＦＤＤセルとで個別に設定される場合の一例を示す。
【０４１３】
ＴＤＤプライマリーセルと集約されたＦＤＤセカンダリーセルまたは下りリンク参照ＵＬ−ＤＬ設定が１から６であるＴＤＤセルにおいて、ＤＣＩフォーマット１／１Ａ／１Ｂ／１Ｄ／２／２Ａ／２Ｂ／２Ｃ／２Ｄに含まれるＤＡＩの値は、各々の設定されたサービングセルのサブフレームｎ−ｋのうちの現在までのサブフレームにおけるＰＤＳＣＨ送信あるいは下りリンクＳＰＳ（準定常的スケジューリング）のリリースを示すＰＤＣＣＨまたはＥＰＤＣＣＨの累積数を示し、前記ＤＡＩの値はサブフレーム毎に更新される。VDLDAI,cは、サービングセルｃにおいてサブフレームｎ−ｋｍで端末装置２によって検出されたＤＣＩフォーマット１／１Ａ／１Ｂ／１Ｄ／２／２Ａ／２Ｂ／２Ｃ／２Ｄを付随して送られるＰＤＣＣＨ／ＥＰＤＣＣＨの中のＤＡＩの値として示す。ここで、ｋｍは、ＦＤＤセルにおいては図９のテーブルで定義されたセットＫで、ＴＤＤセルにおいては図６のテーブルで定義されたセットＫで、端末装置２が１／１Ａ／１Ｂ／１Ｄ／２／２Ａ／２Ｂ／２Ｃ／２Ｄで検出したｋｍのうちで最も小さい値である。
【０４１４】
ＴＤＤプライマリーセルである場合のみにサービングセルにＤＡＩフィールドが設定される場合であって、下りリンク関連セットが定義されるテーブルがＴＤＤセルとＦＤＤセルとで共通に設定される場合の一例を示す。
【０４１５】
プライマリーセルがＴＤＤである場合、ＦＤＤセルまたは下りリンク参照ＵＬ−ＤＬ設定が１から６であるＴＤＤセルにおいて、ＤＣＩフォーマット１／１Ａ／１Ｂ／１Ｄ／２／２Ａ／２Ｂ／２Ｃ／２Ｄに含まれるＤＡＩの値は、各々の設定されたサービングセルのサブフレームｎ−ｋのうちの現在までのサブフレームにおけるＰＤＳＣＨ送信あるいは下りリンクＳＰＳ（準定常的スケジューリング）のリリースを示すＰＤＣＣＨまたはＥＰＤＣＣＨの累積数を示し、前記ＤＡＩの値はサブフレーム毎に更新される。VDLDAI,cは、サービングセルｃにおいてサブフレームｎ−ｋｍで端末装置２によって検出されたＤＣＩフォーマット１／１Ａ／１Ｂ／１Ｄ／２／２Ａ／２Ｂ／２Ｃ／２Ｄを付随して送られるＰＤＣＣＨ／ＥＰＤＣＣＨの中のＤＡＩの値として示す。ここで、ｋｍは図６のテーブルで定義されたセットＫで、端末装置２が１／１Ａ／１Ｂ／１Ｄ／２／２Ａ／２Ｂ／２Ｃ／２Ｄで検出したｋｍのうちで最も小さい値である。
【０４１６】
ＴＤＤセルとＴＤＤプライマリーセルで設定されたＦＤＤセカンダリーセルに対してＤＡＩフィールドが設定される場合であって、下りリンク関連セットが定義されるテーブルがＴＤＤセルとＦＤＤセルとで共通に設定される場合の一例を示す。
【０４１７】
ＴＤＤプライマリーセルと集約されたＦＤＤセカンダリーセルまたは下りリンク参照ＵＬ−ＤＬ設定が１から６であるＴＤＤセルにおいて、ＤＣＩフォーマット１／１Ａ／１Ｂ／１Ｄ／２／２Ａ／２Ｂ／２Ｃ／２Ｄに含まれるＤＡＩの値は、各々の設定されたサービングセルのサブフレームｎ−ｋのうちの現在までのサブフレームにおけるＰＤＳＣＨ送信あるいは下りリンクＳＰＳ（準定常的スケジューリング）のリリースを示すＰＤＣＣＨまたはＥＰＤＣＣＨの累積数を示し、前記ＤＡＩの値はサブフレーム毎に更新される。VDLDAI,cは、サービングセルｃにおいてサブフレームｎ−ｋｍで端末装置２によって検出されたＤＣＩフォーマット１／１Ａ／１Ｂ／１Ｄ／２／２Ａ／２Ｂ／２Ｃ／２Ｄを付随して送られるＰＤＣＣＨ／ＥＰＤＣＣＨの中のＤＡＩの値として示す。ここで、ｋｍは図６のテーブルで定義されたセットＫで、端末装置２が１／１Ａ／１Ｂ／１Ｄ／２／２Ａ／２Ｂ／２Ｃ／２Ｄで検出したｋｍのうちで最も小さい値である。
【０４１８】
ＴＤＤにおいて、各ＴＤＤサービングセルのＰＤＳＣＨ送信を割り当てたＰＤＣＣＨ／ＥＰＤＣＣＨおよび下りリンクＳＰＳの解放を示すＰＤＣＣＨ／ＥＰＤＣＣＨの総数を示すUDAI,cが設定される。
【０４１９】
すなわち、全てのＴＤＤ  ＵＬ−ＤＬ設定のＴＤＤセルにおいて、UDAI,cは、サービングセルｃのサブフレームｎ−ｋのうちの端末装置２で検出したＰＤＳＣＨ送信を割り当てたＰＤＣＣＨ／ＥＰＤＣＣＨおよび下りリンクＳＰＳの解放を示すＰＤＣＣＨ／ＥＰＤＣＣＨの総数を示す。ここで、ｋはＫに属する（ｋ∈Ｋ）。NSPSはサブフレームｎ−ｋのうちのＰＤＣＣＨ／ＥＰＤＣＣＨに伴わないＰＤＳＣＨ送信の数を示し、NSPSは０か１である。ここで、ｋはＫに属する（ｋ∈Ｋ）。
【０４２０】
以下では、異なるフレーム構造タイプが適用される複数のセルが集約される場合のUDAI,cの決定について説明する。
【０４２１】
ＴＤＤプライマリーセルである場合のみにサービングセルにＤＡＩフィールドが設定される場合の一例を示す。
【０４２２】
全てのＴＤＤ  ＵＬ−ＤＬ設定のＴＤＤセルにおいて、UDAI,cは、サービングセルｃのサブフレームｎ−ｋのうちの端末装置２で検出したＰＤＳＣＨ送信を割り当てたＰＤＣＣＨ／ＥＰＤＣＣＨおよび下りリンクＳＰＳの解放を示すＰＤＣＣＨ／ＥＰＤＣＣＨの総数を示す。ここで、ｋはＫに属する（ｋ∈Ｋ）。NSPSはサブフレームｎ−ｋのうちのＰＤＣＣＨ／ＥＰＤＣＣＨに伴わないＰＤＳＣＨ送信の数を示し、NSPSは０か１である。ここで、ｋはＫに属する（ｋ∈Ｋ）。
【０４２３】
サービングセルにおいて、プライマリーセルがＴＤＤである場合、UDAI,cは、サブフレームｃのサブフレームｎ−ｋのうちの端末装置２で検出したＰＤＳＣＨ送信を割り当てたＰＤＣＣＨ／ＥＰＤＣＣＨおよび下りリンクＳＰＳの解放を示すＰＤＣＣＨ／ＥＰＤＣＣＨの総数を示す。ここで、ｋはＫに属する（ｋ∈Ｋ）。NSPSはサブフレームｎ−ｋのうちのＰＤＣＣＨ／ＥＰＤＣＣＨに伴わないＰＤＳＣＨ送信の数を示し、NSPSは０か１である。ここで、ｋはＫに属する（ｋ∈Ｋ）。
【０４２４】
ＴＤＤセルとＴＤＤプライマリーセルで設定されたＦＤＤセカンダリーセルに対してＤＡＩフィールドが設定される場合の一例を示す。
【０４２５】
ＴＤＤセル、もしくは、ＴＤＤプライマリーセルと集約されたＦＤＤセカンダリーセルにおいて、UDAI,cは、サブフレームｃのサブフレームｎ−ｋのうちの端末装置２で検出したＰＤＳＣＨ送信を割り当てたＰＤＣＣＨ／ＥＰＤＣＣＨおよび下りリンクＳＰＳの解放を示すＰＤＣＣＨ／ＥＰＤＣＣＨの総数を示す。ここで、ｋはＫに属する（ｋ∈Ｋ）。NSPSはサブフレームｎ−ｋのうちのＰＤＣＣＨ／ＥＰＤＣＣＨに伴わないＰＤＳＣＨ送信の数を示し、NSPSは０か１である。ここで、ｋはＫに属する（ｋ∈Ｋ）。
【０４２６】
以下では、ＰＵＣＣＨフォーマット３がＨＡＲＱ応答情報の送信として設定された場合における１つまたは複数のＨＡＲＱ−ＡＣＫフィードバックビット｛oACKc,0, oACKc,1,…, oACKc,OACKc-1｝（ＨＡＲＱ−ＡＣＫフィードバックビット列）の構成について説明する。
【０４２７】
上りリンクグラントに含まれるＤＡＩの値に基づいて、ＨＡＲＱ−ＡＣＫフィードバックビットのビット数が決定される。
【０４２８】
下りリンクグラントに含まれるＤＡＩの値に基づいて、ＨＡＲＱ−ＡＣＫフィードバックビットの配置が決定される。
【０４２９】
ＦＤＤのセルとＴＤＤのセルとを用いて、基地局と通信する端末であって、第１のＤＣＩフォーマットまたは第２のＤＣＩフォーマットを用いて送信されたＰＤＣＣＨで受信する受信部を備える。前記基地局により前記ＦＤＤのセルと前記ＴＤＤのセルとの統合が設定される場合、所定のサブフレーム内の現在までのサブフレームにおけるＰＤＳＣＨ送信あるいは下りリンク準定常的スケジューリングのリリースを示すＰＤＣＣＨまたはＥＰＤＣＣＨの累積数を示す第１のＤＡＩは、前記第１のＤＣＩフォーマットに含まれて受信し、前記ＦＤＤのセルにおける前記ＰＤＳＣＨ送信あるいは前記ＰＤＣＣＨまたはＥＰＤＣＣＨに対応するＨＡＲＱ−ＡＣＫフィードバックビットを決定し、前記第１のＤＡＩとは異なる第２のＤＡＩは、前記第２のＤＣＩフォーマットに含まれて受信し、前記ＦＤＤのセルにおける前記ＨＡＲＱ−ＡＣＫフィードバックビットの大きさを決定する。また、前記ＨＡＲＱ応答情報は、ＰＵＣＣＨフォーマット３によって送信される。また、前記ＴＤＤのセルはプライマリーセルであり、前記ＦＤＤのセルはセカンダリーセルである。また、前記ＴＤＤのセルにおける下りリンク関連セットを定義するテーブルと、前記ＦＤＤのセルにおける下りリンク関連セットを定義するテーブルと、が異なる。前記第１のＤＡＩは、全ての下りリンク参照上りリンク−下りリンク設定で前記ＦＤＤのセルで使用される。
【０４３０】
ＰＵＣＣＨフォーマット３がＨＡＲＱ応答情報の送信として設定された場合、ＲＲＣで設定されたｃ番目のサービングセルに対するＨＡＲＱ−ＡＣＫフィードバックビット｛oACKc,0, oACKc,1,…, oACKc,OACKc-1｝は次の条件で構成される。ｃは０または０より大きく、ｃ番目のサービングセルで設定された送信モードが１つのトランスポートブロックをサポートする、または、空間ＨＡＲＱ応答情報バンドリングが適用された場合にOACKｃはBDLcと等しく（OACKｃ＝BDLc）、それ以外の場合にOACKｃはBDLcの２倍と等しい（OACKｃ＝2BDLc）。ここで、BDLcは端末装置２がｃ番目のサービングセルに対するＨＡＲＱ応答情報ビットをフィードバックするのに必要な下りリンクサブフレームの数である。
【０４３１】
以下では、端末装置２に１つのＴＤＤセルが設定される、または、２つ以上のＴＤＤセルが設定され、全てのＴＤＤセルのＴＤＤ  ＵＬ−ＤＬ設定が同じ場合のBDLcの決定について説明する。
【０４３２】
サブフレームｎにおいて、ＰＵＣＣＨでＨＡＲＱ応答情報を送信、もしくは、ＤＣＩフォーマットに対応されないＰＵＳＣＨが送信、もしくは、ＴＤＤ  ＵＬ−ＤＬ設定が０のサービングセルでＤＣＩフォーマットに対応してＰＵＳＣＨが送信される場合、図１４の数式（ａ−１）を適用する。ＴＤＤ  ＵＬ−ＤＬ設定が１から６のいずれかが設定されたサービングセルでＤＣＩフォーマットに対応してＰＵＳＣＨが送信される場合、図１４の数式（ａ−２）を適用する。ＴＤＤ  ＵＬ−ＤＬ設定が１から６で設定されたサービングセルでＤＣＩフォーマットに対応してＰＵＳＣＨが送信される場合、図１４の数式（ａ−３）を適用する。
【０４３３】
端末装置２がＰＵＣＣＨで送信する場合、BDLcはMと等しい（図１４の数式（ａ−１））。
【０４３４】
ＴＤＤ  ＵＬ−ＤＬ設定０のＴＤＤセル、または、関連して検出されたＤＣＩフォーマット０／４に基づいて調整されなかったＰＵＳＣＨにおいて、BDLcはMcと等しい（図１４の数式（ａ−１））。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ応答情報をＰＵＳＣＨで送信しない。ここで、ｋはＫに属する（ｋ∈Ｋ）。
【０４３５】
ＴＤＤ  ＵＬ−ＤＬ設定が｛０，１，２，３，４，６｝のいずれかのＴＤＤセルにおいて、または、ＤＣＩフォーマット０／４を付随して、検出されたＰＤＣＣＨ／ＥＰＤＣＣＨに基づいて調整されたサブフレームｎのＰＵＳＣＨ送信に対して、端末装置２はWULDAIをBDLcに代入する（図１４の数式（ａ−２））ことを想定する。WULDAIが４であって（WULDAI＝４）、端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ−ＡＣＫをＰＵＳＣＨで送信しない。ここで、ｋはＫに属する（ｋ∈Ｋ）。
【０４３６】
ＴＤＤ  ＵＬ−ＤＬ設定が５であるＴＤＤセルにおいて、または、ＤＣＩフォーマット０／４を付随して、検出されたＰＤＣＣＨ／ＥＰＤＣＣＨに基づいて調整されたサブフレームｎのＰＵＳＣＨ送信において、端末装置２は、UとWULDAIとの差分を４で除算した値の小数点を正の無限大の方向に丸めて４を乗算した値にWULDAIを加算した値をBDLcに代入する（図１４の数式（ａ−３））ことを想定する。ここで、Uは全ての設定されたサービングセルの間で最大のUcの値を示し、UcはセットＫに属するｋにより定められるｃ番目のサービングセルのサブフレームｎ−ｋで受信したＰＤＳＣＨおよび下りリンクＳＰＳの解放を示すＰＤＣＣＨ／ＥＰＤＣＣＨの総数である。WULDAIが４であって（WULDAI＝４）、端末装置２がサブフレームｎ−ｋでＰＤＳＣＨおよび下りリンクＳＰＳの解放を示すＰＤＣＣＨ／ＥＰＤＣＣＨの両方を受信しなかった場合、端末装置２はＰＵＳＣＨによるＨＡＲＱ−ＡＣＫを送信しない。
【０４３７】
以下では、端末装置２に２つ以上のＴＤＤセルが設定され、少なくとも２つのＴＤＤセルのＴＤＤ  ＵＬ−ＤＬ設定が異なる場合のBDLcの決定について説明する。
【０４３８】
サブフレームｎにおいて、ＰＵＣＣＨでＨＡＲＱ応答情報を送信、もしくは、ＤＣＩフォーマットに対応されないＰＵＳＣＨが送信、もしくは、上りリンク参照ＵＬ−ＤＬ設定が０のサービングセルでＤＣＩフォーマットに対応してＰＵＳＣＨが送信される場合、図１４の数式（ｂ−１）を適用する。上りリンク参照ＵＬ−ＤＬ設定が１から６で下りリンク参照ＵＬ−ＤＬ設定が０、１、２、３、４、または、６のいずれかが設定されたサービングセルでＤＣＩフォーマットに対応してＰＵＳＣＨが送信される場合、図１４の数式（ｂ−２）を適用する。上りリンク参照ＵＬ−ＤＬ設定が１から６で下りリンク参照ＵＬ−ＤＬ設定５が設定されたサービングセルでＤＣＩフォーマットに対応してＰＵＳＣＨが送信される場合、図１４の数式（ｂ−３）を適用する。
【０４３９】
すなわち、端末装置２でサブフレームｎにおいて、ＰＵＣＣＨ、もしくは、検出されたＤＣＩフォーマット０／４に基づいて調整されなかったＰＵＳＣＨ、もしくは、関連して検出された上りリンク参照ＵＬ−ＤＬ設定０のＤＣＩフォーマット０／４に基づいて調整されたＰＵＳＣＨ、が送信された場合に、BDLcはMcと等しい（図１４の数式（ｂ−１））。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ応答情報をＰＵＳＣＨで送信しない。ここで、ｋはＫに属する（ｋ∈Ｋ）。
【０４４０】
すなわち、設定されたサービングセルの各々の下りリンク参照ＵＬ−ＤＬ設定が｛０，１，２，３，４，６｝のいずれかに属する場合に、上りリンク参照ＵＬ−ＤＬ設定が｛１，２，３，４，５，６｝のいずれかに属するＴＤＤセルを用いてＤＣＩフォーマット０／４を付随して、検出されたＰＤＣＣＨ／ＥＰＤＣＣＨに基づいて調整されたサブフレームｎのＰＵＳＣＨ送信に対して、端末装置２はWULDAIとMcで比較し小さい値をBDLcに代入する（図１４の数式（ｂ−２））ことを想定する。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ−ＡＣＫをＰＵＳＣＨで送信しない。ここで、ｋはＫに属する（ｋ∈Ｋ）。
【０４４１】
すなわち、少なくとも１つのサービングセルの下りリンク参照ＵＬ−ＤＬ設定が５である場合に、上りリンク参照ＵＬ−ＤＬ設定が｛１，２，３，４，５，６｝のいずれかに属するＴＤＤセルを用いてＤＣＩフォーマット０／４を付随して、検出されたＰＤＣＣＨ／ＥＰＤＣＣＨに基づいて調整されたサブフレームｎのＰＵＳＣＨ送信に対して、端末装置２は、UとWULDAIとの差分を４で除算した値の小数点を正の無限大の方向に丸めて４を乗算した値にWULDAIを加算した値と、Mcと比較して小さい値をBDLcに代入する（図１４の数式（ｂ−３））ことを想定する。ここで、Uは全ての設定されたサービングセルの間で最大のUcの値を示し、UcはセットＫに属するｋにより定められるｃ番目のサービングセルのサブフレームｎ−ｋで受信したＰＤＳＣＨおよび下りリンクＳＰＳの解放を示すＰＤＣＣＨ／ＥＰＤＣＣＨの総数である。WULDAIが４であって（WULDAI＝４）、端末装置２がサブフレームｎ−ｋでＰＤＳＣＨおよび下りリンクＳＰＳの解放を示すＰＤＣＣＨ／ＥＰＤＣＣＨの両方を受信しなかった場合、端末装置２はＰＵＳＣＨによるＨＡＲＱ−ＡＣＫを送信しない。
【０４４２】
以下では、端末装置２に２つ以上のサービングセルが設定され、少なくとも２つのサービングセルのフレーム構成が異なる場合のBDLcの決定について説明する。
【０４４３】
プライマリーセルがＴＤＤセルの場合、ＦＤＤセルにおいても、上りリンクグラントに含まれるＤＡＩの値と下りリンク関連セットＭの値に基づいてＨＡＲＱ−ＡＣＫフィードバックビットの大きさを決定する。
【０４４４】
ＴＤＤプライマリーセルである場合のみにサービングセルにＤＡＩフィールドが設定される場合であって、下りリンク関連セットが定義されるテーブルがＴＤＤセルとＦＤＤセルとで個別に設定される場合において、下りリンク参照ＵＬ−ＤＬ設定によって適用する数式を切り替える一例を示す。
【０４４５】
プライマリーセルがＴＤＤである場合に、サブフレームｎにおいて、ＰＵＣＣＨでＨＡＲＱ応答情報を送信、もしくは、ＤＣＩフォーマットに対応されないＰＵＳＣＨが送信、もしくは、上りリンク参照ＵＬ−ＤＬ設定が０のサービングセルでＤＣＩフォーマットに対応してＰＵＳＣＨが送信される場合、図１４の数式（ｂ−１）を適用する。プライマリーセルがＴＤＤである場合に、サブフレームｎにおいて、上りリンク参照ＵＬ−ＤＬ設定が１から６で設定され、下りリンク参照ＵＬ−ＤＬ設定が０、１、３、または、６のいずれかが設定されたＦＤＤセルまたは下りリンク参照ＵＬ−ＤＬ設定が０、１、２、３、４、または、６のいずれかが設定されたＴＤＤセルでＤＣＩフォーマットに対応してＰＵＳＣＨが送信される場合、図１４の数式（ｂ−２）を適用する。プライマリーセルがＴＤＤである場合に、サブフレームｎにおいて、上りリンク参照ＵＬ−ＤＬ設定が１から６で下りリンク参照ＵＬ−ＤＬ設定が２、４、または、５のいずれかが設定されたＦＤＤセルまたは下りリンク参照ＵＬ−ＤＬ設定５が設定されたＴＤＤセルでＤＣＩフォーマットに対応してＰＵＳＣＨが送信される場合、図１４の数式（ｂ−３）を適用する。プライマリーセルがＦＤＤである場合に、図１４の数式（ｂ−４）を適用する。
【０４４６】
プライマリーセルがＴＤＤである場合に、端末装置２でサブフレームｎにおいて、ＰＵＣＣＨ、もしくは、検出されたＤＣＩフォーマット０／４に基づいて調整されなかったＰＵＳＣＨ、もしくは、関連して検出された上りリンク参照ＵＬ−ＤＬ設定０のＤＣＩフォーマット０／４に基づいて調整されたＰＵＳＣＨ、が送信された場合に、BDLcはMcと等しい（図１４の数式（ｂ−１））。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ応答情報をＰＵＳＣＨで送信しない。ここで、ｋはＫに属する（ｋ∈Ｋ）。
【０４４７】
プライマリーセルがＴＤＤである場合で、設定されたＦＤＤセルの各々の下りリンク参照ＵＬ−ＤＬ設定が｛０，１，３，６｝のいずれかに属する、または、設定されたＴＤＤセルの各々の下りリンク参照ＵＬ−ＤＬ設定が｛０，１，２，３，４，６｝のいずれかに属する、場合に、上りリンク参照ＵＬ−ＤＬ設定が｛１，２，３，４，５，６｝のいずれかに属するサービングセルを用いてＤＣＩフォーマット０／４を付随して、検出されたＰＤＣＣＨ／ＥＰＤＣＣＨに基づいて調整されたサブフレームｎのＰＵＳＣＨ送信に対して、端末装置２はWULDAIとMcで比較し小さい値をBDLcに代入する（図１４の数式（ｂ−２））ことを想定する。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ−ＡＣＫをＰＵＳＣＨで送信しない。ここで、ｋはＫに属する（ｋ∈Ｋ）。
【０４４８】
プライマリーセルがＴＤＤである場合で、少なくとも１つのＦＤＤセルの下りリンク参照ＵＬ−ＤＬ設定が｛２，４，５｝である、または、少なくとも１つのＴＤＤセルの下りリンク参照ＵＬ−ＤＬ設定が５である場合に、上りリンク参照ＵＬ−ＤＬ設定が｛１，２，３，４，５，６｝のいずれかに属するサービングセルを用いてＤＣＩフォーマット０／４を付随して、検出されたＰＤＣＣＨ／ＥＰＤＣＣＨに基づいて調整されたサブフレームｎのＰＵＳＣＨ送信に対して、端末装置２は、UとWULDAIとの差分を４で除算した値の小数点を正の無限大の方向に丸めて４を乗算した値にWULDAIを加算した値と、Mcと比較して小さい値をBDLcに代入する（図１４の数式（ｂ−３））ことを想定する。ここで、Uは全ての設定されたサービングセルの間で最大のUcの値を示し、UcはセットＫに属するｋにより定められるｃ番目のサービングセルのサブフレームｎ−ｋで受信したＰＤＳＣＨおよび下りリンクＳＰＳの解放を示すＰＤＣＣＨ／ＥＰＤＣＣＨの総数である。WULDAIが４であって（WULDAI＝４）、端末装置２がサブフレームｎ−ｋでＰＤＳＣＨおよび下りリンクＳＰＳの解放を示すＰＤＣＣＨ／ＥＰＤＣＣＨの両方を受信しなかった場合、端末装置２はＰＵＳＣＨによるＨＡＲＱ−ＡＣＫを送信しない。
【０４４９】
プライマリーセルがＦＤＤである場合に、BDLcに１を代入する（図１４の数式（ｂ−４））。端末装置２がサブフレームｎ−４でＰＤＳＣＨもしくは下りリンクＳＰＳの解放を示すＰＤＣＣＨ／ＥＰＤＣＣＨを受信しない場合、端末装置２はＨＡＲＱ応答情報をＰＵＳＣＨで送信しない。
【０４５０】
なお、プライマリーセルがＦＤＤである場合に、Mc＝１として、図１４の数式（ｂ−１）を適用してもよい。なお、プライマリーセルがＦＤＤである場合にもＴＤＤセカンダリーセルにＤＡＩが設定される場合、プライマリーセルがＦＤＤである場合に、図１４の数式（ｂ−２）を適用してもよい。
【０４５１】
ＴＤＤプライマリーセルである場合のみにサービングセルにＤＡＩフィールドが設定される場合であって、下りリンク関連セットが定義されるテーブルがＴＤＤセルとＦＤＤセルとで個別に設定される場合において、Ｍの大きさによって適用する数式を切り替える一例を示す。
【０４５２】
プライマリーセルがＴＤＤである場合に、サブフレームｎにおいて、ＰＵＣＣＨでＨＡＲＱ応答情報を送信、もしくは、ＤＣＩフォーマットに対応されないＰＵＳＣＨが送信、もしくは、上りリンク参照ＵＬ−ＤＬ設定が０のサービングセルでＤＣＩフォーマットに対応してＰＵＳＣＨが送信される場合、図１４の数式（ｂ−１）を適用する。プライマリーセルがＴＤＤである場合に、サブフレームｎにおいてＭが４以下の場合で、上りリンク参照ＵＬ−ＤＬ設定が１から６が設定されたサービングセルでＤＣＩフォーマットに対応してＰＵＳＣＨが送信される場合、図１４の数式（ｂ−２）を適用する。プライマリーセルがＴＤＤである場合に、サブフレームｎにおいてＭが５以上の場合で、上りリンク参照ＵＬ−ＤＬ設定が１から６で下りリンク参照ＵＬ−ＤＬ設定が２、４、または、５のいずれかが設定されたサービングセルでＤＣＩフォーマットに対応してＰＵＳＣＨが送信される場合、図１４の数式（ｂ−３）を適用する。プライマリーセルがＦＤＤである場合に、図１４の数式（ｂ−４）を適用する。
【０４５３】
プライマリーセルがＴＤＤである場合に、端末装置２でサブフレームｎにおいて、ＰＵＣＣＨ、もしくは、検出されたＤＣＩフォーマット０／４に基づいて調整されなかったＰＵＳＣＨ、もしくは、関連して検出された上りリンク参照ＵＬ−ＤＬ設定０のＤＣＩフォーマット０／４に基づいて調整されたＰＵＳＣＨ、が送信された場合に、BDLcはMcと等しい（図１４の数式（ｂ−１））。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ応答情報をＰＵＳＣＨで送信しない。ここで、ｋはＫに属する（ｋ∈Ｋ）。
【０４５４】
プライマリーセルがＴＤＤである場合で、上りリンク参照ＵＬ−ＤＬ設定が｛１，２，３，４，５，６｝のいずれかに属するＴＤＤセルを用いてＤＣＩフォーマット０／４を付随して、検出されたＰＤＣＣＨ／ＥＰＤＣＣＨに基づいて調整されたサブフレームｎのＰＵＳＣＨ送信に対して、Mcが４以下の場合に、端末装置２はWULDAIとMcで比較し小さい値をBDLcに代入する（図１４の数式（ｂ−２））ことを想定する。端末装置２がサブフレームｎ−ｋでＰＤＳＣＨもしくは下りリンクＳＰＳの解放を示すＰＤＣＣＨ／ＥＰＤＣＣＨを受信しない場合、端末装置２はＨＡＲＱ−ＡＣＫをＰＵＳＣＨで送信しない。ここで、ｋはＫに属する（ｋ∈Ｋ）。
【０４５５】
プライマリーセルがＴＤＤである場合で、上りリンク参照ＵＬ−ＤＬ設定が｛１，２，３，４，５，６｝のいずれかに属するＴＤＤセルを用いてＤＣＩフォーマット０／４を付随して、検出されたＰＤＣＣＨ／ＥＰＤＣＣＨに基づいて調整されたサブフレームｎのＰＵＳＣＨ送信に対して、Mcが４より大きい場合に、端末装置２は、UとWULDAIとの差分を４で除算した値の小数点を正の無限大の方向に丸めて４を乗算した値にWULDAIを加算した値と、Mcと比較して小さい値をBDLcに代入する（図１４の数式（ｂ−３））ことを想定する。ここで、Uは全ての設定されたサービングセルの間で最大のUcの値を示し、UcはセットＫに属するｋにより定められるｃ番目のサービングセルのサブフレームｎ−ｋで受信したＰＤＳＣＨおよび下りリンクＳＰＳの解放を示すＰＤＣＣＨ／ＥＰＤＣＣＨの総数である。WULDAIが４であって（WULDAI＝４）、端末装置２がサブフレームｎ−ｋでＰＤＳＣＨおよび下りリンクＳＰＳの解放を示すＰＤＣＣＨ／ＥＰＤＣＣＨの両方を受信しなかった場合、端末装置２はＰＵＳＣＨによるＨＡＲＱ−ＡＣＫを送信しない。
【０４５６】
プライマリーセルがＦＤＤである場合に、BDLcに１を代入する（図１４の数式（ｂ−４））。端末装置２がサブフレームｎ−４でＰＤＳＣＨもしくは下りリンクＳＰＳの解放を示すＰＤＣＣＨ／ＥＰＤＣＣＨを受信しない場合、端末装置２はＨＡＲＱ応答情報をＰＵＳＣＨで送信しない。
【０４５７】
なお、プライマリーセルがＦＤＤである場合に、Mc＝１として、図１４の数式（ｂ−１）を適用してもよい。なお、プライマリーセルがＦＤＤである場合にもＴＤＤセカンダリーセルにＤＡＩが設定される場合、プライマリーセルがＦＤＤである場合に、図１４の数式（ｂ−２）を適用してもよい。
【０４５８】
以下では、端末装置２に１つ以上のＴＤＤセルが設定される場合のＨＡＲＱ−ＡＣＫフィードバックビットの配置の決定について説明する。
【０４５９】
ＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、該ＰＤＣＣＨ／ＥＰＤＣＣＨに含むＤＡＩの値の順番に配置される。
【０４６０】
ＨＡＲＱ−ＡＣＫの送信としてＰＵＣＣＨフォーマット３が設定された場合で、下りリンク参照ＵＬ−ＤＬ設定が｛１，２，３，４，５，６｝のうちのいずれかに属する場合、サブフレームｎ−ｋのＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,DAI(k)-1に割り当てられ、それ以外ではOACKc,2DAI(k)-2とOACKc,2DAI(k)-1に割り当てられる。ここで、DAI(k)は、サブフレームｎ−ｋで検出されたＤＣＩフォーマット１Ａ／１Ｂ／１Ｄ１／２／２Ａ／２Ｃ／２Ｄの中のＤＡＩの値である。OACKc,2DAI(k)-2とOACKc,2DAI(k)-1は、それぞれコードワード０とコードワード１に対するＨＡＲＱ−ＡＣＫフィードバックである。NSPSが０より大きい値（NSPS>0）である場合、ＰＤＣＣＨ／ＥＰＤＣＣＨに対応しないＰＤＳＣＨ送信に伴うＨＡＲＱ−ＡＣＫはOACKc,OACKc-1にマップされる。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４６１】
ＨＡＲＱ−ＡＣＫの送信としてＰＵＣＣＨフォーマット３が設定された場合で、下りリンク参照ＵＬ−ＤＬ設定が０の場合、サブフレームｎ−ｋのＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,0に割り当てられ、それ以外ではOACKc,0とOACKc,1に割り当てられる。OACKc,0とOACKc,1は、それぞれコードワード０とコードワード１に対するＨＡＲＱ−ＡＣＫフィードバックである。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４６２】
以下では、端末装置２に２つ以上のサービングセルが設定され、少なくとも２つのサービングセルのフレーム構成が異なる場合のＨＡＲＱ−ＡＣＫフィードバックビットの配置の決定を説明する。
【０４６３】
ＦＤＤセルにおいても、下りリンクグラントに含まれるＤＡＩの値を用いてＨＡＲＱ−ＡＣＫフィードバックビットを配置する。
【０４６４】
ＴＤＤプライマリーセルである場合のみにサービングセルにＤＡＩフィールドが設定される場合であって、下りリンク関連セットが定義されるテーブルがＴＤＤセルとＦＤＤセルとで個別に設定される場合の一例を示す。
【０４６５】
ＨＡＲＱ−ＡＣＫの送信としてＰＵＣＣＨフォーマット３が設定された場合で、プライマリーセルがＴＤＤである場合で、ＦＤＤセルまたは下りリンク参照ＵＬ−ＤＬ設定が｛１，２，３，４，５，６｝のうちのいずれかに属するＴＤＤセルにおいて、サブフレームｎ−ｋのＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,DAI(k)-1に割り当てられ、それ以外ではOACKc,2DAI(k)-2とOACKc,2DAI(k)-1に割り当てられる。ここで、DAI(k)は、サブフレームｎ−ｋで検出されたＤＣＩフォーマット１Ａ／１Ｂ／１Ｄ１／２／２Ａ／２Ｃ／２Ｄの中のＤＡＩの値である。OACKc,2DAI(k)-2とOACKc,2DAI(k)-1は、それぞれコードワード０とコードワード１に対するＨＡＲＱ−ＡＣＫフィードバックである。NSPSが０より大きい値（NSPS>0）である場合、ＰＤＣＣＨ／ＥＰＤＣＣＨに対応しないＰＤＳＣＨ送信に伴うＨＡＲＱ−ＡＣＫはOACKc,OACKc-1にマップされる。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４６６】
ＨＡＲＱ−ＡＣＫの送信としてＰＵＣＣＨフォーマット３が設定された場合で、下りリンク参照ＵＬ−ＤＬ設定が０のＴＤＤセルにおいて、サブフレームｎ−ｋのＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,0に割り当てられ、それ以外ではOACKc,0とOACKc,1に割り当てられる。OACKc,0とOACKc,1は、それぞれコードワード０とコードワード１に対するＨＡＲＱ−ＡＣＫフィードバックである。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４６７】
ＨＡＲＱ−ＡＣＫの送信としてＰＵＣＣＨフォーマット３が設定された場合で、プライマリーセルがＦＤＤである場合、サービングセルにおいて、サブフレームｎ−４のＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,0に割り当てられ、それ以外ではOACKc,0とOACKc,1に割り当てられる。OACKc,0とOACKc,1は、それぞれコードワード０とコードワード１に対するＨＡＲＱ−ＡＣＫフィードバックである。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４６８】
なお、ＴＤＤセルとＴＤＤプライマリーセルで設定されたＦＤＤセカンダリーセルに対してＤＡＩフィールドが設定される場合は、ＤＡＩの値を用いてＨＡＲＱ−ＡＣＫフィードバックビットの配置を行なってもよい。
【０４６９】
ＴＤＤプライマリーセルである場合のみにサービングセルにＤＡＩフィールドが設定される場合であって、下りリンク関連セットが定義されるテーブルがＴＤＤセルとＦＤＤセルとで共通に設定される場合の一例を示す。
【０４７０】
ＨＡＲＱ−ＡＣＫの送信としてＰＵＣＣＨフォーマット３が設定された場合で、プライマリーセルがＴＤＤである場合で、下りリンク参照ＵＬ−ＤＬ設定が｛１，２，３，４，５，６｝のうちのいずれかに属するサービングセルにおいて、サブフレームｎ−ｋのＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,DAI(k)-1に割り当てられ、それ以外ではOACKc,2DAI(k)-2とOACKc,2DAI(k)-1に割り当てられる。ここで、DAI(k)は、サブフレームｎ−ｋで検出されたＤＣＩフォーマット１Ａ／１Ｂ／１Ｄ１／２／２Ａ／２Ｃ／２Ｄの中のＤＡＩの値である。OACKc,2DAI(k)-2とOACKc,2DAI(k)-1は、それぞれコードワード０とコードワード１に対するＨＡＲＱ−ＡＣＫフィードバックである。NSPSが０より大きい値（NSPS>0）である場合、ＰＤＣＣＨ／ＥＰＤＣＣＨに対応しないＰＤＳＣＨ送信に伴うＨＡＲＱ−ＡＣＫはOACKc,OACKc-1にマップされる。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４７１】
ＨＡＲＱ−ＡＣＫの送信としてＰＵＣＣＨフォーマット３が設定された場合で、下りリンク参照ＵＬ−ＤＬ設定が０のサービングセルにおいて、サブフレームｎ−ｋのＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,0に割り当てられ、それ以外ではOACKc,0とOACKc,1に割り当てられる。OACKc,0とOACKc,1は、それぞれコードワード０とコードワード１に対するＨＡＲＱ−ＡＣＫフィードバックである。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４７２】
ＨＡＲＱ−ＡＣＫの送信としてＰＵＣＣＨフォーマット３が設定された場合で、プライマリーセルがＦＤＤである場合、サービングセルにおいて、サブフレームｎ−４のＰＤＣＣＨ／ＥＰＤＣＣＨに対応するＰＤＳＣＨ送信または下りリンクＳＰＳの解放を示すＰＤＣＣＨ／ＥＰＤＣＣＨに対するＨＡＲＱ−ＡＣＫは、ｃ番目のサービングセルに設定された送信モードが１つのトランスポートブロックをサポートするか、空間ＨＡＲＱ−ＡＣＫバンドリングが適用されている場合に、OACKc,0に割り当てられ、それ以外ではOACKc,0とOACKc,1に割り当てられる。OACKc,0とOACKc,1は、それぞれコードワード０とコードワード１に対するＨＡＲＱ−ＡＣＫフィードバックである。一切のＰＤＳＣＨ送信または下りリンクＳＰＳの解放を示すＰＤＣＣＨ／ＥＰＤＣＣＨの検出がないＨＡＲＱ−ＡＣＫフィードバックビットは、ＮＡＣＫとしてセットされる。
【０４７３】
なお、ＴＤＤセルとＴＤＤプライマリーセルで設定されたＦＤＤセカンダリーセルに対してＤＡＩフィールドが設定される場合は、ＤＡＩの値を用いてＨＡＲＱ−ＡＣＫフィードバックビットの配置を行なってもよい。
【０４７４】
上記の説明はＰＵＣＣＨフォーマット３において説明したが、２つ以上のサービングセルが設定され、全てのサービングセルのＵＬ−ＤＬ設定が同じ場合の、２つ以上のサービングセルのＨＡＲＱ−ＡＣＫフィードバックをチャネル選択を行うＰＵＣＣＨフォーマット１ｂによって送信される場合における、ＨＡＲＱ−ＡＣＫフィードバックビットの構成は、ＴＤＤ  ＵＬ−ＤＬ設定が｛１，２，３，４，６｝のいずれかに属しWULDAIが１か２の上りリンクグラントに含んだＤＡＩを受信し、前記上りリンクグラントがＰＵＳＣＨ送信に対しての指示であった場合、上記のＰＵＣＣＨフォーマット３と同様の割当てが可能である。
【０４７５】
すなわち、ＴＤＤ  ＵＬ−ＤＬ設定が｛１，２，３，４，６｝のいずれかに属する場合、WULDAIが１か２のＤＣＩフォーマット０／４を付随して検出されたＰＤＣＣＨ／ＥＰＤＣＣＨに基づいて調整されたＰＵＳＣＨ送信に対して、oACKjはＨＡＲＱ−ＡＣＫの送信のためにＰＵＣＣＨフォーマット３が設定された場合と同様に決定される。但し、WULDAI＝２の場合の最大２つのトランスポートブロックがサポートされた下りリンク送信モードが設定された全てのサービングセルに対して１つの下りリンクサブフレームのうちの複数のコードワードにまたがって空間ＨＡＲＱ−ＡＣＫバンドリングが行われる場合を除く。
【０４７６】
また、２つ以上のサービングセルが設定され、少なくとも２つのサービングセルのＵＬ−ＤＬ設定が異なる場合の、２つ以上のサービングセルのＨＡＲＱ−ＡＣＫフィードバックをチャネル選択を行うＰＵＣＣＨフォーマット１ｂによって送信される場合における、ＨＡＲＱ−ＡＣＫフィードバックビットの構成は、上りリンク参照ＵＬ−ＤＬ設定が｛１，２，３，４，６｝のいずれかに属しWULDAIが１か２の上りリンクグラントに含んだＤＡＩを受信し、前記上りリンクグラントがＰＵＳＣＨ送信に対しての指示であった場合、上記のＰＵＣＣＨフォーマット３と同様の割当てが可能である。
【０４７７】
すなわち、上りリンク参照ＵＬ−ＤＬ設定が｛１，２，３，４，６｝のいずれかに属する場合、WULDAIが１か２のＤＣＩフォーマット０／４を付随して検出されたＰＤＣＣＨ／ＥＰＤＣＣＨに基づいて調整されたＰＵＳＣＨ送信に対して、oACKjはＨＡＲＱ−ＡＣＫの送信のためにＰＵＣＣＨフォーマット３が設定された場合と同様に決定される。但し、WULDAI＝２の場合の最大２つのトランスポートブロックがサポートされた下りリンク送信モードが設定された全てのサービングセルに対して１つの下りリンクサブフレームのうちの複数のコードワードにまたがって空間ＨＡＲＱ−ＡＣＫバンドリングが行われる場合を除く。ここで、上りリンク参照ＵＬ−ＤＬ設定はＰＵＳＣＨ送信に対応するサービングセルの上りリンク参照ＵＬ−ＤＬ設定である。
【０４７８】
また、２つ以上のサービングセルが設定され、少なくとも２つのサービングセルのフレーム構成が異なる場合の、２つ以上のサービングセルのＨＡＲＱ−ＡＣＫフィードバックをチャネル選択を行うＰＵＣＣＨフォーマット１ｂによって送信される場合における、ＨＡＲＱ−ＡＣＫフィードバックビットの構成は、プライマリーセルがＴＤＤである場合で、上りリンク参照ＵＬ−ＤＬ設定が｛１，２，３，４，６｝のいずれかに属しWULDAIが１か２の上りリンクグラントに含んだＤＡＩを受信し、前記上りリンクグラントがＰＵＳＣＨ送信に対しての指示であった場合、上記のＰＵＣＣＨフォーマット３と同様の割当てが可能である。
【０４７９】
すなわち、プライマリーセルがＴＤＤである場合で、上りリンク参照ＵＬ−ＤＬ設定が｛１，２，３，４，６｝のいずれかに属する場合、WULDAIが１か２のＤＣＩフォーマット０／４を付随して検出されたＰＤＣＣＨ／ＥＰＤＣＣＨに基づいて調整されたＰＵＳＣＨ送信に対して、oACKjはＨＡＲＱ−ＡＣＫの送信のためにＰＵＣＣＨフォーマット３が設定された場合と同様に決定される。但し、WULDAI＝２の場合の最大２つのトランスポートブロックがサポートされた下りリンク送信モードが設定された全てのサービングセルに対して１つの下りリンクサブフレームのうちの複数のコードワードにまたがって空間ＨＡＲＱ−ＡＣＫバンドリングが行われる場合を除く。ここで、上りリンク参照ＵＬ−ＤＬ設定はＰＵＳＣＨ送信に対応するサービングセルの上りリンク参照ＵＬ−ＤＬ設定である。
【０４８０】
また、２つ以上のサービングセルが設定され、少なくとも２つのサービングセルのフレーム構成が異なる場合の、２つ以上のサービングセルのＨＡＲＱ−ＡＣＫフィードバックをチャネル選択を行うＰＵＣＣＨフォーマット１ｂによって送信される場合における、ＨＡＲＱ−ＡＣＫフィードバックビットの構成は、ＴＤＤセル、もしくは、ＴＤＤプライマリーセルと集約されたＦＤＤセカンダリーセルにおいて、上りリンク参照ＵＬ−ＤＬ設定が｛１，２，３，４，６｝のいずれかに属しWULDAIが１か２の上りリンクグラントに含んだＤＡＩを受信し、前記上りリンクグラントがＰＵＳＣＨ送信に対しての指示であった場合、上記のＰＵＣＣＨフォーマット３と同様の割当てが可能である。
【０４８１】
すなわち、ＴＤＤセル、もしくは、ＴＤＤプライマリーセルと集約されたＦＤＤセカンダリーセルにおいて、上りリンク参照ＵＬ−ＤＬ設定が｛１，２，３，４，６｝のいずれかに属する場合、WULDAIが１か２のＤＣＩフォーマット０／４を付随して検出されたＰＤＣＣＨ／ＥＰＤＣＣＨに基づいて調整されたＰＵＳＣＨ送信に対して、oACKjはＨＡＲＱ−ＡＣＫの送信のためにＰＵＣＣＨフォーマット３が設定された場合と同様に決定される。但し、WULDAI＝２の場合の最大２つのトランスポートブロックがサポートされた下りリンク送信モードが設定された全てのサービングセルに対して１つの下りリンクサブフレームのうちの複数のコードワードにまたがって空間ＨＡＲＱ−ＡＣＫバンドリングが行われる場合を除く。ここで、上りリンク参照ＵＬ−ＤＬ設定はＰＵＳＣＨ送信に対応するサービングセルの上りリンク参照ＵＬ−ＤＬ設定である。
【０４８２】
上記のＨＡＲＱ−ＡＣＫフィードバックビットの構成方法により、ＦＤＤセルにおいても複数のＨＡＲＱ−ＡＣＫフィードバックビットを構成することができる。
【０４８３】
以下では、ＴＤＤ−ＦＤＤ  ＣＡにおける、ＨＡＲＱ−ＡＣＫを含んだＰＵＳＣＨやＰＵＣＣＨの送信電力やＰＨＲ（Power Headroom、パワーヘッドルーム）などの計算に用いられるＨＡＲＱ−ＡＣＫに関連する係数nHARQを説明する。
【０４８４】
nHARQは、ＨＡＲＱ−ＡＣＫビットを送信するサブフレームにおいて、ＨＡＲＱ−ＡＣＫの送信ビットに関連する情報であり、例えば、ＰＵＣＣＨの送信電力制御や、タイプ２リポートに対するＰＨＲの計算に用いられる。
【０４８５】
nHARQは、ＤＬ  ＤＡＩ（下りリンクＤＡＩ、下りリンクグラントに関するＤＣＩの中のＤＡＩ、ＰＤＳＣＨをスケジュールするＤＣＩの中のＤＡＩ）の値を用いて計算される。ＤＡＩが下りリンクグラントのＤＣＩに含まれない場合は、ＤＬ  ＤＡＩを用いないでnHARQの計算を行う。ＤＡＩが下りリンクグラントのＤＣＩに含まれない場合は、例えば、プライマリーセルがＦＤＤの場合である。ＤＡＩが下りリンクグラントのＤＣＩに含まれているがＤＡＩの値を用いない場合は、ＤＬ  ＤＡＩの値を用いないでnHARQの計算を行う。ＤＡＩが下りリンクグラントのＤＣＩに含まれているがＤＡＩの値を用いない場合は、例えば、サービングセルに下りリンク関連セットの要素数Ｍが１以下であるＵＬ／ＤＬ設定（下りリンク参照ＵＬ／ＤＬ設定）が設定された場合である。
【０４８６】
なお、サービングセルに下りリンク関連セットの要素数Ｍが１以下であるＵＬ／ＤＬ設定（下りリンク参照ＵＬ／ＤＬ設定）が設定された場合であっても、ＤＬ  ＤＡＩの値を適用してもよい。その場合には、下りリンクグラントに関するＤＣＩに含まれるＤＬ  ＤＡＩの値は１として通知される。
【０４８７】
ＴＤＤ−ＦＤＤ  ＣＡのある条件において、ＦＤＤセルに対してもＤＬ  ＤＡＩが適用される。
【０４８８】
ＴＤＤ−ＦＤＤ  ＣＡにおいてＦＤＤセルに対してもＤＬ  ＤＡＩが適用される場合は、例えば、プライマリーセルがＴＤＤでセカンダリーセルがＦＤＤであって、ＴＤＤセルからＦＤＤセルに対してクロスキャリアスケジューリングが設定されない場合である。ＴＤＤセルからＦＤＤセルに対してクロスキャリアスケジューリングが設定されない場合とは、ＦＤＤセルに対してセルフスケジューリングが設定される場合や、ＦＤＤセルからＦＤＤセルに対してクロスキャリアスケジューリングが設定される場合を含む。なお、ＦＤＤセルからＦＤＤセルに対してクロスキャリアスケジューリングが設定される場合、かつ、スケジュールされたＦＤＤセルに下りリンク参照ＵＬ／ＤＬ設定０が設定された場合は、ＤＬ  ＤＡＩが適用されなくてもよい。
【０４８９】
少なくともＴＤＤセルからＦＤＤセルに対してクロスキャリアスケジューリングが設定される場合であって、ＦＤＤセルに下りリンク参照ＵＬ／ＤＬ設定０が設定される場合は、ＴＤＤ−ＦＤＤ  ＣＡにおいてＦＤＤセルに対してもＤＬ  ＤＡＩが適用されなくてもよい。ＦＤＤセルに下りリンク参照ＵＬ／ＤＬ設定０が設定される場合は、下りリンク関連セットの要素数Ｍが１以下であるため、ＤＬ  ＤＡＩは適用されなくてもよい。
【０４９０】
ＤＬ  ＤＡＩが適用されるＦＤＤサービングセルにおいても、ＤＬ  ＤＡＩを用いてnHARQの計算を行う。ＤＬ  ＤＡＩを用いてnHARQの計算を行うとは、例えば、図１６の数式（２）を用いてnHARQの計算を行う、などである。ただし、ＤＬ  ＤＡＩが適用されないサービングセルにおいては、ＤＬ  ＤＡＩを用いないでnHARQの計算を行う。ＤＬ  ＤＡＩを用いないでnHARQの計算を行うとは、例えば、図１６の数式（１）を用いてnHARQの計算を行う、ＤＬ  ＤＡＩ（VDLDAI,c）にＰＤＳＣＨまたはＳＰＳ解放ＰＤＣＣＨ／ＥＰＤＣＣＨの受信サブフレーム数（UDAI,c）を代入した図１６の数式（２）を用いてnHARQの計算を行う、nHARQに送信されるＨＡＲＱ−ＡＣＫビットの数を代入する、などである。
【０４９１】
すなわち、ＦＤＤのセルとＴＤＤのセルとを用いて、基地局装置１と通信する端末装置２であって、ＤＣＩフォーマットを用いて送信されたＰＤＣＣＨで受信する受信部を備え、端末装置２にプライマリーセルがＴＤＤセルとして設定される場合、所定のサブフレーム内の現在までのサブフレームにおけるＰＤＳＣＨ送信あるいは下りリンク準定常的スケジューリングのリリースを示すＰＤＣＣＨまたはＥＰＤＣＣＨの累積数を示すＤＡＩは、前記ＤＣＩフォーマットに含まれて受信し、前記ＰＤＳＣＨ送信あるいは下りリンク準定常的スケジューリングのリリースを示すＰＤＣＣＨまたはＥＰＤＣＣＨに対応するＨＡＲＱ−ＡＣＫを送信するＰＵＣＣＨの送信電力は、前記ＤＡＩの値に基づいて決定される。
【０４９２】
以下では、nHARQの値の一例を示す。
【０４９３】
端末装置２に１つよりも多くのサービングセルが設定された場合、または、端末装置２に１つのサービングセルが設定され、かつ、ＰＵＣＣＨフォーマット３を用いての送信が設定された場合、下記の算出の一例を用いてnHARQの値が適用され、それ以外ではnHARQはサブフレームで送信されるＨＡＲＱ−ＡＣＫビットの数である。
【０４９４】
nHARQの値の算出の一例を示す。
【０４９５】
ＴＤＤ−ＦＤＤ  ＣＡ（ＴＤＤ−ＦＤＤ）、かつ、ＴＤＤプライマリーセルにおいて、ＦＤＤセルは全ての下りリンク参照ＵＬ／ＤＬ設定の場合において、ＤＬ  ＤＡＩを用いた図１６の数式（２）を適用する。ＴＤＤ−ＦＤＤ  ＣＡ（ＴＤＤ−ＦＤＤ）、かつ、ＴＤＤプライマリーセルにおいて、ＴＤＤセルはＴＤＤ  ＵＬ／ＤＬ設定または下りリンク参照ＵＬ／ＤＬ設定が１から６の場合において、ＤＬ  ＤＡＩを用いた図１６の数式（２）を適用し、ＴＤＤセルはＴＤＤ  ＵＬ／ＤＬ設定または下りリンク参照ＵＬ／ＤＬ設定が０の場合において、ＤＬ  ＤＡＩにＰＤＳＣＨまたはＳＰＳ解放ＰＤＣＣＨ／ＥＰＤＣＣＨの受信サブフレーム数を代入した図１６の数式（２）を適用する。
【０４９６】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、プライマリーセルがＴＤＤ）において、以下の動作を行う。
【０４９７】
ＰＵＣＣＨフォーマット３において、または２つの設定されたサービングセル、かつ、チャネル選択を伴うＰＵＣＣＨフォーマット１ｂ（チャネル選択を行うＰＵＣＣＨフォーマット１ｂ）、かつ、Ｍが２以下（下りリンク関連セットの要素数が２以下）において、nHARQは図１６の数式（２）を用いる。ここで、VDLDAI,cはサービングセルｃにおけるVDLDAI,、UDAI,cはサービングセルｃにおけるUDAI、nACKcはサービングセルｃにおける設定されたＤＬ送信モード（ｔｒａｎｓｍｉｓｓｉｏｎ  ｍｏｄｅ、ＴＭ）に相当（対応）するＨＡＲＱ−ＡＣＫビットの数、である。空間ＨＡＲＱ応答情報バンドリング（spatial HARQ-ACK bundling）が適用された場合では、nACKc=1（nACKcは１と等しい）、かつ、Nreceivedk,cはサービングセルｃにおけるサブフレームｎ−ｋで受信したＰＤＣＣＨ／ＥＰＤＣＣＨまたは相当するＰＤＣＣＨ／ＥＰＤＣＣＨがないＰＤＳＣＨの数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。空間ＨＡＲＱ応答情報バンドリング（spatial HARQ-ACK bundling）が適用されなかった場合では、Nreceivedk,cはサービングセルｃにおけるサブフレームｎ−ｋで受信したトランスポートブロックの数またはＳＰＳの解放を示すＰＤＣＣＨ／ＥＰＤＣＣＨ（ＳＰＳリリースＰＤＣＣＨ／ＥＰＤＣＣＨ）の数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃでサブフレームｎ−ｋでトランスポートブロックまたはＳＰＳの解放を示すＰＤＣＣＨ／ＥＰＤＣＣＨ（ＳＰＳリリースＰＤＣＣＨ／ＥＰＤＣＣＨ）が一切検出されなかった場合、VDLDAI,cは０であり（VDLDAI,c=0）、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃにおいて、サービングセルｃがＦＤＤである場合を除いてサービングセルｃに対する下りリンク参照ＵＬ／ＤＬ設定（下りリンクリファレンスＵＬ／ＤＬ設定）がＴＤＤ  ＵＬ／ＤＬ設定０である場合に、VDLDAI,cにUDAI,cが設定（代入、セット）される（VDLDAI,c=UDAI,c）。
【０４９８】
nHARQの値の算出の一例を示す。
【０４９９】
ＴＤＤ−ＦＤＤ  ＣＡ（ＴＤＤ−ＦＤＤ）、かつ、ＴＤＤプライマリーセルにおいて、ＦＤＤセルは全ての下りリンク参照ＵＬ／ＤＬ設定の場合において、ＤＬ  ＤＡＩを用いた図１６の数式（２）を適用する。ＴＤＤ−ＦＤＤ  ＣＡ（ＴＤＤ−ＦＤＤ）、かつ、ＴＤＤプライマリーセルにおいて、ＴＤＤセルはＴＤＤ  ＵＬ／ＤＬ設定または下りリンク参照ＵＬ／ＤＬ設定が１から６の場合において、ＤＬ  ＤＡＩを用いた図１６の数式（２）を適用し、ＴＤＤセルはＴＤＤ  ＵＬ／ＤＬ設定または下りリンク参照ＵＬ／ＤＬ設定が０の場合において、ＤＬ  ＤＡＩにＰＤＳＣＨまたはＳＰＳ解放ＰＤＣＣＨ／ＥＰＤＣＣＨの受信サブフレーム数を代入した図１６の数式（２）を適用する。
【０５００】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、プライマリーセルがＴＤＤ）において、以下の動作を行う。
【０５０１】
ＰＵＣＣＨフォーマット３において、または２つの設定されたサービングセル、かつ、チャネル選択を伴うＰＵＣＣＨフォーマット１ｂ（チャネル選択を行うＰＵＣＣＨフォーマット１ｂ）、かつ、Ｍが２以下（下りリンク関連セットの要素数が２以下）において、nHARQは図１６の数式（２）を用いる。ここで、VDLDAI,cはサービングセルｃにおけるVDLDAI,、UDAI,cはサービングセルｃにおけるUDAI、nACKcはサービングセルｃにおける設定されたＤＬ送信モード（ｔｒａｎｓｍｉｓｓｉｏｎ  ｍｏｄｅ、ＴＭ）に相当（対応）するＨＡＲＱ−ＡＣＫビットの数、である。空間ＨＡＲＱ応答情報バンドリング（spatial HARQ-ACK bundling）が適用された場合では、nACKc=1（nACKcは１と等しい）、かつ、Nreceivedk,cはサービングセルｃにおけるサブフレームｎ−ｋで受信したＰＤＣＣＨ／ＥＰＤＣＣＨまたは相当するＰＤＣＣＨ／ＥＰＤＣＣＨがないＰＤＳＣＨの数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。空間ＨＡＲＱ応答情報バンドリング（spatial HARQ-ACK bundling）が適用されなかった場合では、Nreceivedk,cはサービングセルｃにおけるサブフレームｎ−ｋで受信したトランスポートブロックの数またはＳＰＳの解放を示すＰＤＣＣＨ／ＥＰＤＣＣＨ（ＳＰＳリリースＰＤＣＣＨ／ＥＰＤＣＣＨ）の数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃでサブフレームｎ−ｋでトランスポートブロックまたはＳＰＳの解放を示すＰＤＣＣＨ／ＥＰＤＣＣＨ（ＳＰＳリリースＰＤＣＣＨ／ＥＰＤＣＣＨ）が一切検出されなかった場合、VDLDAI,cは０であり（VDLDAI,c=0）、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。ＴＤＤサービングセルｃにおいて、サービングセルｃに対する下りリンク参照ＵＬ／ＤＬ設定（下りリンクリファレンスＵＬ／ＤＬ設定）がＴＤＤ  ＵＬ／ＤＬ設定０である場合に、VDLDAI,cにUDAI,cが設定（代入、セット）される（VDLDAI,c=UDAI,c）。
【０５０２】
nHARQの値の算出の一例を示す。
【０５０３】
ＴＤＤ−ＦＤＤ  ＣＡ（ＴＤＤ−ＦＤＤ）、かつ、ＴＤＤプライマリーセルにおいて、ＦＤＤセルはセルフスケジューリングの場合は全ての下りリンク参照ＵＬ／ＤＬ設定の場合において、クロスキャリアスケジューリングの場合は下りリンク参照ＵＬ／ＤＬ設定が１から６の場合において、ＤＬ  ＤＡＩを用いた図１６の数式（２）を適用する。ＴＤＤ−ＦＤＤ  ＣＡ（ＴＤＤ−ＦＤＤ）、かつ、ＴＤＤプライマリーセルにおいて、ＦＤＤセルはロスキャリアスケジューリングの場合は下りリンク参照ＵＬ／ＤＬ設定０の場合において、ＤＬ  ＤＡＩにＰＤＳＣＨまたはＳＰＳ解放ＰＤＣＣＨ／ＥＰＤＣＣＨの受信サブフレーム数を代入した図１６の数式（２）を適用する。ＴＤＤ−ＦＤＤ  ＣＡ（ＴＤＤ−ＦＤＤ）、かつ、ＴＤＤプライマリーセルにおいて、ＴＤＤセルはＴＤＤ  ＵＬ／ＤＬ設定または下りリンク参照ＵＬ／ＤＬ設定が１から６の場合において、ＤＬ  ＤＡＩを用いた図１６の数式（２）を適用し、ＴＤＤセルはＴＤＤ  ＵＬ／ＤＬ設定または下りリンク参照ＵＬ／ＤＬ設定が０の場合において、ＤＬ  ＤＡＩにＰＤＳＣＨまたはＳＰＳ解放ＰＤＣＣＨ／ＥＰＤＣＣＨの受信サブフレーム数を代入した図１６の数式（２）を適用する。
【０５０４】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、プライマリーセルがＴＤＤ）において、以下の動作を行う。
【０５０５】
ＰＵＣＣＨフォーマット３において、または２つの設定されたサービングセル、かつ、チャネル選択を伴うＰＵＣＣＨフォーマット１ｂ（チャネル選択を行うＰＵＣＣＨフォーマット１ｂ）、かつ、Ｍが２以下（下りリンク関連セットの要素数が２以下）において、nHARQは図１６の数式（２）を用いる。ここで、VDLDAI,cはサービングセルｃにおけるVDLDAI,、UDAI,cはサービングセルｃにおけるUDAI、nACKcはサービングセルｃにおける設定されたＤＬ送信モード（ｔｒａｎｓｍｉｓｓｉｏｎ  ｍｏｄｅ、ＴＭ）に相当（対応）するＨＡＲＱ−ＡＣＫビットの数、である。空間ＨＡＲＱ応答情報バンドリング（spatial HARQ-ACK bundling）が適用された場合では、nACKc=1（nACKcは１と等しい）、かつ、Nreceivedk,cはサービングセルｃにおけるサブフレームｎ−ｋで受信したＰＤＣＣＨ／ＥＰＤＣＣＨまたは相当するＰＤＣＣＨ／ＥＰＤＣＣＨがないＰＤＳＣＨの数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。空間ＨＡＲＱ応答情報バンドリング（spatial HARQ-ACK bundling）が適用されなかった場合では、Nreceivedk,cはサービングセルｃにおけるサブフレームｎ−ｋで受信したトランスポートブロックの数またはＳＰＳの解放を示すＰＤＣＣＨ／ＥＰＤＣＣＨ（ＳＰＳリリースＰＤＣＣＨ／ＥＰＤＣＣＨ）の数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃでサブフレームｎ−ｋでトランスポートブロックまたはＳＰＳの解放を示すＰＤＣＣＨ／ＥＰＤＣＣＨ（ＳＰＳリリースＰＤＣＣＨ／ＥＰＤＣＣＨ）が一切検出されなかった場合、VDLDAI,cは０であり（VDLDAI,c=0）、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃにおいて、サービングセルｃがＦＤＤであって端末装置２にセルフスケジューリングが設定される（端末装置２にサービングセルｃのスケジューリングに対するＰＤＣＣＨ／ＥＰＤＣＣＨを他のサービングセルでモニタすることが設定されない）場合を除いてサービングセルｃに対する下りリンク参照ＵＬ／ＤＬ設定（下りリンクリファレンスＵＬ／ＤＬ設定）がＴＤＤ  ＵＬ／ＤＬ設定０である場合に、VDLDAI,cにUDAI,cが設定（代入、セット）される（VDLDAI,c=UDAI,c）。
【０５０６】
nHARQの値の算出の一例を示す。
【０５０７】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、プライマリーセルがＴＤＤ）において、以下の動作を行う。
【０５０８】
ＰＵＣＣＨフォーマット３において、または２つの設定されたサービングセル、かつ、チャネル選択を伴うＰＵＣＣＨフォーマット１ｂ（チャネル選択を行うＰＵＣＣＨフォーマット１ｂ）、かつ、Ｍが２以下（下りリンク関連セットの要素数が２以下）において、nHARQは図１６の数式（２）を用いる。ここで、VDLDAI,cはサービングセルｃにおけるVDLDAI,、UDAI,cはサービングセルｃにおけるUDAI、nACKcはサービングセルｃにおける設定されたＤＬ送信モード（ｔｒａｎｓｍｉｓｓｉｏｎ  ｍｏｄｅ、ＴＭ）に相当（対応）するＨＡＲＱ−ＡＣＫビットの数、である。空間ＨＡＲＱ応答情報バンドリング（spatial HARQ-ACK bundling）が適用された場合では、nACKc=1（nACKcは１と等しい）、かつ、Nreceivedk,cはサービングセルｃにおけるサブフレームｎ−ｋで受信したＰＤＣＣＨ／ＥＰＤＣＣＨまたは相当するＰＤＣＣＨ／ＥＰＤＣＣＨがないＰＤＳＣＨの数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。空間ＨＡＲＱ応答情報バンドリング（spatial HARQ-ACK bundling）が適用されなかった場合では、Nreceivedk,cはサービングセルｃにおけるサブフレームｎ−ｋで受信したトランスポートブロックの数またはＳＰＳの解放を示すＰＤＣＣＨ／ＥＰＤＣＣＨ（ＳＰＳリリースＰＤＣＣＨ／ＥＰＤＣＣＨ）の数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃでサブフレームｎ−ｋでトランスポートブロックまたはＳＰＳの解放を示すＰＤＣＣＨ／ＥＰＤＣＣＨ（ＳＰＳリリースＰＤＣＣＨ／ＥＰＤＣＣＨ）が一切検出されなかった場合、VDLDAI,cは０であり（VDLDAI,c=0）、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。ＴＤＤサービングセルｃにおいて、または、ＦＤＤサービングセルｃにおける端末装置２にクロスキャリアスケジューリングが設定される（端末装置２にサービングセルｃのスケジューリングに対するＰＤＣＣＨ／ＥＰＤＣＣＨを他のサービングセルでモニタすることが設定される）場合、サービングセルｃに対する下りリンク参照ＵＬ／ＤＬ設定（下りリンクリファレンスＵＬ／ＤＬ設定）がＴＤＤ  ＵＬ／ＤＬ設定０である場合に、VDLDAI,cにUDAI,cが設定（代入、セット）される（VDLDAI,c=UDAI,c）。
【０５０９】
nHARQの値の算出の一例を示す。
【０５１０】
ＴＤＤ−ＦＤＤ  ＣＡ（ＴＤＤ−ＦＤＤ）、かつ、ＴＤＤプライマリーセルにおいて、サービングセルに対してＤＬ  ＤＡＩが使われる（適用される）場合、ＤＬ  ＤＡＩを用いた図１６の数式（２）を適用し、それ以外は、ＤＬ  ＤＡＩにＰＤＳＣＨまたはＳＰＳ解放ＰＤＣＣＨ／ＥＰＤＣＣＨの受信サブフレーム数を代入した図１６の数式（２）を適用する。
【０５１１】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、ＴＤＤプライマリーセル、プライマリーセルがＴＤＤ）において、以下の動作を行う。
【０５１２】
ＰＵＣＣＨフォーマット３において、または２つの設定されたサービングセル、かつ、チャネル選択を伴うＰＵＣＣＨフォーマット１ｂ（チャネル選択を行うＰＵＣＣＨフォーマット１ｂ）、かつ、Ｍが２以下（下りリンク関連セットの要素数が２以下）において、nHARQは図１６の数式（２）を用いる。ここで、VDLDAI,cはサービングセルｃにおけるVDLDAI,、UDAI,cはサービングセルｃにおけるUDAI、nACKcはサービングセルｃにおける設定されたＤＬ送信モード（ｔｒａｎｓｍｉｓｓｉｏｎ  ｍｏｄｅ、ＴＭ）に相当（対応）するＨＡＲＱ−ＡＣＫビットの数、である。空間ＨＡＲＱ応答情報バンドリング（spatial HARQ-ACK bundling）が適用された場合では、nACKc=1（nACKcは１と等しい）、かつ、Nreceivedk,cはサービングセルｃにおけるサブフレームｎ−ｋで受信したＰＤＣＣＨ／ＥＰＤＣＣＨまたは相当するＰＤＣＣＨ／ＥＰＤＣＣＨがないＰＤＳＣＨの数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。空間ＨＡＲＱ応答情報バンドリング（spatial HARQ-ACK bundling）が適用されなかった場合では、Nreceivedk,cはサービングセルｃにおけるサブフレームｎ−ｋで受信したトランスポートブロックの数またはＳＰＳの解放を示すＰＤＣＣＨ／ＥＰＤＣＣＨ（ＳＰＳリリースＰＤＣＣＨ／ＥＰＤＣＣＨ）の数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃでサブフレームｎ−ｋでトランスポートブロックまたはＳＰＳの解放を示すＰＤＣＣＨ／ＥＰＤＣＣＨ（ＳＰＳリリースＰＤＣＣＨ／ＥＰＤＣＣＨ）が一切検出されなかった場合、VDLDAI,cは０であり（VDLDAI,c=0）、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃにおいて、VDLDAI,cが使用されない（適用されない）場合に、VDLDAI,cにUDAI,cが設定（代入、セット）される（VDLDAI,c=UDAI,c）。
【０５１３】
なお、VDLDAI,cが使用されない（適用されない）場合とは、VDLDAI,cを受信したサービングセルが、１つ以上のＴＤＤセルが設定されて全てのＴＤＤセルのＵＬ−ＤＬ設定が同じ場合にＵＬ−ＤＬ設定が０で設定されたＴＤＤセルである、または、２つ以上のＴＤＤセルが設定されて、少なくとも２つのＴＤＤセルが異なるＵＬ−ＤＬ設定で設定された場合に下りリンク参照ＵＬ−ＤＬ設定が０で設定されたＴＤＤセルである、または、プライマリーセルがＴＤＤであり少なくとも１つのセカンダリーセルがＦＤＤの場合に下りリンク参照ＵＬ−ＤＬ設定が０で設定されたＴＤＤプライマリーセルまたはＴＤＤセルからのクロスキャリアスケジューリングが設定されたＦＤＤセルである、場合である。すなわち、設定されたＴＤＤサービングセルにおいて、ＴＤＤ  ＵＬ／ＤＬ設定または下りリンク参照ＵＬ−ＤＬ設定が０である場合であり、この場合はＤＣＩフォーマット１／１Ａ／１Ｂ／１Ｄ／２／２Ａ／２Ｂ／２Ｃ／２Ｄに含まれるＤＡＩは使わない。
【０５１４】
nHARQの値の算出の一例を示す。
【０５１５】
ＤＬ  ＤＡＩが存在しない場合またはＤＬ  ＤＡＩが存在するが使えない（適用されない）場合は、図１６の数式（１）を用いて計算され、ＤＬ  ＤＡＩが存在し、使われる（適用される）場合は、図１６の数式（２）を用いて計算される。
【０５１６】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、ＴＤＤプライマリーセル、プライマリーセルがＴＤＤ）において、以下の動作を行う。
【０５１７】
ＰＵＣＣＨフォーマット３において、または２つの設定されたサービングセル、かつ、チャネル選択を伴うＰＵＣＣＨフォーマット１ｂ（チャネル選択を行うＰＵＣＣＨフォーマット１ｂ）、かつ、Ｍが２以下（下りリンク関連セットの要素数が２以下）において、nHARQは図１６の数式（２）を用いる。ここで、VDLDAI,cはサービングセルｃにおけるVDLDAI,、UDAI,cはサービングセルｃにおけるUDAI、nACKcはサービングセルｃにおける設定されたＤＬ送信モード（ｔｒａｎｓｍｉｓｓｉｏｎ  ｍｏｄｅ、ＴＭ）に相当（対応）するＨＡＲＱ−ＡＣＫビットの数、である。空間ＨＡＲＱ応答情報バンドリング（spatial HARQ-ACK bundling）が適用された場合では、nACKc=1（nACKcは１と等しい）、かつ、Nreceivedk,cはサービングセルｃにおけるサブフレームｎ−ｋで受信したＰＤＣＣＨ／ＥＰＤＣＣＨまたは相当するＰＤＣＣＨ／ＥＰＤＣＣＨがないＰＤＳＣＨの数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。空間ＨＡＲＱ応答情報バンドリング（spatial HARQ-ACK bundling）が適用されなかった場合では、Nreceivedk,cはサービングセルｃにおけるサブフレームｎ−ｋで受信したトランスポートブロックの数またはＳＰＳの解放を示すＰＤＣＣＨ／ＥＰＤＣＣＨ（ＳＰＳリリースＰＤＣＣＨ／ＥＰＤＣＣＨ）の数であり、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃでサブフレームｎ−ｋでトランスポートブロックまたはＳＰＳの解放を示すＰＤＣＣＨ／ＥＰＤＣＣＨ（ＳＰＳリリースＰＤＣＣＨ／ＥＰＤＣＣＨ）が一切検出されなかった場合、VDLDAI,cは０であり（VDLDAI,c=0）、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。サービングセルｃにおいて、サービングセルｃがＦＤＤである場合を除いてサービングセルｃに対する下りリンク参照ＵＬ／ＤＬ設定（下りリンクリファレンスＵＬ／ＤＬ設定）がＴＤＤ  ＵＬ／ＤＬ設定０である場合に、nHARQは図１６の数式（１）を用いる。
【０５１８】
nHARQの値の算出の一例を示す。
【０５１９】
ＴＤＤにおいて、端末装置２に１つよりも多くのサービングセルが設定され、かつ、少なくとも２つのサービングセルは異なるＵＬ／ＤＬ設定を有する場合、または、少なくとも１つのサービングセルに対してｅＩＭＴＡＣｏｎｆｉｇ−ｒ１２（ｔｄｄＭｏｄｅＡＣｏｎｆｉｇ−ｒ１２、ｅＩＭＴＡ設定に関する設定パラメータ）が設定された場合、または、ＴＤＤ−ＦＤＤ（ＴＤＤ−ＦＤＤ  ＣＡ、ＴＤＤ−ＦＤＤ  ｃａｒｒｉｅｒ  ａｇｇｒｅｇａｔｉｏｎ）、かつ、プライマリーセルフレーム構成２（ＴＤＤ  ＰＣｅｌｌ、プライマリーセルがＴＤＤ）において、以下の動作を行う。
【０５２０】
２つの設定されたサービングセル、かつ、チャネル選択を伴うＰＵＣＣＨフォーマット１ｂ（チャネル選択を行うＰＵＣＣＨフォーマット１ｂ）、かつ、Ｍが３または４（Ｍ＝３ or ４）において、端末装置２がサブフレームｎ−ｋで１つのサービングセルのみでＰＤＳＣＨまたは下りリンクＳＰＳの解放を示すＰＤＣＣＨ／ＥＰＤＣＣＨを受信する場合、nHARQは２であり（nHARQ=2）、それ以外はnHARQは４である（nHARQ=4）。ここで、ここでｋはＫのエレメントであり（ｋはＫに属する、ｋ∈Ｋ）、ＫはＫｃ（Ｋ＝Ｋｃ）である。Ｋｃはサービングセルｃの下りリンク関連セットであり、ＴＤＤにおいては図６によって定義され、ＴＤＤ−ＦＤＤにおいて端末装置２にサービングセルのスケジューリングに対するＰＤＣＣＨ／ＥＰＤＣＣＨを他のサービングセルでモニタすることが設定される場合は図６で定義され、ＴＤＤ−ＦＤＤにおいて端末装置２にサービングセルのスケジューリングに対するＰＤＣＣＨ／ＥＰＤＣＣＨを他のサービングセルでモニタすることが設定されない場合は図９で定義される。
【０５２１】
なお、NDLcellsは設定されたセルの数である。
【０５２２】
なお、ｍｏｄは余りを算出する演算子であり、ＡｍｏｄＢは、ＡをＢで除算した余りが算出される。
【０５２３】
これにより、ＴＤＤ−ＦＤＤ  ＣＡにおいて、ＤＬ  ＤＡＩを用いた適切な上りリンク送信電力の制御が可能となる。
【０５２４】
これにより、ＤＬ  ＨＡＲＱ−ＡＣＫを含んだ上りリンク信号（ＰＵＣＣＨ、ＰＵＳＣＨ）を効率的に送信することができる。
【０５２５】
これにより、端末装置２はＤＡＩを用いて効率的に通信を行うことができる。
【０５２６】
なお、セルアグリゲーション（キャリアアグリゲーション）を行なう端末装置２は、プライマリーセルと少なくとも１つのセカンダリーセルにおいて、異なるフレーム構造タイプ（ＦＤＤ（タイプ１）およびＴＤＤ（タイプ２））が適用される場合、端末装置２にプライマリーセルとセカンダリーセルそれぞれがサポートしているバンド間において、同時に送受信を行なう機能（性能、能力）がなければ、プライマリーセルとセカンダリーセルとで同時に送受信を行なわない。
【０５２７】
また、本実施形態は、異なるバンド（E-UTRA Operating Band, E-UTRA Band, Band）に対しても適用されてもよい。
【０５２８】
ここで、デュプレックスモードがＴＤＤのバンドをＴＤＤバンド、デュプレックスモードがＦＤＤのバンドをＦＤＤバンドと呼称する場合もある。同様に、フレーム構造タイプがＦＤＤ（タイプ１）のセル（キャリア）をＦＤＤセル（ＦＤＤキャリア）、フレーム構造タイプがＴＤＤ（タイプ２）のセル（キャリア）をＴＤＤセル（ＴＤＤキャリア）と呼称する場合もある。
【０５２９】
なお、ＴＤＤのフレーム構成において、全てのサブフレームが下りリンクサブフレームの設定を行ってもよい。この場合、この全てのサブフレームが下りリンクサブフレームとして設定されたＴＤＤセルは、ＦＤＤセル（ＦＤＤの下りリンクコンポーネントキャリア）と置き換えて、上記の実施形態を適用してもよい。
【０５３０】
なお、ＦＤＤの上りリンクコンポーネントキャリアにおいて、ＴＤＤのフレーム構成を適用してもよい。この場合、ＴＤＤのフレーム構成が適用されたＦＤＤの上りリンクコンポーネントキャリアは、ＴＤＤセルと置き換えて、上記の実施形態を適用してもよい。
【０５３１】
図１は、本発明の基地局装置１の構成を示す概略ブロック図である。図示するように、基地局装置１は、上位層処理部１０１、制御部１０３、受信部１０５、送信部１０７、チャネル測定部１０９、および、送受信アンテナ１１１、を含んで構成される。また、受信部１０５は、復号化部１０５１、復調部１０５３、多重分離部１０５５と無線受信部１０５７を含んで構成される。また、基地局装置１の受信処理は、上位層処理部１０１、制御部１０３、受信部１０５、送受信アンテナ１１１で行なわれる。また、送信部１０７は、符号化部１０７１、変調部１０７３、多重部１０７５、無線送信部１０７７と下りリンク参照信号生成部１０７９を含んで構成される。また、基地局装置１の送信処理は、上位層処理部１０１、制御部１０３、送信部１０７、送受信アンテナ１１１で行なわれる。
【０５３２】
上位層処理部１０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【０５３３】
上位層処理部１０１は、下りリンクの各チャネルに配置する情報を生成、又は上位ノードから取得し、送信部１０７に出力する。また、上位層処理部１０１は、上りリンクの無線リソースの中から、端末装置２が上りリンクのデータ情報である物理上りリンク共用チャネル（PUSCH: Physical Uplink Shared Channel）を配置する無線リソースを割り当てる。また、上位層処理部１０１は、下りリンクの無線リソースの中から、下りリンクのデータ情報である物理下りリンク共用チャネル（PDSCH: Physical Downlink Shared Channel）を配置する無線リソースを決定する。
【０５３４】
上位層処理部１０１は、当該無線リソースの割り当てを示す下りリンク制御情報を生成し、送信部１０７を介して、端末装置２に送信する。
【０５３５】
上位層処理部１０１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、上位層処理部１０１は、ある端末装置またはあるセルに対して各種下りリンク信号の設定に関する情報および各種上りリンク信号の設定に関する情報を生成する。
【０５３６】
また、上位層処理部１０１は、種々の下りリンク信号の設定に関する情報および種々の上りリンク信号の設定に関する情報をセル毎に生成してもよい。また、上位層処理部１０１は、種々の下りリンク信号の設定に関する情報および種々の上りリンク信号の設定に関する情報を端末装置２毎に生成してもよい。
【０５３７】
また、上位層処理部１０１は、ある端末装置２またはあるセルに対して、つまり、端末装置固有および／またはセル固有に、第１の設定に関する情報から第ｎの設定に関する情報（ｎは自然数）を生成し、送信部１０７を介して、端末装置２へ送信してもよい。例えば、下りリンク信号および／または上りリンク信号の設定に関する情報とは、リソース割り当てに関するパラメータを含んでもよい。
【０５３８】
また、下りリンク信号および／または上りリンク信号の設定に関する情報とは、系列算出に使用するパラメータを含んでもよい。なお、これらの無線リソースを時間周波数リソース、サブキャリア、リソースエレメント（RE: Resource Element）、リソースエレメントグループ（REG: Resource Element Group）、制御チャネル要素（CCE: Control Channel Element）、リソースブロック（RB: Resource Block）、リソースブロックグループ（RBG: Resource Block Group）などと呼称する場合もある。
【０５３９】
これらの設定情報および制御情報を情報要素として定義してもよい。また、これらの設定情報および制御情報をＲＲＣメッセージとして定義してもよい。また、これらの設定情報および制御情報をシステム情報で端末装置２へ送信してもよい。また、これらの設定情報および制御情報を専用シグナリングで端末装置２へ送信してもよい。
【０５４０】
また、上位層処理部１０１は、システムインフォメーションブロックタイプ１に少なくとも１つのＴＤＤ  ＵＬ／ＤＬ設定（TDD UL/DL configuration(s), TDD config, tdd-Config, uplink-downlink configuration(s)）を設定する。ＴＤＤ  ＵＬ／ＤＬ設定は、図３のように定義されてもよい。インデックスを設定することによって、ＴＤＤの構成を示してもよい。さらに、下りリンク参照として、第２のＴＤＤ  ＵＬ／ＤＬ設定を設定してもよい。また、システムインフォメーションブロックは複数のタイプを用意してもよい。例えば、システムインフォメーションブロックタイプ１には、ＴＤＤ  ＵＬ／ＤＬ設定に関する情報要素が含まれる。
【０５４１】
また、システムインフォメーションブロックタイプ２には、無線リソース制御に関する情報要素が含まれる。なお、ある情報要素の中に、その情報要素に係るパラメータが情報要素として含まれてもよい。例えば、物理層では、パラメータと呼称されるものが、上位層では、情報要素として定義されてもよい。
【０５４２】
なお、本発明では、identity, identifier, identificationをＩＤ（識別子、識別符号、識別番号）と呼称する。端末固有に設定されるＩＤ（ＵＥＩＤ）には、Ｃ−ＲＮＴＩ（Cell Radio Network Temporary Identifier），ＳＰＳ  Ｃ−ＲＮＴＩ（Semi-persistent Scheduling C-RNTI），Ｔｅｍｐｏｒａｒｙ  Ｃ−ＲＮＴＩ，ＴＰＣ−ＰＵＳＣＨ  ＲＮＴＩ，ＴＰＣ−ＰＵＣＣＨ  ＲＮＴＩ、コンテンションレゾリューションのためのランダム値がある。これらのＩＤは、セル単位で使用される。これらのＩＤは、上位層処理部１０１によって設定される。
【０５４３】
また、上位層処理部１０１は、端末装置２に対して種々の識別子を設定し、送信部１０７を介して、端末装置２へ通知する。例えば、ＲＮＴIを設定し、端末装置２へ通知する。また、物理層セルＩＤまたは仮想セルＩＤまたは仮想セルＩＤに相当するＩＤを設定し、通知する。例えば、仮想セルＩＤに相当するＩＤとして、物理チャネル固有に設定可能なＩＤ（ＰＵＳＣＨ  ＩＤ，ＰＵＣＣＨ  ＩＤ，スクランブリング初期化ＩＤ，参照信号ＩＤ（ＲＳＩＤ）など）がある。物理層セルＩＤや仮想セルＩＤは物理チャネルおよび物理信号の系列生成に用いることがある。
【０５４４】
上位層処理部１０１は、物理下りリンク制御チャネル（PDCCH: Physical Downlink Control Channel）または拡張物理下りリンク制御チャネル（EPDCCH: Enhanced Physical Downlink Control Channel）で通知する下りリンク制御情報（DCI: Downlink Control Information）、受信部１０５および送信部１０７の制御を行うために制御情報を生成し、制御部１０３に出力する。
【０５４５】
上位層処理部１０１は、端末装置２から物理上りリンク制御チャネル（PUCCH: Physical Uplink Control Channel）で通知された上りリンク制御情報（UCI: Uplink Control Information）、および端末装置２から通知されたバッファの状況や上位層処理部１０１が設定した端末装置２各々の各種設定情報（ＲＲＣメッセージ、システムインフォメーション、パラメータ、情報要素）に基づき、受信部１０５および送信部１０７の制御を行うために制御情報を生成し、制御部１０３に出力する。なお、ＵＣＩには、ＡＣＫ／ＮＡＣＫ、スケジューリング要求（SR: Scheduling Request）、チャネル状態情報（CSI: Channel State Information）のうち少なくとも一つが含まれる。なお、ＣＳＩには、ＣＱＩ，ＰＭＩ，ＲＩのうち少なくとも一つが含まれる。
【０５４６】
上位層処理部１０１は、上りリンク信号（ＰＲＡＣＨ、ＰＵＣＣＨ、ＰＵＳＣＨ、ＵＬ  ＤＭＲＳ、Ｐ−ＳＲＳ、およびＡ−ＳＲＳ）の送信電力および送信電力に関するパラメータを設定する。また、上位層処理部１０１は、下りリンク信号（ＣＲＳ、ＤＬ  ＤＭＲＳ、ＣＳＩ−ＲＳ、ＰＤＳＣＨ、ＰＤＣＣＨ／ＥＰＤＣＣＨなど）の送信電力および送信電力に関するパラメータを、送信部１０７を介して、端末装置２に送信する。つまり、上位層処理部１０１は、上りリンクおよび下りリンクの電力制御に関する情報を、送信部１０７を介して、端末装置２に送信する。言い換えると、上位層処理部１０１は、基地局装置１および端末装置２の送信電力制御に関する情報を生成する。例えば、上位層処理部１０１は、基地局装置１の送信電力に関するパラメータを端末装置２に送信する。
【０５４７】
また、上位層処理部１０１は、端末装置２の最大送信電力ＰＣＭＡＸ，ｃおよび総最大出力電力ＰＣＭＡＸを設定するために用いられるパラメータを端末装置２に送信する。また、上位層処理部１０１は、種々の物理チャネルの送信電力制御に関する情報を端末装置２に送信する。
【０５４８】
また、上位層処理部１０１は、隣接する基地局装置からの干渉量を示す情報、隣接する基地局装置から通知された隣接する基地局装置１に与えている干渉量を示す情報、またチャネル測定部１０９から入力されたチャネルの品質などに応じて、ＰＵＳＣＨなどが所定のチャネル品質を満たすよう、また、隣接する基地局装置１への干渉を考慮し、端末装置２の送信電力をセットし、これらの設定を示す情報を、送信部１０７を介して、端末装置２に送信する。
【０５４９】
具体的には、上位層処理部１０１は、端末装置２間で共有する情報（上りリンク電力制御に関する共有パラメータの情報）または端末装置２間で共通なパラメータとして設定される情報として、ＰＵＳＣＨとＰＵＣＣＨそれぞれに対する標準電力（ＰＯ＿ＮＯＭＩＮＡＬ＿ＰＵＳＣＨ，ＰＯ＿ＮＯＭＩＮＡＬ＿ＰＵＣＣＨ）、伝搬路損失補償係数（減衰係数）α、メッセージ３用の電力オフセット、ＰＵＣＣＨフォーマット毎に規定される電力オフセットなどをシステムインフォメーションで送信する。その際、ＰＵＣＣＨフォーマット３の電力オフセットおよびデルタＰＵＣＣＨフォーマット１ｂＣＳの電力オフセットを追加して通知してもよい。また、これらの共有パラメータの情報は、ＲＲＣメッセージで通知されてもよい。
【０５５０】
また、上位層処理部１０１は、端末装置２毎に設定可能な情報（上りリンク電力制御に関する専用パラメータの情報）として、端末装置固有ＰＵＳＣＨ電力Ｐ０＿ＵＥ＿ＰＵＳＣＨ、デルタＭＣＳが有効か否かを指示するパラメータ（deltaMCS-Enabled）、アキュムレーションが有効か否かを指示するパラメータ（accumulationEnabled）、端末装置固有ＰＵＣＣＨ電力Ｐ０＿ＵＥ＿ＰＵＣＣＨ、Ｐ−ＳＲＳ電力オフセットＰＳＲＳ＿ＯＦＦＳＥＴ（０）、フィルタ係数をＲＲＣメッセージで通知する。その際、各ＰＵＣＣＨフォーマットにおける送信ダイバーシチの電力オフセット、Ａ−ＳＲＳ電力オフセットＰＳＲＳ＿ＯＦＦＳＥＴ（１）を通知してもよい。なお、ここで述べるαとはパスロス値と共に送信電力をセットするために用いられ、パスロスを補償する度合いを表す係数、言い換えるとパスロスに応じてどの程度送信電力を増減させるか（つまり、どの程度送信電力を補償するか）を決定する係数（減衰係数、伝送路損失補償係数）である。αは通常０から１の値をとり、０であればパスロスに応じた電力の補償は行なわず、１であればパスロスの影響が基地局装置１において生じないよう端末装置２の送信電力を補償する。これらの情報は、再設定情報として端末装置２へ送信されてもよい。なお、これらの共有パラメータおよび専用パラメータは、プライマリーセルとセカンダリーセルまたは複数のサービングセルでそれぞれ独立に設定されてもよい。
【０５５１】
また、上位層処理部１０１は、受信部１０５において、端末装置２から端末装置２の機能情報を受信した場合、端末装置２の機能情報に基づいて、種々の設定を行なう。例えば、端末装置２の機能情報に基づいて、端末装置２がサポートしているバンド（EUTRA Operating Band）から、上りリンクのキャリア周波数と下りリンクのキャリア周波数を決定する。また、端末装置２の機能情報に基づいて、端末装置２に対してＭＩＭＯ通信を行なうか否かを決定する。また、端末装置２の機能情報に基づいて、キャリアアグリゲーションを行なうか否かを決定する。また、端末装置２の機能情報に基づいて、異なるフレーム構造タイプのコンポーネントキャリアによるキャリアアグリゲーションを行なうか否かを決定する。すなわち、セカンダリーセルを設定するか否かおよびセカンダリーセルに対して用いる種々のパラメータを決定する。決定した情報を端末装置２へ通知する。なお、キャリア周波数に関する情報は、ＲＲＣメッセージで通知されてもよい。すなわち、キャリア周波数に関する情報は、システムインフォメーションで通知されてもよい。また、キャリア周波数に関する情報は、モビリティ制御情報に含まれて通知されてもよい。また、キャリア周波数に関する情報は、ＲＲＣ情報として上位層より通知されてもよい。
【０５５２】
また、上位層処理部１０１は、端末装置２に対して、セカンダリーセルを設定する場合、セカンダリーセルに特定の値（例えば、“０”または“０”に相当する情報ビット）以外のセルインデックスを付与し、その設定情報を端末装置２へ送信する。セカンダリーセルが設定された場合、端末装置２は、プライマリーセルのセルインデックスを特定の値とみなす。
【０５５３】
また、上位層処理部１０１は、端末装置２毎に下りリンク信号／上りリンク信号の送信電力または送信電力に関するパラメータを設定してもよい。また、上位層処理部１０１は、端末装置２間で共通の下りリンク／上りリンク信号の送信電力または送信電力に関するパラメータを設定してもよい。上位層処理部１０１は、これらのパラメータに関する情報を上りリンク電力制御に関する情報（上りリンク電力制御に関するパラメータの情報）および／または下りリンク電力制御に関する情報（下りリンク電力制御に関するパラメータの情報）として端末装置２へ送信してもよい。上りリンク電力制御に関するパラメータの情報および下りリンク電力制御に関するパラメータの情報には、少なくとも１つのパラメータが含まれて端末装置２へ送信される。
【０５５４】
上位層処理部１０１は、種々の物理チャネル／物理信号に係る種々のＩＤの設定を行ない、制御部１０３を介して、受信部１０５および送信部１０７へＩＤの設定に関する情報を出力する。例えば、上位層処理部１０１は、下りリンク制御情報フォーマットに含まれるＣＲＣをスクランブルするＲＮＴＩ（ＵＥＩＤ）の値を設定する。
【０５５５】
また、上位層処理部１０１は、Ｃ−ＲＮＴＩ（Cell Radio Network Temporary Identifier），Ｔｅｍｐｏｒａｒｙ  Ｃ−ＲＮＴＩ，Ｐ−ＲＮＴＩ（Paging-RNTI），ＲＡ−ＲＮＴＩ（Random Access RNTI），ＳＰＳ  Ｃ−ＲＮＴＩ（Semi-Persistent Scheduling C-RNTI）、ＳＩ−ＲＮＴＩ（System Information RNTI）などの種々の識別子の値を設定してもよい。
【０５５６】
また、上位層処理部１０１は、物理セルＩＤや仮想セルＩＤ、スクランブル初期化ＩＤなどのＩＤの値を設定する。これらの設定情報は、制御部１０３を介して、各処理部へ出力される。また、これらの設定情報は、ＲＲＣメッセージやシステムインフォメーション、端末装置固有の専用情報、情報要素として端末装置２へ送信されてもよい。また、一部のＲＮＴＩはＭＡＣ  ＣＥ（Control Element）を用いて送信されてもよい。
【０５５７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０５５８】
受信部１０５は、制御部１０３から入力された制御信号に従って、送受信アンテナ１１１を介して端末装置２から受信した受信信号を分離、復調、復号し、復号した情報を上位層処理部１０１に出力する。無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行ない、周波数領域の信号を抽出し多重分離部１０５５に出力する。
【０５５９】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。尚、この分離は、予め基地局装置１が決定して各端末装置２に通知した無線リソースの割り当て情報に基づいて行われる。また、多重分離部１０５５は、チャネル測定部１０９から入力された伝送路の推定値から、ＰＵＣＣＨとＰＵＳＣＨの伝送路の補償を行なう。また、多重分離部１０５５は、分離したＵＬ  ＤＭＲＳおよびＳＲＳをチャネル測定部１０９に出力する。
【０５６０】
復調部１０５３は、ＰＵＳＣＨを逆離散フーリエ変換（IDFT: Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK: Quadrature Phase Shift Keying）、１６値直交振幅変調（16QAM: 16 Quadrature Amplitude Modulation）、６４値直交振幅変調（64QAM: 64 Quadrature Amplitude Modulation）等の予め定められた、または基地局装置１が端末装置２各々に下りリンク制御情報で予め通知した変調方式を用いて受信信号の復調を行なう。
【０５６１】
復号化部１０５１は、復調したＰＵＣＣＨとＰＵＳＣＨの符号化ビットを、予め定められた符号化方式の、予め定められた、又は基地局装置１が端末装置２に上りリンクグラント（UL grant）で予め通知した符号化率で復号を行ない、復号したデータ情報と、上りリンク制御情報を上位層処理部１０１へ出力する。
【０５６２】
チャネル測定部１０９は、多重分離部１０５５から入力された上りリンク復調参照信号ＵＬ  ＤＭＲＳとＳＲＳから伝送路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【０５６３】
送信部１０７は、制御部１０３から入力された制御信号に基づいて、下りリンクの参照信号（下りリンク参照信号）を生成し、上位層処理部１０１から入力されたデータ情報、下りリンク制御情報を符号化、および変調し、ＤＣＩフォーマットを用いたＰＤＣＣＨ（ＥＰＤＣＣＨ）、ＰＤＳＣＨ、および下りリンク参照信号を多重して、送受信アンテナ１１１を介して端末装置２に下りリンク信号を送信する。送信部は、第１のＤＣＩフォーマットまたは第２のＤＣＩフォーマットを用いてＰＤＣＣＨを送信する。
【０５６４】
符号化部１０７１は、上位層処理部１０１から入力された下りリンク制御情報、およびデータ情報を、ターボ符号化、畳み込み符号化、ブロック符号化等の符号化を行う。変調部１０７３は、符号化ビットをＱＰＳＫ、１６ＱＡＭ、６４ＱＡＭ等の変調方式で変調する。下りリンク参照信号生成部１０７９は、基地局装置１を識別するためのセル識別子（Cell ID, Cell Identity, Cell Identifier, Cell Identification）などを基に予め定められた規則で求まる、端末装置２が既知の系列で下りリンク参照信号として生成する。多重部１０７５は、変調した各チャネルと生成した下りリンク参照信号を多重する。
【０５６５】
無線送信部１０７７は、多重した変調シンボルを逆高速フーリエ変換（IFFT: Inverse Fast Fourier Transform）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【０５６６】
図２は、本実施形態に係る端末装置２の構成を示す概略ブロック図である。図示するように、端末装置２は、上位層処理部２０１、制御部２０３、受信部２０５、送信部２０７、チャネル測定部２０９、および、送受信アンテナ２１１、を含んで構成される。また、受信部２０５は、復号化部２０５１、復調部２０５３、多重分離部２０５５と無線受信部２０５７を含んで構成される。端末局装置２の受信処理は、上位層処理部２０１、制御部２０３、受信部２０５、送受信アンテナ２１１で行なわれる。また、送信部２０７は、符号化部２０７１、変調部２０７３、多重部２０７５と無線送信部２０７７を含んで構成される。また、端末装置２の送信処理は、上位層処理部２０１、制御部２０３、送信部２０７、送受信アンテナ２１１で行なわれる。
【０５６７】
上位層処理部２０１は、ユーザの操作等により生成された上りリンクのデータ情報を、送信部に出力する。また、上位層処理部２０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行なう。
【０５６８】
上位層処理部２０１は、自局の各種設定情報の管理を行なう。また、上位層処理部２０１は、上りリンクの各チャネルに配置する情報を生成し、送信部２０７に出力する。上位層処理部２０１は、基地局装置１からＰＤＣＣＨで通知された下りリンク制御情報（ＤＣＩ）、およびＰＤＳＣＨで通知された無線リソース制御情報が設定された上位層処理部２０１が管理する自局の各種設定情報に基づき、受信部２０５、および送信部２０７の制御を行うために制御情報を生成し、制御部２０３に出力する。また、上位層処理部２０１は、基地局装置１から通知された第１の設定に関する情報から第ｎの設定に関する情報に基づいて、各信号の種々のパラメータ（情報要素、ＲＲＣメッセージ）をセットする。また、それらのセットした情報を生成し、制御部２０３を介して、送信部２０７に出力する。また、上位層処理部２０１は、基地局装置１とのコネクションを確立する際に、端末装置２の機能情報を生成し、制御部２０３を介して、送信部２０７に出力し、基地局装置１へ通知する。また、上位層処理部２０１は、基地局装置１とコネクションが確立した後に、機能情報を基地局装置１へ通知してもよい。
【０５６９】
機能情報には、ＲＦのパラメータに関する情報（RF-Parameters）が含まれてもよい。ＲＦのパラメータに関する情報には、端末装置２がサポートしているバンドを示す情報（1st SupportedBandCombination）が含まれてもよい。ＲＦのパラメータに関する情報には、キャリアアグリゲーションおよび／またはＭＩＭＯをサポートしているバンドを示す情報（SupportedBandCombinationExt）が含まれてもよい。ＲＦのパラメータに関する情報には、端末装置２に同時に集約されるバンド間で複数のタイミングアドバンスやバンド間で同時に送受信を行なう機能をサポートしているバンドを示す情報（2nd SupportedBandConbination）が含まれてもよい。これらのバンドは、それぞれリスト化されてもよい。複数のリスト化された情報で示される値（エントリー）は、共通であってもよい（同じものを示してもよい）。
【０５７０】
端末装置２がサポートしているバンド（bandE-UTRA, FreqBandIndicator, E-UTRA Operating Band）それぞれに対して、ハーフデュプレックスをサポートしているかが示されてもよい。ハーフデュプレックスがサポートされていないバンドにおいては、フルデュプレックスをサポートする。
【０５７１】
端末装置２がサポートしているバンドに対して、上りリンクでキャリアアグリゲーションおよび／またはＭＩＭＯをサポートしているかが示されてもよい。
【０５７２】
端末装置２がサポートしているバンドに対して、下りリンクでキャリアアグリゲーションおよび／またはＭＩＭＯをサポートしているかが示されてもよい。
【０５７３】
ＲＦのパラメータに関する情報には、ＴＤＤ−ＦＤＤキャリアアグリゲーションをサポートするバンドを示す情報が含まれてもよい。これらのバンドは、リスト化されてもよい。
【０５７４】
ＲＦのパラメータに関する情報には、ＴＤＤ−ＦＤＤキャリアアグリゲーションをサポートするバンド間で同時に送受信を行なう機能をサポートしているかを示す情報が含まれてもよい。
【０５７５】
また、ＲＦのパラメータに関する情報には、異なるデュプレックスモードのバンド間で同時に送受信を行なえるか否かを示す情報が含まれてもよい。
【０５７６】
上位層処理部２０１は、機能情報に含まれているこれらの機能のうち、サポートしていない機能がある場合には、その機能をサポートしているか否かを示す情報を機能情報にセットしなくてもよい。基地局装置１は、機能情報にセットされていない機能については、端末装置２はサポートしていないとみなし、種々の設定を行なう。なお、機能をサポートしているか否かを示す情報は、機能をサポートしていることを示す情報であってもよい。
【０５７７】
上位層処理部２０１は、これらの機能情報のうち、サポートしていない機能があれば、その機能について、サポートしていないことを表す特定の値（例えば、“０”）または情報（例えば、“not supported”, “disable”, “FALSE”など）をセットし、その情報を含む機能情報を基地局装置１へ通知してもよい。
【０５７８】
上位層処理部２０１は、これらの機能情報のうち、サポートしている機能があれば、その機能について、サポートしていることを表す特定の値（例えば、“１”）または情報（例えば、“supported”, “enable”, “TRUE”など）をセットし、その情報を含む機能情報を基地局装置１へ通知してもよい。
【０５７９】
上位層処理部２０１は、同時に集約可能なバンド間で同時に送受信する機能がない場合、同時に集約可能なバンド間で同時に送受信する機能をサポートしているか否かを示す情報（simultaneousRx-Tx）にサポートしていないことを示す特定の値または情報をセットする。または、機能情報に、同時に集約可能なバンド間で同時に送受信する機能をサポートしているか否かを示す情報そのものがセットされていなくてもよい。
【０５８０】
上位層処理部２０１は、基地局装置１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局装置１が端末装置２に通知したピリオディックＳＲＳを送信するサブフレームと、周波数帯域と、ピリオディックＳＲＳのＣＡＺＡＣ系列に用いるサイクリックシフトの量と、を示す情報、および、基地局装置１が端末装置２に通知したアピリオディックＳＲＳを送信する周波数帯域と、アピリオディックＳＲＳのＣＡＺＡＣ系列に用いるサイクリックシフトの量と、を示す情報を受信部２０５から取得する。
【０５８１】
上位層処理部２０１は、前記情報に従ってＳＲＳ送信の制御を行なう。具体的には、上位層処理部２０１は、前記ピリオディックＳＲＳに関する情報に従ってピリオディックＳＲＳを１回または周期的に送信するよう送信部２０７を制御する。また、上位層処理部２０１は、受信部２０５から入力されたＳＲＳリクエスト（ＳＲＳインディケータ）においてアピリオディックＳＲＳの送信を要求された場合、アピリオディックＳＲＳに関する情報に従ってアピリオディックＳＲＳを予め定められた回数（例えば、１回）だけ送信する。
【０５８２】
上位層処理部２０１は、基地局装置１から送信される種々の上りリンク信号の送信電力制御に関する情報に基づいて、ＰＲＡＣＨ、ＰＵＣＣＨ、ＰＵＳＣＨ、ピリオディックＳＲＳ、およびアピリオディックＳＲＳの送信電力の制御を行なう。具体的には、上位層処理部２０１は、受信部２０５から取得した種々の上りリンク電力制御に関する情報に基づいて種々の上りリンク信号の送信電力を設定する。例えば、ＳＲＳの送信電力は、Ｐ０＿ＰＵＳＣＨ、α、ピリオディックＳＲＳ用の電力オフセットＰＳＲＳ＿ＯＦＦＳＥＴ（０）（第１の電力オフセット（pSRS-Offset））、アピリオディックＳＲＳ用の電力オフセットＰＳＲＳ＿ＯＦＦＳＥＴ（１）（第２の電力オフセット（pSRS-OffsetAp））、およびＴＰＣコマンドに基づいて制御される。なお、上位層処理部２０１は、ＰＳＲＳ＿ＯＦＦＳＥＴに対してピリオディックＳＲＳかアピリオディックＳＲＳかに応じて第１の電力オフセットか第２の電力オフセットかを切り替える。
【０５８３】
また、上位層処理部２０１は、ピリオディックＳＲＳおよび／またはアピリオディックＳＲＳに対して第３の電力オフセットが設定されている場合、第３の電力オフセットに基づいて送信電力をセットする。なお、第３の電力オフセットは、第１の電力オフセットや第２の電力オフセットよりも広い範囲で値が設定されてもよい。第３の電力オフセットは、ピリオディックＳＲＳおよびアピリオディックＳＲＳそれぞれに対して設定されてもよい。つまり、上りリンク電力制御に関するパラメータの情報とは、種々の上りリンク物理チャネルの送信電力の制御に係るパラメータが含まれる情報要素やＲＲＣメッセージのことである。
【０５８４】
また、上位層処理部２０１は、あるサービングセルおよびあるサブフレームにおいて、第１の上りリンク参照信号の送信電力と物理上りリンク共用チャネルの送信電力の合計が端末装置２に設定される最大送信電力（例えば、ＰＣＭＡＸやＰＣＭＡＸ，ｃ）を超える場合、物理上りリンク共用チャネルを送信するように、制御部２０３を介して送信部２０７に指示情報を出力する。
【０５８５】
また、上位層処理部２０１は、あるサービングセルおよびあるサブフレームにおいて、第１の上りリンク参照信号の送信電力と物理上りリンク制御チャネルの送信電力の合計が端末装置２に設定される最大送信電力（例えば、ＰＣＭＡＸやＰＣＭＡＸ，ｃ）を超える場合、物理上りリンク制御チャネルを送信するように、制御部２０３を介して送信部２０７に指示情報を出力する。
【０５８６】
また、上位層処理部２０１は、あるサービングセルおよびあるサブフレームにおいて、第２の上りリンク参照信号の送信電力と物理上りリンク共用チャネルの送信電力の合計が端末装置２に設定される最大送信電力を超える場合、物理上りリンク共用チャネルを送信するように、制御部２０３を介して送信部２０７に指示情報を出力する。
【０５８７】
また、上位層処理部２０１は、あるサービングセル（例えば、サービングセルｃ）およびあるサブフレーム（例えば、サブフレームｉ）において、第２の上りリンク参照信号の送信電力と物理上りリンク制御チャネルの送信電力の合計が端末装置２に設定される最大送信電力を超える場合、物理上りリンク制御チャネルを送信するように、制御部２０３を介して送信部２０７に指示情報を出力する。
【０５８８】
また、上位層処理部２０１は、同じタイミング（例えば、サブフレーム）で複数の物理チャネルの送信が生じる場合、種々の物理チャネルの優先度に応じて、種々の物理チャネルの送信電力を制御したり、種々の物理チャネルの送信を制御したりすることもできる。上位層処理部２０１は、制御部２０３を介してその制御情報を送信部２０７に出力する。
【０５８９】
また、上位層処理部２０１は、複数のサービングセルまたは複数のサービングセルそれぞれに対応する複数のコンポーネントキャリアを用いるキャリアアグリゲーションを行なう場合、物理チャネルの優先度に応じて、種々の物理チャネルの送信電力を制御したり、種々の物理チャネルの送信を制御したりすることもできる。
【０５９０】
また、上位層処理部２０１は、セルの優先度に応じて、該セルから送信される種々の物理チャネルの送信制御を行なってもよい。上位層処理部２０１は、制御部２０３を介してその制御情報を送信部２０７に出力する。
【０５９１】
上位層処理部２０１は、基地局装置１から通知された上りリンク参照信号の設定に関する情報に基づいて上りリンク参照信号の生成等を行なうように制御部２０３を介して送信部２０７に指示情報を出力する。つまり、参照信号制御部２０１３は、制御部２０３を介して、上りリンク参照信号の設定に関する情報を上りリンク参照信号生成部２０７９へ出力する。
【０５９２】
制御部２０３は、上位層処理部２０１からの制御情報に基づいて、受信部２０５、および送信部２０７の制御を行なう制御信号を生成する。制御部２０３は、生成した制御信号を受信部２０５および送信部２０７に出力して、受信部２０５および送信部２０７の制御を行なう。
【０５９３】
受信部２０５は、制御部２０３から入力された制御信号に従って、送受信アンテナ２１１を介して基地局装置１から受信した受信信号を、分離、復調、復号し、復号した情報を上位層処理部２０１に出力する。受信部は、第１のＤＣＩフォーマットまたは第２のＤＣＩフォーマットを用いて送信されたＰＤＣＣＨを受信する。
【０５９４】
受信部２０５は、第１の設定に関する情報および／または第２の設定に関する情報を受信するか否かによって、適切な受信処理を行なう。例えば、第１の設定に関する情報または第２の設定に関する情報のうち、何れか一方を受信している場合には、受信した下りリンク制御情報フォーマットから第１の制御情報フィールドを検出し、第１の設定に関する情報および第２の設定に関する情報を受信している場合には、受信した下りリンク制御情報フォーマットから第２の制御情報フィールドを検出する。
【０５９５】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行ない、周波数領域の信号を抽出する。
【０５９６】
多重分離部２０５５は、抽出した信号をＰＤＣＣＨ、ＰＤＳＣＨ、および下りリンク参照信号（DL-RS: Downlink Reference Signal）に、それぞれ分離する。尚、この分離は、下りリンク制御情報で通知された無線リソースの割り当て情報などに基づいて行われる。また、多重分離部２０５５は、チャネル測定部２０９から入力された伝送路の推定値から、ＰＤＣＣＨとＰＤＳＣＨの伝送路の補償を行なう。また、多重分離部２０５５は、分離した下りリンク参照信号をチャネル測定部２０９に出力する。
【０５９７】
復調部２０５３は、ＤＣＩフォーマットを用いて送信されたＰＤＣＣＨに対して、ＱＰＳＫ変調方式の復調を行ない、復号化部２０５１へ出力する。復号化部２０５１は、ＰＤＣＣＨの復号を試み、復号に成功した場合、復号した下りリンク制御情報（ＤＣＩ）を上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【０５９８】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝送路の推定値を算出し、多重分離部２０５５へ出力する。また、チャネル測定部２０９は、参照信号制御部２０１３から制御部２０３を介して通知された測定に関する種々の情報、測定報告に関する種々の情報に従って、第１の信号および／または第２の信号の受信電力測定や受信品質測定を行なう。その結果を上位層処理部２０１に出力する。また、チャネル測定部２０９は、第１の信号および／または第２の信号のチャネル評価を行なうことを指示された場合、それぞれの信号のチャネル評価に関する結果を上位層処理部２０１に出力してもよい。ここで、第１の信号や第２の信号は、参照信号（パイロット信号、パイロットチャネル、基準信号）であり、第１の信号や第２の信号の他に第３の信号や第４の信号があってもよい。つまり、チャネル測定部２０９は、１つ以上の信号のチャネルを測定する。また、チャネル測定部２０９は、上位層処理部２０１から、制御部２０３を介して、通知された制御情報に従って、チャネル測定を行なう信号を設定する。
【０５９９】
また、チャネル測定部２０９は、あるセル（第１のセル）において、上りリンク送信が要求された上りリンクサブフレームが生じたことによって、あるセルとは異なるセル（第２のセル）の同じサブフレームでＣＲＳやＣＳＩ−ＲＳを測定できなかった場合、第２のセルにおける測定結果（受信電力や受信品質、チャネル品質など）の平均を測定できなかったサブフレームを除いて行なってもよい。言い換えると、チャネル測定部２０９は、受信したＣＲＳやＣＳＩ−ＲＳのみを用いて、測定結果（受信電力や受信品質、チャネル品質など）の平均値を算出してもよい。その算出結果（算出結果に対応するインディケータまたは情報）を送信部２０７を介して、基地局装置１へ送信してもよい。
【０６００】
送信部２０７は、制御部２０３から入力された制御信号（制御情報）に基づいて、上りリンク復調参照信号（ＵＬ  ＤＭＲＳ）および／またはサウンディング参照信号（ＳＲＳ）を生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局装置１に送信する。
【０６０１】
また、送信部２０７は、上位層処理部２０１から測定結果に関する情報が出力された場合、送受信アンテナ２１１を介して基地局装置１に送信する。
【０６０２】
また、送信部２０７は、上位層処理部２０１からチャネル評価に関する結果であるチャネル状態情報が出力された場合、そのチャネル状態情報を基地局装置１へフィードバックする。つまり、上位層処理部２０１は、チャネル測定部２０９から通知された測定結果に基づいてチャネル状態情報（ＣＳＩ、ＣＱＩ、ＰＭＩ、ＲＩ）を生成し、制御部２０３を介して基地局装置１へフィードバックする。
【０６０３】
送信部２０７は、受信部２０５において、所定のグラント（または所定の下りリンク制御情報フォーマット）が検出されると、所定のグラントに対応する上りリンク信号を、グラントを検出したサブフレームから所定のサブフレーム以降の最初の上りリンクサブフレームで上りリンク信号を送信する。例えば、サブフレームｉでグラントを検出すると、サブフレームｉ＋ｋ以降の最初の上りリンクサブフレームで上りリンク信号を送信することができる。
【０６０４】
また、送信部２０７は、上りリンク信号の送信サブフレームがサブフレームｉである場合、サブフレームｉ−ｋで受信したＴＰＣコマンドによって得られる電力制御調整値に基づいて上りリンク信号の送信電力をセットする。ここで、電力制御調整値ｆ（ｉ）（またはｇ（ｉ））は、ＴＰＣコマンドにセットされた値に対応付けられた補正値または絶対値に基づいて設定される。アキュムレーションが有効な場合、ＴＰＣコマンドにセットされた値に対応付けられた補正値を累算し、その累算結果を電力制御調整値として適用する。アキュムレーションが有効でない場合、単一のＴＰＣコマンドにセットされた値に対応付けられた絶対値を電力制御調整値として適用する。
【０６０５】
送信部２０７は、受信部２０５において第１の設定に関する情報または第２の設定に関する情報のうち、何れか一方を受信する場合には、第１の上りリンク電力制御に関するパラメータに基づいて送信電力をセットし、受信部２０５において第１の設定に関する情報および第２の設定に関する情報を受信する場合には、第２の上りリンク電力制御に関するパラメータに基づいて送信電力をセットし、上りリンク信号を送信する。
【０６０６】
符号化部２０７１は、上位層処理部２０１から入力された上りリンク制御情報、およびデータ情報を、ターボ符号化、畳み込み符号化、ブロック符号化等の符号化を行なう。変調部２０７３は、符号化部２０７１から入力された符号化ビットをＢＰＳＫ、ＱＰＳＫ、１６ＱＡＭ、６４ＱＡＭ等の変調方式で変調する。
【０６０７】
上りリンク参照信号生成部２０７９は、上りリンク参照信号の設定に関する情報に基づいて上りリンク参照信号を生成する。つまり、上りリンク参照信号生成部２０７９は、基地局装置１を識別するためのセル識別子、上りリンク復調参照信号、第１の上りリンク参照信号、第２の上りリンク参照信号を配置する帯域幅などを基に予め定められた規則で求まる、基地局装置１が既知のＣＡＺＡＣ系列を生成する。また、上りリンク参照信号生成部２０７９は、制御部２０３から入力された制御信号に基づいて、生成した上りリンク復調参照信号、第１の上りリンク参照信号、第２の上りリンク参照信号のＣＡＺＡＣ系列にサイクリックシフトを与える。
【０６０８】
上りリンク参照信号生成部２０７９は、上りリンク復調参照信号および／またはサウンディング参照信号、上りリンク参照信号の基準系列を所定のパラメータに基づいて初期化してもよい。所定のパラメータは各参照信号で同じパラメータであってもよい。また、所定のパラメータは各参照信号に独立に設定されたパラメータであってもよい。つまり、上りリンク参照信号生成部２０７９は、独立に設定されたパラメータがなければ、同じパラメータで各参照信号の基準系列を初期化することができる。
【０６０９】
多重部２０７５は、制御部２０３から入力された制御信号に基づいて、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。
【０６１０】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【０６１１】
なお、上記各実施形態において、キャリアアグリゲーションが設定された（セカンダリーセルが設定された）場合、プライマリーセルにおいてＰＵＣＣＨが送受信される場合について説明したが，これに限るものではない。キャリアアグリゲーションが設定された場合、セカンダリーセルにおけるＰＤＳＣＨに対応するＨＡＲＱ−ＡＣＫがセカンダリーセルにおいて送受信されることもできる。このとき、キャリアアグリゲーションが設定され、かつ上りリンクのキャリアアグリゲーションが設定されない場合、すなわち上りリンクコンポーネントキャリアの設定を伴わないセカンダリーセルが設定された場合、そのセカンダリーセルにおけるＰＤＳＣＨに対応するＨＡＲＱ−ＡＣＫがプライマリーセルにおいて送受信される。このとき、上記各実施形態で説明されたＨＡＲＱ−ＡＣＫの送受信手順を用いることができる。また、ＰＵＣＣＨが送受信されるサービングセルがプライマリーセルではないサービングセル（例えば、セカンダリーセルグループ内の一部（１つ）のセカンダリーセル）である場合にも、上記各実施形態で説明されたＨＡＲＱ−ＡＣＫの送受信手順を用いることができる。このとき、上記各実施形態におけるプライマリーセルを例えば一部のセカンダリーセルに置きかえることで同様の効果を奏することができる。
【０６１２】
なお、上記各実施形態において、受信処理とは、検出処理（Detection）を含んでもよい。また、受信処理とは、復調処理（Demodulation）を含んでもよい。また、受信処理とは、復号処理（Decode, Decoding）を含んでもよい。
【０６１３】
端末装置２は、物理チャネルの種類に応じて送信する物理チャネル／物理信号の優先度が設定または事前に定義されてもよい。
【０６１４】
なお、上記各実施形態では、端末装置２は、ＣＳＩ−ＲＳまたはＤＲＳ（Discovery Reference Signal）に基づく受信電力の測定結果を基地局装置１へ報告してもよい。端末装置２は、その報告を周期的に行なってもよい。また、端末装置２は、その報告をある条件を満たした場合に行なってもよい。
【０６１５】
なお、上記各実施形態では、端末装置２はＣＳＩ−ＲＳまたはＤＲＳに基づく受信電力を測定する場合、その受信電力に基づいて上りリンク信号の送信電力制御を行なってもよい。つまり、端末装置２は、下りリンクパスロスをその受信電力に基づいて決定してもよい。
【０６１６】
なお、上記各実施形態では、端末装置２は、第１の上りリンク参照信号および／または第２の上りリンク参照信号の送信電力を含む種々の上りリンク信号の送信電力の合計が端末装置２に設定される最大送信電力を超える場合、第１の上りリンク参照信号および／または第２の上りリンク参照信号を送信しなくてもよい。
【０６１７】
また、端末装置２は、上りリンク送信参照用のＴＤＤ  ＵＬ／ＤＬ設定（第１のＴＤＤ  ＵＬ／ＤＬ設定）と下りリンク送信参照用のＴＤＤ  ＵＬ／ＤＬ設定（第２のＴＤＤ  ＵＬ／ＤＬ設定）が設定され、さらに、上りリンク送信電力制御に関する情報が設定されると、第１のＴＤＤ  ＵＬ／ＤＬ設定と第２のＴＤＤ  ＵＬ／ＤＬ設定で同じ種類のサブフレームが設定されている場合には、そのサブフレームの上りリンク電力制御は第１の上りリンク電力制御に関するパラメータに基づいてセットされ、第１のＴＤＤ  ＵＬ／ＤＬ設定と第２のＴＤＤ  ＵＬ／ＤＬ設定で異なる種類のサブフレームが設定されている場合には、そのサブフレームの上りリンク電力は第２の上りリンク電力制御に関するパラメータに基づいてセットされる。
【０６１８】
なお、フレキシブルサブフレームは、上りリンクサブフレームであり、下りリンクサブフレームであるサブフレームのことである。また、フレキシブルサブフレームは、下りリンクサブフレームであり、スペシャルサブフレームであるサブフレームのことである。また、フレキシブルサブフレームは、上りリンクサブフレームであり、スペシャルサブフレームであるサブフレームのことである。つまり、フレキシブルサブフレームは、第１のサブフレームであり、第２のサブフレームであるサブフレームのことである。例えば、また、フレキシブルサブフレームとして設定されるサブフレームは、条件１の場合、第１のサブフレーム（例えば、上りリンクサブフレーム）として処理され、条件２の場合、第２のサブフレーム（例えば、下りリンクサブフレーム）として処理される。
【０６１９】
なお、フレキシブルサブフレームは、第１の設定および第２の設定に基づいてセットされてもよい。例えば、あるサブフレームｉに対して第１の設定では上りリンクサブフレーム、第２の設定では下りリンクサブフレームとして設定された場合、サブフレームｉはフレキシブルサブフレームとなる。フレキシブルサブフレームは、フレキシブルサブフレームのサブフレームパターンを指示する情報に基づいて設定されてもよい。
【０６２０】
また、複数のサブフレームセットは、２つのＴＤＤ  ＵＬ／ＤＬ設定ではなく、１つのＴＤＤ  ＵＬ／ＤＬ設定とフレキシブルサブフレームパターン（下りリンク候補サブフレームパターンまたは上りリンク候補サブフレームパターン、追加サブフレーム）に基づいて設定されてもよい。端末装置２は、フレキシブルサブフレームパターンで示されるサブフレームインデックスにおいては、ＴＤＤ  ＵＬ／ＤＬ設定で上りリンクサブフレームと示されていてもそのサブフレームで上りリンク信号を送信することがなければ、下りリンク信号を受信することができるし、ＴＤＤ  ＵＬ／ＤＬ設定で下りリンクサブフレームと示されていても事前にそのサブフレームで上りリンク信号を送信することを指示されていれば、上りリンク信号を送信することができる。特定のサブフレームに対して上りリンク／下りリンク候補のサブフレームとして指示されてもよい。
【０６２１】
端末装置２は、ある条件を満たすと、何れか一方を上りリンクのためのサブフレームセットと認識し、もう一方を下りリンクのためのサブフレームセットと認識してもよい。ここで、上りリンクのためのサブフレームセットとは、ＰＵＳＣＨおよびＰＨＩＣＨの送信のために設定されるサブフレームのセットであり、下りリンクサブフレームセットとは、ＰＤＳＣＨおよびＨＡＲＱの送信のために設定されるサブフレームのセットである。ＰＵＳＣＨとＰＨＩＣＨのサブフレームの関連を示す情報とＰＤＳＣＨとＨＡＲＱのサブフレームの関連を示す情報が端末装置２に事前に設定されてもよい。
【０６２２】
なお、上記各実施形態において、１つのサービングセル（プライマリーセル、セカンダリーセル、キャリア周波数、送信周波数、コンポーネントキャリア）に対して複数のサブフレームセットが設定されてもよい。複数のサブフレームセットが設定されるセルと複数のサブフレームセットが設定されないセルがあってもよい。
【０６２３】
なお、上記各実施形態において、１つのサービングセルに対して、２つ以上のサブフレームセットが独立に構成される場合、それぞれのサブフレームセットに対して、端末装置２毎に設定される最大送信電力（ＰＣＭＡＸ、ＰＣＭＡＸ，ｃ）が設定されてもよい。つまり、端末装置２は、独立した最大送信電力を複数設定してもよい。つまり、１つのサービングセルに対して、複数の最大送信電力（ＰＣＭＡＸ、ＰＣＭＡＸ，ｃ）がセットされてもよい。また、１つのサービングセルに対して、複数の最大許容出力電力（ＰＥＭＡＸ，ｃ）が設定されてもよい。
【０６２４】
また、種々の上りリンク信号のリソース割り当てが同じ場合、基地局装置１は、各上りリンク信号の信号系列の違いによって、種々の上りリンク信号を検出することができる。つまり、基地局装置１は、受信した上りリンク信号の信号系列の違いによって、各上りリンク信号を識別することができる。また、基地局装置１は、受信した上りリンク信号の信号系列の違いによって、自局宛ての送信か否かを判定することができる。
【０６２５】
さらに、端末装置２は、基地局装置１からＣＳＩ−ＲＳまたはＤＲＳによる受信電力測定が指示された場合、その測定結果に基づいて下りリンクパスロスを算出し、上りリンク送信電力制御に用いてもよい。
【０６２６】
ここで、受信電力測定は、参照信号受信電力（RSRP: Reference Signal Received Power）測定や受信信号電力測定と呼称する場合もある。また、受信品質測定は、参照信号受信品質（RSRQ: Reference Signal Received Quality）測定や受信信号品質測定と呼称する場合もある。
【０６２７】
また、ＣＳＩ−ＲＳまたはＤＲＳのリソース割り当て（Resource allocation, mapping to resource elements, mapping to physical resources）は、周波数シフトされてもよい。ＣＳＩ−ＲＳまたはＤＲＳの周波数シフトは、物理セルＩＤに基づいて決定されてもよい。また、ＣＳＩ−ＲＳまたはＤＲＳの周波数シフトは、仮想セルＩＤに基づいて決定されてもよい。
【０６２８】
例えば、端末装置２は、基地局装置１から情報が通知されなければ、第１の下りリンク参照信号の受信電力測定を行なう。基地局装置１から端末装置２に対して、第２の下りリンク参照信号の受信電力測定を行なうか否かを指示する情報が通知される。端末装置２は、その指示情報が第２の下りリンク参照信号の受信電力測定を行なうことができると指示している場合、第２の下りリンク参照信号の受信電力測定を行なう。この時、端末装置２は、パラレルに第１の下りリンク参照信号の受信電力測定を行なってもよい。端末装置２は、その指示情報が第２の下りリンク参照信号の受信電力測定を行なうことができないと指示している場合、端末装置２は、第１の下りリンク参照信号のみの受信電力測定を行なう。さらに、この指示情報には、第２の下りリンク参照信号の受信品質測定を行なうか否かを指示する情報が含まれてもよい。また、第３の下りリンク参照信号は、この指示情報によらず、受信電力測定を行なってもよい。
【０６２９】
１つのサービングセルに対して、２つのサブフレームセットが設定される場合、第２のサブフレームセットがフレキシブルサブフレームのサブフレームパターンであるとすると、フレキシブルサブフレームに対するＴＰＣコマンドフィールドを含むＤＣＩフォーマットを受信可能なサブフレームのパターンを指示する情報が基地局装置１から端末装置２へ送信されてもよい。
【０６３０】
第１のサブフレームセットに属する上りリンクサブフレームに対して適用可能なＴＰＣコマンドが送信されるサブフレームのパターンと第２のサブフレームセットに属する上りリンクサブフレームに対して適用可能なＴＰＣコマンドが送信されるサブフレームのパターンがそれぞれ設定されてもよい。上りリンクサブフレームとその上りリンクサブフレームに対するＴＰＣコマンドを含むＤＣＩフォーマットが送信される下りリンクサブフレームの対応付け（紐付け）がテーブル管理されてもよい。
【０６３１】
また、ＲＳＲＰ測定結果をサブフレームセットで独立であってもよい。固定サブフレームの下りリンクサブフレームで受信したＣＲＳによるＲＳＲＰとフレキシブルサブフレームで受信したＣＲＳによるＲＳＲＰの測定は独立に行なってもよい。
【０６３２】
なお、上記各実施形態では、種々の上りリンク信号や下りリンク信号のマッピング単位としてリソースエレメントやリソースブロックを用い、時間方向の送信単位としてシンボル、サブフレームや無線フレームを用いて説明したが、これに限るものではない。任意の周波数と時間で構成される領域および時間単位をこれらに代えて用いても、同様の効果を得ることができる。なお、上記各実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０６３３】
なお、上記各実施形態において、ある下りリンクサブフレームでＤＣＩフォーマット３／３Ａのみを受信した場合、ＤＣＩフォーマット３／３Ａに含まれているＴＰＣコマンドフィールドにセットされている値に対応する補正値（または絶対値）は、下りリンクサブフレームがどのサブフレームセットに属しているかに因らず、特定のサブフレームセットで送信されるＰＵＳＣＨの送信電力に対する電力制御調整値に対して適用される。ある下りリンクサブフレームでＤＣＩフォーマット３／３Ａのみを受信した場合、ＤＣＩフォーマット３／３Ａに含まれているＴＰＣコマンドのアキュムレーションは、特定のサブフレームセットで送信されるＰＵＳＣＨに対する送信電力に用いられる電力制御調整値に対して適用されてもよい。なお、特定のサブフレームセットは、固定サブフレームのセットであってもよいし、フレキシブルサブフレームのセットでもよいし、任意のサブフレームのセットでもよい。
【０６３４】
なお、上記各実施形態では、上りリンク電力制御に関するパラメータとは、上りリンク物理チャネル／物理信号（ＰＵＳＣＨ、ＰＵＣＣＨ、ＰＲＡＣＨ、ＳＲＳ、ＤＭＲＳなど）の送信電力制御に用いられるパラメータのことであり、送信電力制御に用いられるパラメータには、種々の上りリンク物理チャネルの送信電力の設定に用いられる種々のパラメータの切り替えまたは（再）設定に関する情報を含んでいる。また、下りリンク送信電力制御に関するパラメータとは、下りリンク物理チャネル／物理信号（ＣＲＳ，ＵＥＲＳ（ＤＬ  ＤＭＲＳ），ＣＳＩ−ＲＳ，ＰＤＳＣＨ，ＰＤＣＣＨ／ＥＰＤＣＣＨ，ＰＢＣＨ，ＰＳＳ／ＳＳＳ，ＰＭＣＨ，ＰＲＳなど）の送信電力制御に用いられるパラメータのことであり、送信電力制御に用いられるパラメータには、種々の下りリンク物理チャネルの送信電力の設定に使用する種々のパラメータの切り替えまたは（再）設定に関する情報を含んでいる。
【０６３５】
なお、上記各実施形態では、基地局装置１は、１つの端末装置２に対して複数の仮想セルＩＤを設定できるようにしてもよい。例えば、基地局装置１および少なくとも１つの基地局装置１を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号の設定毎に仮想セルＩＤがセットできるようにしてもよい。また、複数の物理チャネル／物理信号で仮想セルＩＤは共有されてもよい。
【０６３６】
なお、上記各実施形態の説明では、例えば、電力をセットすることは電力の値をセットすることを含み、電力をセットすることは電力に関するパラメータに値をセットすることを含み、電力を計算することは電力の値を計算することを含み、電力を測定することは電力の値を測定することを含み、電力を報告することは電力の値を報告することを含む。このように、電力という表現は、適宜電力の値という意味も含まれる。
【０６３７】
なお、上記各実施形態の説明では、送信を行なわないとは、送信処理を行なわないことを含む。また、送信を行なわないとは、送信のための信号生成を行なわないことを含む。また、送信を行なわないとは、信号（または情報）までは生成し、信号（または情報）を送信しないことを含む。また、受信を行なわないとは、受信処理を行なわないことを含む。また、受信を行なわないとは、検出処理を行なわないことを含む。また、受信を行なわないとは、復号・復調処理を行なわないことを含む。
【０６３８】
なお、上記各実施形態の説明では、例えば、パスロスを計算することはパスロスの値を計算することを含む。このように、パスロスという表現には、適宜パスロスの値という意味も含まれる。
【０６３９】
なお、上記各実施形態の説明では、種々のパラメータを設定することは種々のパラメータの値を設定することを含む。このように、種々のパラメータという表現には、適宜種々のパラメータの値という意味も含まれる。
【０６４０】
本発明に関わる基地局装置１および端末装置２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０６４１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置１および端末装置２の一部、または全部を典型的には集積回路であるＬＳＩとして実現してもよい。基地局装置１および端末装置２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０６４２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０６４３】
なお、本願発明は、上述の実施形態に限定されるものではない。本願発明の端末装置は、移動局への適用に限定されるものではなく、屋内外に設置される据え置き型または非可動型の電子機器、例えば、ＡＶ機器、キッチン機器、掃除・洗濯機器、空調機器、オフィス機器、自動販売機、その他生活機器などに適用できることは言うまでもない。また、本発明は、無線基地局装置や無線端末装置や無線通信システムや無線通信方法に用いて好適である。
【産業上の利用可能性】
【０６４４】
本発明のいくつかの態様は、基地局装置と端末装置が通信する通信システムにおいて、効率的に通信を行なうことが必要な端末装置などに適用することができる。
【符号の説明】
【０６４５】
１  基地局装置
２  端末装置
１０１  上位層処理部
１０３  制御部
１０５  受信部
１０７  送信部
１０９  チャネル測定部
１１１  送受信アンテナ
１０５１  復号化部
１０５３  復調部
１０５５  多重分離部
１０５７  無線受信部
１０７１  符号化部
１０７３  変調部
１０７５  多重部
１０７７  無線送信部
１０７９  下りリンク参照信号生成部
２０１  上位層処理部
２０３  制御部
２０５  受信部
２０７  送信部
２０９  チャネル測定部
２１１  送受信アンテナ
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
0006592445.tif 000002
【図２】
0006592445.tif 000003
【図３】
0006592445.tif 000004
【図４】
0006592445.tif 000005
【図５】
0006592445.tif 000006
【図６】
0006592445.tif 000007
【図７】
0006592445.tif 000008
【図８】
0006592445.tif 000009
【図９】
0006592445.tif 000010
【図１０】
0006592445.tif 000011
【図１１】
0006592445.tif 000012
【図１２】
0006592445.tif 000013
【図１３】
0006592445.tif 000014
【図１４】
0006592445.tif 000015
【図１５】
0006592445.tif 000016
【図１６】
0006592445.tif 000017